(57)【要約】  本発明の実施例はアップリンク制御情報の送信方法及び装置を提供し、デュアル接続のシーンで、端末が異なる基地局によりスケジューリングされるダウンリンクキャリアに対しフィードバックすることにについてまだ解決案が存在しない問題を解決するためである。  本発明の実施例の方法は、端末が第１キャリアにおいてデータを受信し、かつ第２キャリアにおいてデータを受信し、第１キャリアにおけるデータは第１基地局によりスケジューリングされ、第２キャリアにおけるデータは第２基地局によりスケジューリングされ、端末は第１キャリアのために第１アップリンク制御情報を生成し、及び／又は、端末は第２キャリのために第２アップリンク制御情報を生成し、端末はＴＡ値及び参照キャリアに基づいて、１つのアップリンクキャリアにおいて生成されたアップリンク制御情報を送信し、アップリンク制御情報は、前記第１アップリンク制御情報と、前記第２アップリンク制御情報との中の少なくとも１つの情報を含む。そのため、端末は当該端末のためにデータをスケジューリングする異なる基地局によりスケジューリングされるダウンリンクキャリに対応するアップリンク制御情報を１つだけのアップリンクキャリアにて送信することができる。
2016529799.tif 000002
【特許請求の範囲】
【請求項１】
アップリンク制御情報の送信方法であって、
端末が、第１キャリアにおいて、第１基地局によりスケジューリングされるデータを受信し、かつ、第２キャリアにおいて、第２基地局によりスケジューリングされるデータを受信しするステップと、
前記端末が、前記第１キャリアのために第１アップリンク制御情報を生成し、及び／又は、前記端末が、前記第２キャリアのために第２アップリンク制御情報を生成するステップと、
前記端末が、予め設定されたタイミングアドバンス（Ｔｉｍｉｎｇ  Ａｄｖａｎｃｅ、ＴＡ）値及び予めプロトコルにより定義された又は予め設定さ予め設定された当該端末のアップリンク送信時間を得るために用いられる参照キャリアに基づいて、１つのアップリンクキャリアにおいて前記端末が生成したアップリンク制御情報を送信するステップと、
を含み、
前記アップリンク制御情報は、前記第１アップリンク制御情報及び前記第２アップリンク制御情報の中の少なくとも１つの情報を含む、
ことを特徴とするアップリンク制御情報の送信方法。
【請求項２】
前記端末が、前記ＴＡ値及び前記参照キャリアに基づいて、前記１つのアップリンクキャリアにおいて前記アップリンク制御情報を送信するステップは、
前記端末が、予め設定されたタイミングアドバンス（ＴＡ）値、及び、当該端末のアップリンク送信時間を得るために用いられる予めプロトコルにより定義された又は予め設定された参照キャリアに基づいて、アップリンク送信時間を確定するステップと、
前記端末が、前記１つのアップリンクキャリアにおいて、前記アップリンク送信時間に基づいて、前記アップリンク制御情報を送信するステップとを含む、
ことを特徴とする請求項１記載のアップリンク制御情報の送信方法。
【請求項３】
前記端末は以下の方法により前記ＴＡ値及び／又は前記参照キャリアを取得し、すなわち、
前記端末は前記第１基地局が送信した設定情報を受信し、前記ＴＡ値及び／又は前記参照キャリアを取得し、又は、
前記端末は前記第２基地局が送信した設定情報を受信し、前記ＴＡ値及び／又は前記参照キャリアを取得し、又は
前記端末は前記第１基地局及び前記第２基地局以外の１つの予めプロトコルにより定義された基地局が送信した設定情報を受信し、前記ＴＡ値及び／前記参照キャリアを取得し、又は、
前記端末は前記端末のプライマリーキャリアをスケジューリングする基地局が送信した設定情報を受信し、前記ＴＡ値及び／又は前記参照キャリアを取得し、又は、
前記端末は前記１つのアップリンクキャリアをスケジューリングする基地局が送信した設定情報を受信し、前記ＴＡ値及び／又は前記参照キャリアを取得し、又は、
前記端末は前記１つのアップリンクキャリアにおける物理アップリンク共有チャネル（ＰＵＳＣＨ）伝送及び／又はサウンディング参照符号（ＳＲＳ）伝送伝送及び／又はサウンディング参照符号（ＳＲＳ）伝送をスケジューリングする基地局が送信した設定情報を受信し、前記ＴＡ値及び／又は前記参照キャリアを取得し、又は、
前記端末は前記１つのアップリンクキャリアにおける現行アップリンクサフレーム、又は、現行サブフレームの近隣の１つのアップリンクサブフレームにおける物理アップリンク共有チャネル（ＰＵＳＣＨ）伝送及び／又はサウンディング参照符号（ＳＲＳ）伝送伝送及び／又はサウンディング参照符号（ＳＲＳ）伝送をスケジューリングする基地局が送信した設定情報を受信し、前記ＴＡ値及び／又は前記参照キャリアを取得する、
ことを特徴とする請求項２記載のアップリンク制御情報の送信方法。
【請求項４】
前記ＴＡ値は、
前記第１基地局に対応する、前記端末の第１ＴＡ値であり、又は、
前記第１基地局に対応する、前記端末の第１ＴＡ値に対し、目標基地局に対する補償を行って得られたＴＡ値であり、前記目標基地局は予めプロトコルにより定義又は設定された前記第１基地局以外の１つの基地局であり、又は、
前記第２基地局に対応する、前記端末の第２ＴＡ値であり、又は、
前記第２基地局に対応する、前記端末の第２ＴＡ値に対し、目標基地局に対する補償を行って得られたＴＡ値であり、前記目標基地局は予めプロトコルにより定義又は設定された前記第２基地局以外の１つの基地局であり、又は、
第１基地局及び第２基地局以外の１つの予め定義された基地局に対応する、端末のＴＡ値であり、又は
前記第１基地局及び前記第２基地局以外の１つの予め定義又は設定された基地局に対応する、前記端末のＴＡ値に対し、目標基地局に対する補償を行って得られたＴＡ値であり、そのうち、前記目標基地局は予めプロトコルにより定義又は設定された自身以外の１つの基地局であり、又は、
前記端末のダウンリンクプライマリーキャリアをスケジューリングする基地局に対応する、前記端末のＴＡ値であり、又は、
前記１つのアップリンクキャリアをスケジューリングする基地局に対応する、前記端末のＴＡ値であり、又は、
前記１つのアップリンクキャリアにおける物理アップリンク共有チャネル（ＰＵＳＣＨ）伝送及び／又はサウンディング参照符号（ＳＲＳ）伝送に用いられる前記端末のＴＡ値であり、又は、
前記１つのアップリンクキャリアの現行アップリンクサフレーム、又は、現行サブフレームの近隣の１つのアップリンクサブフレームにおけるＰＵＳＣＨ伝送及び／又はＳＲＳ伝送に用いられる前記端末のＴＡ値であり、又は、
前記端末のためにデータをスケジューリングする各基地局に対応する、前記端末ＴＡ値の平均値であり、前記平均値は、前記各基地局により予め確定されて、前記各基地局の中の１つの基地局により前記端末に通知されるか、又は前記各基地局の中の１つの基地局により確定されて、前記基地局により前記端末及び前記各基地局の中のその他の基地局に通知され、又は、
前記端末のためにデータをスケジューリングする各基地局に対応する、前記端末のＴＡ値の中の１つのＴＡ値であり、当該ＴＡ値は前記各基地局により予めプロトコルにより定義されて、前記各基地局の中の１つの基地局により前記端末に通知されるか、又は前記各基地局の中の１つの基地局により予め確定されて、前記基地局により前記端末及び前記各基地局の中のその他の基地局に通知され、又は、
前記端末のためにデータをスケジューリングする各基地局対応する、前記端末のＴＡ値に対し既定の最適化形態を採用して得られた１つのＴＡ値であり、当該ＴＡ値は前記各基地局により既定の最適化形態を採用して予め確定されて、前記各基地局の中の１つの基地局により前記端末に通知されるか、又は前記各基地局の中の１つの基地局により既定の最適化形態を採用して予め確定されて、前記基地局により前記端末及び前記各基地局の中のその他の基地局に通知される、
ことを特徴とする請求項３記載のアップリンク制御情報の送信方法。
【請求項５】
前記参照キャリアは、
前記第１基地局によりスケジューリングされるダウンリンクキャリアの中の１つのダウンリンクキャリアであり、又は、
前記第２基地局によりスケジューリングされるダウンリンクキャリアの中の１つのダウンリンクキャリアであり、又は、
前記端末のダウンリンクプライマリーキャリアであり、又は、
前記１つのアップリンクキャリアとペアリング関係のある１つのダウンリンクキャリアであり、又は、
前記１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアであり、又は、
前記１つのアップリンクキャリアの現行アップリンクサフレーム、又は、現行サブフレームの近隣の１つのアップリンクサブフレームにおけるＰＵＳＣＨ伝送及び／又はＳＲＳ伝送をトリガーする基地局によりスケジューリングされるダウンリンクキャリアの中の１つのダウンリンクキャリアであり、又は、
前記端末のためにダウンリンクデータをスケジューリングする各基地局の中の前記第１基地局及び前記第２基地局以外のその他の基地局によりスケジューリングされるダウンリンクキャリアの中の１つのダウンリンクキャリアである、
ことを特徴とする請求項２〜４いずれに記載のアップリンク制御情報の送信方法。
【請求項６】
前記端末が前記ＴＡ値及び前記参照キャリアに基づいて、前記１つのアップリンクキャリアにおいて前記第１アップリンク制御情報を送信することは、
前記端末は、前記端末のために予め設定された第１ＴＡ値を前記第１アップリンク制御情報を送信するＴＡ値にし、前記第１ＴＡ値は前記端末の、前記第１基地局に対するＴＡ値であり、また、前記端末は、前記第１基地局によりスケジューリングされるダウンリンクキャリアの中の１つのダウンリンクキャリア、又は前記端末のダウンリンクプライマリーキャリア、又は前記１つのアップリンクキャリアとペアリング関係のある１つのダウンリンクキャリアを、前記端末のアップリンク送信時間を得るために用いられる参照キャリアにし、前記第１ＴＡ値及び前記参照キャリアに基づいて、前記第１アップリンク制御情報のアップリンク送信時間を確定し、さらに前記１つのアップリンクキャリアにおいて確定されたアップリンク送信時間に基づいて、前記第１アップリンク制御情報を送信することであり、
前記端末が前記ＴＡ値及び前記参照キャリアに基づいて、前記１つのアップリンクキャリアにおいて前記第２アップリンク制御情報を送信することは、
前記端末は、当該端末のために予め設定された第２ＴＡ値を前記第２アップリンク制御情報を送信するＴＡ値にし、前記第２ＴＡ値は前記端末の第２基地局に対応するＴＡ値であり、また、前記端末は、前記第２基地局によりスケジューリングされるダウンリンクキャリアの中の１つのダウンリンクキャリア、又は前記端末のダウンリンクプライマリーキャリア、又は前記１つのアップリンクキャリアとペアリング関係のある１つのダウンリンクキャリアを、前記端末のアップリンク送信時間を得るために用いられる参照キャリアにし、前記第２ＴＡ値及び前記参照キャリアに基づいて、前記第２アップリンク制御情報のアップリンク送信時間を確定し、さらに前記１つのアップリンクキャリアにおいて確定されたアップリンク送信時間に基づいて、前記第２アップリンク制御情報を送信することである、
ことを特徴とする請求項１記載のアップリンク制御情報の送信方法。
【請求項７】
前記端末が前記第１ＴＡ値を取得することは、
前記端末は、前記第１基地局により前記端末のために設定した第１ＴＡ値を取得し、前記第１ＴＡ値は、前記第１基地局が受信した、前記端末が前記１つのアップリンクキャリアにおいて送信した物理ランダムアクセスチャネル（ＰＲＡＣＨ）及び／又は測定信号に基づいて確定されたものであり、
又は、前記端末は前記第２基地局により前記端末のために設定した第１ＴＡ値を取得し、前記第１ＴＡ値は、前記第１基地局が、受信した前記端末が前記１つのアップリンクキャリアにおいて送信したＰＲＡＣＨ及び／又は測定信号に基づいて、確定されてから前記第２基地局に予め通知したものであり、又は前記第２基地局が、受信した前記端末が前記１つのアップリンクキャリアにおいて送信したＰＲＡＣＨ及び／又は測定信号に基づいて確定されたＴＡ値に対して、前記第１基地局に対する補償を行ってから得られたものであり、
又は、前記端末は前記第１基地局及び前記第２基地局以外の１つの予め定義又は設定された基地局により前記端末のために設定した第１ＴＡ値を取得し、前記第１ＴＡ値は、前記第１基地局が、受信した前記端末が前記１つのアップリンクキャリアにおいて送信したＰＲＡＣＨ及び／又は測定信号に基づいて、確定された後に前記１つの予め定義又は設定された基地局に予め通知されたものであり、又は前記１つの予め定義又は設定された基地局が、受信した前記端末が前記１つのアップリンクキャリアにおいて送信したＰＲＡＣＨ及び／又は測定信号に基づいて確定されたＴＡ値に対して、前記第１基地局に対する補償を行って得られるものである、ことを含み、
前記端末が前記第２ＴＡ値を取得することは、
前記端末は前記第２基地局により前記端末のために設定した第２ＴＡ値を取得し、前記第２ＴＡ値は前記第２基地局が、受信した前記端末が前記１つのアップリンクキャリアにおいて送信したＰＲＡＣＨ及び／又は測定信号に基づいて、確定されたものであり、又は、
前記端末は前記第１基地局により前記端末のために設定した第２ＴＡ値を取得し、前記第２ＴＡ値は前記第２基地局が、受信した前記端末が前記１つのアップリンクキャリアにおいて送信したＰＲＡＣＨ及び／又は測定信号に基づいて、確定されてから前記第１基地局に予め通知されたものであり、又は、前記第１基地局が、受信した前記端末が前記１つのアップリンクキャリアにおいて送信したＰＲＡＣＨ及び／又は測定信号に基づいて、確定されたＴＡ値に対し前記第２基地局に対する補償を行ってから得られたものであり、又は、
前記端末は、前記第１基地局及び前記第２基地局以外の１つの予め定義又は設定された基地局により前記端末のために設定した第２ＴＡ値を取得し、前記第２ＴＡ値は、前記第２基地局が、受信した前記端末が前記１つのアップリンクキャリアにおいて送信したＰＲＡＣＨ及び／又は測定信号に基づいて、確定されてから前記１つの予め定義又は設定された基地局に予め通知されたものであり、又は前記１つの予め定義された又は設定された基地局が、受信した前記端末が前記１つのアップリンクキャリアにおいて送信したＰＲＡＣＨ及び／又は測定信号に基づいて確定されたＴＡ値に対して、前記第２基地局に対する補償を行ってから得られたものである、ことを含む、
ことを特徴とする請求項４または６記載のアップリンク制御情報の送信方法。
【請求項８】
前記第１基地局は、自身と前記第２基地局との間の相対位置、周波数ビン特性及び送信遅延の中の少なくとも１つの情報に基づいて、前記第１基地局が、受信した前記端末が前記１つのアップリンクキャリアにおいて送信したＰＲＡＣＨ及び／又は測定信号に基づいて確定されたＴＡ値に対して、前記第２基地局に対する補償を行い、
及び／又は、
前記第２基地局は、自身と前記第２基地局との間の相対位置、周波数ビン特性及び送信遅延の中の少なくとも１つの情報に基づいて、前記第２基地局が、受信した前記端末が前記１つのアップリンクキャリアにおいて送信したＰＲＡＣＨ及び／又は測定信号に基づいて確定されたＴＡ値に対して、前記第１基地局に対する補償を行い、
及び／又は、
前記予め定義又は設定された１つの基地局は、自身と前記第１基地局又は前記第２基地局との間の相対位置、周波数ビン特性及び送信遅延の中の少なくとも１つの情報に基づいて、前記予め定義又は設定された１つの基地局が、受信した前記端末が前記１つのアップリンクキャリアにおいて送信したＰＲＡＣＨ及び／又は測定信号に基づいて確定されたＴＡ値に対して、前記第１基地局又は前記第２基地局に対する補償を行うこと、をさらに含む、
ことを特徴とする請求項７記載のアップリンク制御情報の送信方法。
【請求項９】
前記端末が前記１つのアップリンクキャリアにおいて前記アップリンク制御情報を送信することは、
前記端末は、前記１つのアップリンクキャリアの同一のアップリンクサブフレームにおいて、同じＴＡ値を用い、前記アップリンク制御情報を載せるための複数のアップリンクチャネルを送信し、異なる基地局によりスケジューリングされるダウンリンクキャリアに対応するアップリンク制御情報は異なるアップリンクチャネルに乗せられて伝送され、又は、
前記端末は、前記１つのアップリンクキャリアの同一のアップリンクサブフレームにおいて、同じＴＡ値を用い、前記アップリンク制御情報を載せるための少なくとも１つのアップリンクチャネル及びその他の情報を載せるための少なくとも１つのアップリンクチャネル及び／又はＳＲＳを送信し、異なる基地局によりスケジューリングされるダウンリンクキャリアに対応するアップリンク制御情報は同一のアップリンクチャネルに乗せられて伝送され、又はそれぞれ異なるアップリンクチャネルに乗せられて伝送され、又は、
前記端末は、前記１つのアップリンクキャリアにおける異なるアップリンクサブフレームにおいて、それぞれ異なるＴＡ値を用い異なる基地局によりスケジューリングされるダウンリンクキャリアに対応するアップリンク制御情報を送信する、ことを含み、
前記アップリンクチャネルは、物理アップリンク制御チャネル（ＰＵＣＣＨ）と、ＰＵＳＣＨとを含む、
ことを特徴とする請求項１記載のアップリンク制御情報の送信方法。
【請求項１０】
前記アップリンク制御情報は、肯定応答（ＡＣＫ）／否定応答（ＮＡＣＫ）フィードバック情報と、チャネル状態情報（ＣＳＩ）フィードバック情報と、スケジューリングリクエスト（ＳＲ）情報との中の少なくとも１つの情報を含み、
前記ＣＳＩフィードバック情報は、チャネル品質指示（ＣＱＩ）と、プリコーディングマトリックス指示（ＰＭＩ）と、ランク指示（ＲＩ）と、プリコーディングタイプ指示（ＰＴＩ）との中の少なくとも１つの情報を含む、
ことを特徴とする請求項１〜４、６、８〜９のいずれかに記載のアップリンク制御情報の送信方法。
【請求項１１】
前記第１基地局は主基地局（ＭｅＮＢ）であり、前記第２基地局は補助基地局（ＳｅＮＢ）であり、又は、
前記第１基地局はＳｅＮＢであり、前記第２基地局はＭｅＮＢであり、又は、
前記第１基地局はマクロセル基地局であり、前記第２基地局はスモールセル基地局であり、又は、
前記第１基地局はスモールセル基地局であり、前記第２基地局はマクロセル基地局であり、又は、
前記第１基地局はプライマリーキャリア（ＰＣＣ）を介して前記端末とデータ伝送する基地局であり、かつ前記第２基地局は少なくとも１つのセカンドリーキャリア（ＳＣＣ）を介して前記端末とデータ伝送する基地局である、
ことを特徴とする請求項１〜４、６，８〜９のいずれかに記載のアップリンク制御情報の送信方法。
【請求項１２】
前記１つのアップリンクキャリアは、
ネットワーク側が前記端末だけのために設定した、アップリンクデータを伝送するための１つのアップリンクキャリアであり、又は、
ネットワーク側により前記端末のために設定した、アップリンクデータを伝送するための多数のアップリンクキャリアから、予め指定された又は予め設定された１つのアップリンクキャリアであり、又は、
前記端末のアップリンクプライマリーキャリアである、
ことを特徴とする請求項１〜４、６，８〜９のいずれかに記載のアップリンク制御情報の送信方法。
【請求項１３】
アップリンク制御情報の受信方法であって、
第１基地局が、第１キャリアにおいて端末のためにデータを送信し、前記端末には少なくとも前記第１キャリア及び第２キャリアが設定され、前記第１キャリア上のデータは前記第１基地局によりスケジューリングされ、前記第２キャリア上のデータは第２基地局によりスケジューリングされるステップと、
前記第１基地局が、前記端末がアップリンク制御情報の送信に用いるＴＡ値及び前記端末のアップリンク送信時間を得るために用いられる参照キャリアに基づいて、１つのアップリンクキャリアにおいて前記端末が送信したアップリンク制御情報を受信し、前記アップリンク制御情報は少なくとも端末が前記第１キャリアのために生成した第１アップリンク制御情報を含み、前記１つのアップリンクキャリアは前記端末のためにデータをスケジューリングする各基地局に対応するアップリンク制御情報を送信するために用いられるステップと、を含む
ことを特徴とするアップリンク制御情報の受信方法。
【請求項１４】
前記第１基地局が前記ＴＡ値及び前記参照キャリアに基づいて、前記１つのアップリンクキャリアにおいて前記端末が送信したアップリンク制御情報を受信することは、
前記第１基地局は前記端末が前記アップリンク制御情報の送信に用いるＴＡ値及び前記端末のアップリンク送信時間を得るために用いられる参照キャリアを確定し、
前記第１基地局は前記ＴＡ値及び前記参照キャリアに基づいて、受信時間ウィンドウを確定し、
前記第１基地局は前記１つのアップリンクキャリアにおいて前記受信時間ウィンドウに基づいて前記アップリンク制御情報を受信することを含む、
ことを特徴とする請求項１３記載のアップリンク制御情報の受信方法。
【請求項１５】
前記第１基地局により前記端末が前記アップリンク制御情報の送信に用いるＴＡ値を確定することは、
前記第１基地局は受信された前記端末が前記１つのアップリンクキャリアにおいて送信した物理ランダムアクセスチャネル（ＰＲＡＣＨ）及び／又は測定信号に基づいて、前記ＴＡ値を確定し、又は、
前記第１基地局は、受信された前記端末が前記１つのアップリンクキャリアにおいて送信したＰＲＡＣＨ及び／又は測定信号に基づいて確定したＴＡ値に対し、目標基地局に対する補償を行い、前記ＴＡ値を得、前記目標基地局は予めプロトコルにより定義又は設定された前記第１基地局以外の１つの基地局であり、又は、
前記第１基地局は、前記端末のためにデータをスケジューリングする自身以外のいずれかの基地局が送信した情報を受信し、これらに基づいて前記ＴＡ値を取得し、前記ＴＡ値は前記その他の基地局により受信された前記端末が前記１つのアップリンクキャリアにおいて送信したＰＲＡＣＨ及び／又は測定信号に基づいて確定されたＴＡ値であり、又は、前記ＴＡ値は前記その他の基地局が、受信した前記端末が前記１つのアップリンクキャリアにおいて送信したＰＲＡＣＨ及び／又は測定信号に基づいて確定されたＴＡ値に対して、目標基地局に対する補償を行ってから得られたＴＡ値であり、そのうち、前記目標基地局は予めプロトコルにより定義又は設定された自身及び前記第１基地局以外の１つの基地局であり、又は、前記ＴＡ値は前記その他の基地局により所定規則に基づいて確定されたＴＡ値であり、前記その他の基地局は少なくとも、前記第２基地局、前記端末のダウンリンクプライマリーキャリアをスケジューリングする基地局、前記１つのアップリンクキャリアをスケジューリングする基地局、前記１つのアップリンクキャリアにおける物理アップリンク共有チャネル（ＰＵＳＣＨ）伝送及び／又はサウンディング参照符号（ＳＲＳ）伝送をトリガーする基地局、及び前記１つのアップリンクキャリアの現行アップリンクサフレーム及び現行サブフレームの近隣の１つのアップリンクサブフレームにおけるＰＵＳＣＨ伝送及び／又はＳＲＳ伝送をトリガーする基地局を含み、又は、
前記第１基地局は所定規則に基づいて、前記ＴＡ値を確定する、ことを含み、
前記所定規則は、前記端末のためにデータをスケジューリングする各基地局に対応する、前記端末のＴＡ値の平均値を取得し、又は、前記端末のためにデータをスケジューリングする各基地局に対応する、前記端末のＴＡ値の中から１つのＴＡ値を予めプロトコルにより定義し、又は、前記端末のためにデータをスケジューリングする各基地局に対応する前記端末のＴＡ値から、既定の最適化形態を採用して１つのＴＡ値を得ることである、
ことを特徴とする請求項１４記載のアップリンク制御情報の受信方法。
【請求項１６】
前記第１基地局は、自身と対応の目標基地局との間の相対位置、周波数ビン特性及び送信遅延の中の少なくとも１つの情報に基づいて、前記第１基地局が受信した前記端末が前記１つのアップリンクキャリアにおいて送信したＰＲＡＣＨ及び／又は測定信号に基づいて確定されたＴＡ値に対し、当該目標基地局に対する補償を行い、
及び／又は、
前記その他の基地局は、自身と対応の目標基地局との間の相対位置、周波数ビン特性及び送信遅延の中の少なくとも１つの情報に基づいて、前記その他の基地局が受信した前記端末が前記１つのアップリンクキャリアにおいて送信したＰＲＡＣＨ及び／又は測定信号に基づいて確定されたＴＡ値に対し、当該目標基地局に対する補償を行う、ことをさらに含む、
ことを特徴とする請求項１５記載のアップリンク制御情報の受信方法。
【請求項１７】
前記第１基地局が前記１つのアップリンクキャリアにおいて前記端末が送信したアップリンク制御情報を受信する前に、
前記第１基地局は、前記端末が前記アップリンク制御情報の送信に用いると確定したＴＡ値を、前記端末に通知し、及び／又は、
前記第１基地局は、前記端末が前記アップリンク制御情報の送信に用いると確定したＴＡ値を、前記端末のためにデータをスケジューリングする自身以外のその他の基地局に通知する、ことをさらに含む、
ことを特徴とする請求項１５又は１６記載のアップリンク制御情報の受信方法。
【請求項１８】
前記参照キャリアは、
前記第１基地局によりスケジューリングされるダウンリンクキャリアの中の１つのダウンリンクキャリアであり、又は、
前記第２基地局によりスケジューリングされるダウンリンクキャリアの中の１つのダウンリンクキャリアであり、又は、
前記端末のダウンリンクプライマリーキャリアであり、又は、
前記１つのアップリンクキャリアとペアリング関係のある１つのダウンリンクキャリアであり、又は、
前記１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアであり、又は、
前記１つのアップリンクキャリアの現行アップリンクサフレーム又は現行サブフレームの近隣の１つアップリンクサブフレームにおけるＰＵＳＣＨ及び／又はＳＲＳ送信をトリガーする基地局によりスケジューリングされるダウンリンクキャリアの中の１つのダウンリンクキャリアであり、又は、
前記端末のためにダウンリンクデータをスケジューリングする各基地局において前記第１基地局及び前記第２基地局以外のその他の基地局によりスケジューリングされるダウンリンクキャリアの中の１つのダウンリンクキャリアである、
ことを特徴とする請求項１４記載のアップリンク制御情報の受信方法。
【請求項１９】
前記第１基地局が前記１つのアップリンクキャリアにおいて前記端末が送信したアップリンク制御情報を受信する前に、
前記第１基地局は、前記端末のアップリンク制御情報の送信に用いられると確定した参照キャリアを、前記端末に通知し、及び／又は、
前記第１基地局は、前記端末のアップリンク制御情報の送信に用いられると確定した参照キャリアを、前記端末のためにデータをスケジューリングする自身以外のその他の基地局に通知する、ことをさらに含む、
ことを特徴とする請求項１８記載のアップリンク制御情報の受信方法。
【請求項２０】
前記１つのアップリンクキャリアの同一のアップリンクサブフレームにおいて、前記第１基地局及び前記第２基地局はそれぞれ各自で確定した受信時間ウィンドウに基づいて、前記アップリンク制御情報を載せる同一のアップリンクチャネルを受信し、前記アップリンク制御情報は少なくとも前記第１アップリンク制御情報及び第２アップリンク制御情報を含み、又は、
前記１つのアップリンクキャリアの同一のアップリンクサブフレームにおいて、前記第１基地局は自身が確定した受信時間ウィンドウに基づいて、前記第１アップリンク制御情報を載せる１つのアップリンクチャネルを受信し、前記第２基地局は自身が確定した受信時間ウィンドウに基づいて、前記第２アップリンク制御情報を載せる１つのアップリンクチャネルを受信し、前記第１アップリンク制御情報を載せる前記１つのアップリンクチャネルと前記第２アップリンク制御情報を載せる前記１つのアップリンクチャネルとは異なり、又は、
前記１つのアップリンクキャリアの異なるアップリンクサブフレームにおいて、前記第１基地局は自身が確定した受信時間ウィンドウに基づいて、前記第１アップリンク制御情報を載せる１つのアップリンクチャネルを受信し、前記第２基地局は自身が確定した受信時間ウィンドウに基づいて、前記第２アップリンク制御情報を載せる１つのアップリンクチャネルを受信する、
ことを特徴とする請求項１４記載のアップリンク制御情報の受信方法。
【請求項２１】
前記アップリンク制御情報は、肯定応答（ＡＣＫ）／否定応答（ＮＡＣＫ）フィードバック情報と、チャネル状態情報（ＣＳＩ）フィードバック情報と、スケジューリングリクエスト（ＳＲ）情報との中の少なくとも１つ又は複数の情報を含み、
前記ＣＳＩフィードバック情報は、チャネル品質指示（ＣＱＩ）と、プリコーディングマトリックス指示（ＰＭＩ）と、ランク指示（ＲＩ）と、プリコーディングタイプ指示（ＰＴＩ）との中の少なくとも１つ又は複数の情報を含む、
ことを特徴とする請求項１３〜１６、１８〜２０のいずれかに記載のアップリンク制御情報の受信方法。
【請求項２２】
前記第１基地局は主基地局であり、かつ前記第２基地局は補助基地局であり、又は、
前記第１基地局は補助基地局であり、かつ前記第２基地局は主基地局であり、又は、
前記第１基地局はマクロセル基地局であり、かつ前記第２基地局はスモールセル基地局であり、又は、
前記第１基地局はスモールセル基地局であり、かつ前記第２基地局はマクロセル基地局であり、又は、
前記第１基地局はプライマリーキャリア（ＰＣＣ）を介して前記端末とデータ伝送する基地局であり、かつ前記第２基地局は少なくとも１つのセカンドリーキャリア（ＳＣＣ）を介して前記端末とデータ伝送する基地局である、
ことを特徴とする請求項１３〜１６、１８〜２０のいずれかに記載のアップリンク制御情報の受信方法。
【請求項２３】
前記１つのアップリンクキャリアは、
ネットワーク側が前記端末のために設定した、アップリンクデータを伝送するための１つだけのアップリンクキャリアであり、又は、
ネットワーク側により前記端末のために設定した、アップリンクデータを伝送するための多数のアップリンクキャリアから、予め指定又は設定された１つのアップリンクキャリアであり、又は、
前記端末のアップリンクプライマリーキャリアである、
ことを特徴とする請求項１３〜１６、１８〜２０のいずれかに記載のアップリンク制御情報の受信方法。
【請求項２４】
第１キャリアにおいてデータを受信しかつ第２キャリアにおいてデータを受信し、前記第１キャリアにおけるデータは第１基地局によりスケジューリングされ、前記第２キャリアにおけるデータは第２基地局によりスケジューリングされる、受信モジュールと、
前記第１キャリアのために第１アップリンク制御情報を生成し、及び／又は、前記第２キャリアのために第２アップリンク制御情報を生成する、処理モジュールと、
予め設定されたタイミングアドバンス（ＴＡ）値及び予めプロトコルにより定義又は予め設定された端末のアップリンク送信時間を得るために用いられる参照キャリアに基づいて、１つのアップリンクキャリアにおいて前記処理モジュールが生成したアップリンク制御情報を送信する、送信モジュールと、を含み、
前記アップリンク制御情報は、前記第１アップリンク制御情報と、前記第２アップリンク制御情報との中の少なくとも１つの情報を含む、
ことを特徴とする端末。
【請求項２５】
前記送信モジュールは、
予め設定されたタイミングアドバンス（ＴＡ）値及び予めプロトコルにより定義又は予め設定されたアップリンク送信時間を得るために用いられる参照キャリアに基づいて、アップリンク送信時間を確定し、なお前記送信モジュールをトリガーして前記１つのアップリンクキャリアにおいて前記アップリンク送信時間に基づいて、前記アップリンク制御情報を送信する、
ことを特徴とする請求項２４記載の端末。
【請求項２６】
前記送信モジュールは以下の方法により前記ＴＡ値及び／又は前記参照キャリアを取得し、すなわち、
前記第１基地局が送信した設定情報を受信し、前記ＴＡ値及び／又は前記参照キャリアを取得し、又は、
前記第２基地局が送信した設定情報を受信し、前記ＴＡ値及び／又は前記参照キャリアを取得し、又は、
前記第１基地局及び前記第２基地局以外の１つの予めプロトコルにより定義された基地局が送信した設定情報を受信し、前記ＴＡ値及び／又は前記参照キャリアを取得し、又は、
前記端末のプライマリーキャリアをスケジューリングする基地局が送信した設定情報を受信し、前記ＴＡ値及び／又は前記参照キャリアを取得し、又は、
前記１つのアップシンクキャリアをスケジューリングする基地局が送信した設定情報を受信し、前記ＴＡ値及び／又は前記参照キャリアを取得し、又は、
前記１つのアップシンクキャリアにおけるＰＵＳＣＨ伝送及び／又はＳＲＳ伝送をスケジューリングする基地局が送信した設定情報を受信し、前記ＴＡ値及び／又は前記参照キャリアを取得し、又は、
前記１つのアップリンクキャリアにおける現行アップリンクサフレーム、又は、現行サブフレームの近隣の１つのアップリンクサブフレームにおけるＰＵＳＣＨ伝送及び／又はＳＲＳ伝送をスケジューリングする基地局が送信した設定情報を受信し、前記ＴＡ値及び／又は前記参照キャリアを取得する、
ことを特徴とする請求項２５記載の端末。
【請求項２７】
前記ＴＡ値は、
前記第１基地局に対応する、前記端末の第１ＴＡ値であり、又は、
前記第１基地局に対応する、前記端末の第１ＴＡ値に対し、目標基地局に対する補償を行って得られたＴＡ値であり、前記目標基地局は予めプロトコルにより定義又は設定された前記第１基地局以外の１つの基地局であり、又は、
前記第２基地局に対応する、前記端末の第２ＴＡ値であり、又は、
前記第２基地局に対応する、前記端末の第２ＴＡ値に対し、目標基地局に対する補償を行って得られたＴＡ値であり、前記目標基地局は予めプロトコルにより定義又は設定された前記第２基地局以外の１つの基地局であり、又は、
前記第１基地局及び前記第２基地局以外の１つの予め定義された基地局に対応する、前記端末のＴＡ値であり、又は、
前記第１基地局及び前記第２基地局以外の１つの予め定義又は設定された基地局に対応する、前記端末のＴＡ値に対し、目標基地局に対する補償を行って得られたＴＡ値であり、前記目標基地局は予めプロトコルにより定義又は設定された自身以外の１つの基地局であり、又は、
前記端末のダウンリンクプライマリーキャリアをスケジューリングする基地局に対応する、前記端末のＴＡ値であり、又は、
前記１つのアップリンクキャリアをスケジューリングする基地局に対応する、前記端末のＴＡ値であり、又は、
前記端末の前記１つのアップシンクキャリアにおけるＰＵＳＣＨ伝送及び／又はＳＲＳ伝送に用いられるＴＡ値であり、又は、
前記端末の前記１つのアップリンクキャリアにおける現行アップリンクサフレーム、又は、現行サブフレームの近隣の１つのアップリンクサブフレームにおけるＰＵＳＣＨ伝送及び／又はＳＲＳ伝送に用いられるＴＡ値であり、又は、
前記端末のためにデータをスケジューリングする各基地局に対応する、前記端末ＴＡ値の平均値であり、前記平均値は前記各基地局により予め確定されて、前記各基地局の中の１つの基地局により前記端末に通知されるか、又は前記各基地局の中の１つの基地局により確定されて、前記基地局により前記端末及び前記各基地局の中のその他の基地局に通知し、又は、
前記端末のためにデータをスケジューリングする各基地局に対応する、前記端末のＴＡ値の中の１つのＴＡ値であり、当該ＴＡ値は前記各基地局により予めプロトコルにより定義されて、前記各基地局の中の１つの基地局により前記端末に通知されるか、又は前記各基地局の中の１つの基地局により予め確定されて、前記基地局により前記端末及び前記各基地局の中のその他の基地局に通知し、又は、
前記端末のためにデータをスケジューリングする各基地局対応する、前記端末のＴＡ値に対し既定の最適化形態を採用して得られた１つのＴＡ値であり、当該ＴＡ値は前記各基地局により既定の最適化形態を採用して予め確定されて、前記各基地局の中の１つの基地局により前記端末に通知されるか、又は前記各基地局の中の１つの基地局により既定の最適化形態を採用して予め確定されて、前記基地局により前記端末及び前記各基地局の中のその他の基地局に通知する、
ことを特徴とする請求項２６記載の端末。
【請求項２８】
前記参照キャリアは、
前記第１基地局によりスケジューリングされるダウンリンクキャリアの中の１つのダウンリンクキャリアであり、又は、
前記第２基地局によりスケジューリングされるダウンリンクキャリアの中の１つのダウンリンクキャリアであり、又は、
前記端末のダウンリンクプライマリーキャリアであり、又は、
前記１つのアップリンクキャリアとペアリング関係のある１つのダウンリンクキャリアであり、又は、
前記１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアであり、又は、
前記１つのアップリンクキャリアの現行アップリンクサフレーム、又は、現行サブフレームの近隣の１つのアップリンクサブフレームにおけるＰＵＳＣＨ伝送及び／又はＳＲＳ伝送をトリガーする基地局によりスケジューリングされるダウンリンクキャリアの中の１つのダウンリンクキャリアであり、又は、
前記端末のためにダウンリンクデータをスケジューリングする各基地局の中の前記第１基地局及び前記第２基地局以外のその他の基地局によりスケジューリングされるダウンリンクキャリアの中の１つのダウンリンクキャリアである、
ことを特徴とする請求項２５〜２７のいずれかに記載の端末。
【請求項２９】
前記送信モジュールは、
予め設定された第１ＴＡ値を前記第１アップリンク制御情報を送信するＴＡ値にし、前記第１ＴＡ値は前記端末の、前記第１基地局に対するＴＡ値であり、前記第１基地局によりスケジューリングされるダウンリンクキャリアの中の１つのダウンリンクキャリア、又は前記端末のダウンリンクプライマリーキャリア、又は前記１つのアップリンクキャリアとペアリング関係のある１つのダウンリンクキャリアを前記端末のアップリンク送信時間を得るために用いられる参照キャリアにし、前記第１ＴＡ値及び前記参照キャリアに基づいて、前記第１アップリンク制御情報のアップリンク送信時間を確定し、さらに前記１つのアップリンクキャリアにおいて確定されたアップリンク送信時間に基づいて、前記第１アップリンク制御情報を送信し、
予め設定された第２ＴＡ値を前記第２アップリンク制御情報を送信するＴＡ値にし、前記第２ＴＡ値は前記端末の前記第２基地局に対するＴＡ値であり、さらに前記第２基地局によりスケジューリングされるダウンリンクキャリアの中の１つのダウンリンクキャリア、又は前記端末のダウンリンクプライマリーキャリア、又は前記１つのアップリンクキャリアとペアリング関係のある１つのダウンリンクキャリアを前記端末のアップリンク送信時間を得るために用いられる参照キャリアにし、前記第２ＴＡ値及び前記参照キャリアに基づいて、前記第２アップリンク制御情報のアップリンク送信時間を確定し、さらに前記１つのアップリンクキャリアにおいて確定されたアップリンク送信時間に基づいて、前記第２アップリンク制御情報を送信する、
ことを特徴とする請求項２４記載の端末。
【請求項３０】
前記送信モジュールは下記のステップに基づき前記第１ＴＡ値を取得し、すなわち、
前記受信モジュールを介して前記第１基地局が前記端末のために設定した第１ＴＡ値を取得し、前記第１ＴＡ値は、前記第１基地局が受信した、前記端末が前記１つのアップリンクキャリアにおいて送信した物理ランダムアクセスチャネル（ＰＲＡＣＨ）及び／又は測定信号に基づいて確定されたものであり、又は、前記受信モジュールにより前記第２基地局が前記端末のために設定した第１ＴＡ値を取得し、前記第１ＴＡ値は、前記第１基地局が、受信した前記端末が前記１つのアップリンクキャリアにおいて送信したＰＲＡＣＨ及び／又は測定信号に基づいて、確定されてから前記第２基地局に予め通知したものであり、又は前記第２基地局が、受信した前記端末が前記１つのアップリンクキャリアにおいて送信したＰＲＡＣＨ及び／又は測定信号に基づいて確定されたＴＡ値に対して、前記第１基地局に対する補償を行ってから得られたものであり、
又は、前記受信モジュールを介して前記第１基地局及び前記第２基地局以外の１つの予め定義又は設定された基地局が前記端末のために設定した第１ＴＡ値を取得し、前記第１ＴＡ値は、前記第１基地局が、受信した前記端末が前記１つのアップリンクキャリアにおいて送信したＰＲＡＣＨ及び／又は測定信号に基づいて、確定された後に前記１つの予め定義又は設定された基地局に予め通知されたものであり、又は前記１つの予め定義又は設定された基地局が、受信した前記端末が前記１つのアップリンクキャリアにおいて送信したＰＲＡＣＨ及び／又は測定信号に基づいて確定されたＴＡ値に対して、前記第１基地局に対する補償を行って得られるものであり、
及び／又は、
前記送信モジュールは下記のステップに基づき前記第２ＴＡ値を取得し、すなわち、
前記受信モジュールを介して前記第２基地局が前記端末のために設定した第２ＴＡ値を取得し、前記第２ＴＡ値は前記第２基地局により受信された当該端末が前記１つのアップリンクキャリアにおいて送信したＰＲＡＣＨ及び／又は測定信号に基づいて確定されたものであり、又は、
前記受信モジュールを介して前記第１基地局が前記端末のために設定した第２ＴＡ値を取得し、前記第２ＴＡ値は前記第２基地局が、受信した前記端末が前記１つのアップリンクキャリアにおいて送信したＰＲＡＣＨ及び／又は測定信号に基づいて、確定されてから前記第１基地局に予め通知されたものであり、又は、前記第１基地局が、受信した前記端末が前記１つのアップリンクキャリアにおいて送信したＰＲＡＣＨ及び／又は測定信号に基づいて、確定されたＴＡ値に対し前記第２基地局に対する補償を行ってから得られたものであり、又は、
前記受信モジュールを介して前記第１基地局及び前記第２基地局以外の１つの予め定義又は設定された基地局が前記端末のために設定した第２ＴＡ値を取得し、前記第２ＴＡ値は前記第２基地局が、受信した前記端末が前記１つのアップリンクキャリアにおいて送信したＰＲＡＣＨ及び／又は測定信号に基づいて、確定されてから前記１つの予め定義又は設定された基地局に予め通知されたものであり、又は前記１つの予め定義された又は設定された基地局が、受信した前記端末が前記１つのアップリンクキャリアにおいて送信したＰＲＡＣＨ及び／又は測定信号に基づいて確定されたＴＡ値に対して、前記第２基地局に対する補償を行ってから得られたものである、
ことを特徴とする請求項２７または２９記載の端末。
【請求項３１】
前記送信モジュールは、
前記１つのアップリンクキャリアの同一のアップリンクサブフレームにおいて、同じＴＡ値を用い、前記アップリンク制御情報を載せるための複数のアップリンクチャネルを送信し、そのうち、異なる基地局によりスケジューリングされるダウンリンクキャリアに対応するアップリンク制御情報は異なるアップリンクチャネルに乗せられて伝送され、又は、
前記１つのアップリンクキャリアの同一のアップリンクサブフレームにおいて、同じＴＡ値を用い、前記アップリンク制御情報を載せるための１つのアップリンクチャネル及びその他の情報を載せるための少なくとも１つのアップリンクチャネル及び／又はＳＲＳを送信し、異なる基地局によりスケジューリングされるダウンリンクキャリアに対応するアップリンク制御情報は同一のアップリンクチャネルに乗せられて伝送され、又はそれぞれ異なるアップリンクチャネルに乗せられて伝送され、又は、
前記１つのアップリンクキャリアにおける異なるアップリンクサブフレームにおいて、それぞれ異なるＴＡ値を用い異なる基地局によりスケジューリングされるダウンリンクキャリアに対応するアップリンク制御情報を送信し、
前記アップリンクチャネルは、物理アップリンク制御チャネル（ＰＵＣＣＨ）と、ＰＵＳＣＨとを含む、
ことを特徴とする請求項２４記載の端末。
【請求項３２】
第１キャリアにおいて端末のためにデータを送信し、前記端末には少なくとも前記第１キャリア及び第２キャリアが設定され、前記第１キャリアのデータは基地局によりスケジューリングされ、前記第２キャリアのデータは前記基地局と異なる第２基地局によりスケジューリングされる、データ送信モジュールと、
前記端末がアップリンク制御情報を送信する際用いるＴＡ値及び前記端末のアップリンク送信時間を得るために用いられる参照キャリアに基づいて、１つのアップリンクキャリアにおいて前記端末が送信したアップリンク制御情報を受信し、前記アップリンク制御情報は少なくとも前記端末が前記第１キャリアのために生成した第１アップリンク制御情報を含み、前記１つのアップリンクキャリアは前記端末のためにデータをスケジューリングする各基地局に対応するアップリンク制御情報を送信するために用いられる、処理モジュールと、を含む、
ことを特徴とする基地局。
【請求項３３】
前記処理モジュールは、
前記端末の前記アップリンク制御情報送信に用いられるＴＡ値及び前記端末のアップリンク送信時間を得るために用いられる参照キャリアを確定し、前記ＴＡ値及び前記参照キャリアに基づいて、受信時間ウィンドウを確定し、かつ前記１つのアップリンクキャリアにおいて確定された前記受信時間ウィンドウに基づいて前記アップリンク制御情報を受信する、
ことを特徴とする請求項３２記載の基地局。
【請求項３４】
前記処理モジュールは下記のステップに基づき前記端末の前記アップリンク制御情報送信に用いられるＴＡ値を確定し、すわなち、
前記端末が前記１つのアップリンクキャリアにおいて送信した物理ランダムアクセスチャネル（ＰＲＡＣＨ）及び／又は測定信号を受信し、これらに基づいて前記ＴＡ値を確定し、又は、
前記端末が前記１つのアップリンクキャリアにおいて送信したＰＲＡＣＨ及び／又は測定信号を受信し、これらに基づいて確定されたＴＡ値に対し、目標基地局に対する補償を行ってから、前記ＴＡ値を得、前記目標基地局は予めプロトコルにより定義又は設定された前記基地局以外の１つの基地局であり、又は、
前記端末のためにデータをスケジューリングする自身以外のいずれかの基地局が送信した情報を受信し、これに基づいて前記ＴＡ値を取得し、前記ＴＡ値は前記その他の基地局により受信された前記端末が前記１つのアップリンクキャリアにおいて送信したＰＲＡＣＨ及び／又は測定信号に基づいて確定されたＴＡ値であり、又は、前記ＴＡ値は前記その他の基地局が、受信した前記端末が前記１つのアップリンクキャリアにおいて送信したＰＲＡＣＨ及び／又は測定信号に基づいて確定されたＴＡ値に対して、目標基地局に対する補償を行ってから得られたＴＡ値であり、前記目標基地局は自身及び前記基地局以外の予めプロトコルにより定義又は設定された１つの基地局であり、又は、前記ＴＡ値は前記その他の基地局により所定規則に基づいて確定されたＴＡ値であり、前記その他の基地局は少なくとも、第２キャリアにおけるデータをスケジューリングする基地局、前記端末のダウンリンクプライマリーキャリアをスケジューリングする基地局、前記１つのアップリンクキャリアをスケジューリングする基地局、前記１つのアップリンクキャリアにおけるＰＵＳＣＨ伝送及び／又はＳＲＳ伝送をトリガーする基地局、及び前記１つのアップリンクキャリアの現行アップリンクサフレーム及び現行サブフレームの近隣の１つのアップリンクサブフレームにおけるＰＵＳＣＨ伝送及び／又はＳＲＳ伝送をトリガーする基地局を含み、
又は、所定規則に基づいて前記ＴＡ値を確定し、
所定規則は、前記端末のためにデータをスケジューリングする各基地局に対応する、前記端末のＴＡ値の平均値を取得し、又は前記端末のためにデータをスケジューリングする各基地局に対応する、前記端末のＴＡ値の中から１つのＴＡ値を予めプロトコルにより定義し、又は、前記端末のためにデータをスケジューリングする各基地局に対応する前記端末のＴＡ値から、既定の最適化形態を採用して１つのＴＡ値を得ることである、
ことを特徴とする請求項３３記載の基地局。
【請求項３５】
前記処理モジュールは、
対応の目標基地局との間の相対位置、周波数ビン特性及び送信遅延の中の少なくとも１つの情報に基づいて、自身のＴＡ値に対し補償を行うことを特徴とする請求項３４記載の基地局。
【請求項３６】
前記データ送信モジュールは、
前記処理モジュールにより確定された前記端末の前記アップリンク制御情報の送信に用いられるＴＡ値を、前記端末に通知し、及び／又は、
前記処理モジュールにより確定された前記端末の前記アップリンク制御情報の送信に用いられるＴＡ値を、前記端末のためにデータをスケジューリングする自身以外のその他の基地局に通知する、
ことを特徴とする請求項３４又は３５記載の基地局。
【請求項３７】
前記参照キャリアは、
前記基地局によりスケジューリングされるダウンリンクキャリアの中の１つのダウンリンクキャリアであり、又は、
前記第２基地局によりスケジューリングされるダウンリンクキャリアの中の１つのダウンリンクキャリアであり、又は、
前記端末のダウンリンクプライマリーキャリアであり、又は、
前記１つのアップリンクキャリアとペアリング関係のある１つのダウンリンクキャリアであり、又は、
前記１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアであり、又は、
前記１つのアップリンクキャリアの現行アップリンクサフレーム、又は、現行サブフレームの近隣の１つのアップリンクサブフレームにおけるＰＵＳＣＨ伝送及び／又はＳＲＳ伝送をトリガーする基地局によりスケジューリングされるダウンリンクキャリアの中の１つのダウンリンクキャリアであり、又は、
前記端末のためにダウンリンクデータをスケジューリングする各基地局の中の前記基地局及び前記第２基地局以外のその他の基地局によりスケジューリングされるダウンリンクキャリアの中の１つのダウンリンクキャリアである、
ことを特徴とする請求項３３記載の基地局。
【請求項３８】
前記データ送信モジュールは、
前記処理モジュールにより確定された前記端末の前記アップリンク制御情報の送信に用いられる参照キャリアを、前記端末に通知し、及び／又は、
前記処理モジュールにより確定された前記端末の前記アップリンク制御情報の送信に用いられる参照キャリアを、前記端末のためにデータをスケジューリングする自身以外のその他の基地局に通知する、
ことを特徴とする請求項３７記載の基地局。
【発明の詳細な説明】
【技術分野】
【０００１】
本発明は、通信技術分野に関し、特にアップリンク制御情報の送信方法及び装置に関する。
【背景技術】
【０００２】
本出願は、２０１３年７月２３日に中国特許局に提出し、出願番号が２０１３１０３１１８８１．４であり、発明名称が「アップリンク制御情報の送信方法及び装置」との中国特許出願を基礎とする優先権を主張し、その開示の総てをここに取り込む。
【０００３】
技術の進化とデータトラフィックの増加に伴って、ＬＴＥ（Ｌｏｎｇ  Ｔｅｒｍ  Ｅｖｏｌｕｔｉｏｎ、長期的進化）システムの後続バージョンでは、端末が複数の基地局の下に設定され（即ちデュアル接続、Ｄｕａｌ  Ｃｏｎｎｅｃｔｉｖｉｔｙ）動作するシーンが現れる可能性がある。
【０００４】
例えば、端末にマスター進化型ノードＢ（Ｍａｓｔｅｒ  Ｅｖｏｌｖｅｄ  Ｎｏｄｅ  Ｂ，ＭｅＮＢ）及び少なくとも１つのセカンドリー進化型ノード（Ｓｅｃｏｎｄａｒｙ  ｅＮＢ，ＳｅＮＢ）が設定され、そのうち、ＤｕａｌＣｏｎｎｅｃｔｉｖｉｔｙ応用シーンにおいて、少なくともＳ１−ＭＭＥ（ＭＭＥはモビリティ管理エンティティを示し、Ｓ１はＭＭＥまでのＳ１インタフェースを示し、ＭＭＥ，Ｍｏｂｉｌｅ  Ｍａｎａｇｅｍｅｎｔ  Ｅｎｔｉｔｙ）が当該ＭｅＮＢで終止し、そのため、コアネットワークにとって、当該ＭｅＮＢは移動性アンカーとみなすことができ、ＳｅＮＢは、ＭｅＮＢ以外において余分な無線リソースを端末に提供する役割をする。
【０００５】
Ｄｕａｌ  Ｃｏｎｎｅｃｔｉｖｉｔｙシーンでは、異なる基地局によりスケジューリングされるセル及び／又はキャリアに使用されるフレーム構造は同一でも異なっても良く、例えば、端末が異なる基地局によりスケジューリングされる各キャリアにおいていずれも周波数分割複信（Ｆｒｅｑｕｅｎｃｙ  Ｄｉｖｉｓｉｏｎ  Ｄｕｐｌｅｘ，ＦＤＤ）フレーム構造を用い、あるいは、端末が異なる基地局によりスケジューリングされる各キャリアにおいていずれも時分割複信（Ｔｉｍｅ  Ｄｉｖｉｓｉｏｎ  Ｄｕｐｌｅｘ，ＴＤＤ）フレーム構造を用い（そのうち、異なる基地局によりスケジューリングされる各キャリアに使用されるＴＤＤアップリンク／ダウンリンク配置は同一でも異なっても良い）、又は、端末が１つのバンド中の各キャリアにおいてＦＤＤフレーム構造を用い、他のバンド中の各キャリアにおいてＴＤＤフレーム構造を用いる。
【０００６】
Ｄｕａｌ  Ｃｏｎｎｅｃｔｉｖｉｔｙシーンでは、端末に接続される複数の基地局はそれぞれ対応するダウンリンクキャリア集合において独立してスケジューリングを行い、そのうち、端末のデータスケジューリング及び送信方法は以下の３つの選択（Ｏｐｔｉｏｎ）方式を含む。
【０００７】
Ｏｐｔｉｏｎ１において、ＭｅＮＢのベアラ（ｂｅａｒｅｒ）はゲートウェイ（例えばサービングゲートウェイＳ−ＧＷ、Ｓｅｒｖｉｎｇ  ＧａｔｅＷａｙ）から直接ＭｅＮＢへ、ＳｅＮＢのベアラはゲートウェイから直接ＳｅＮＢへ、すなわちＳｅＮＢのベアラはＭｅＮＢのルートを通さなくても良く、図１に示す通りである。
【０００８】
Ｏｐｔｉｏｎ２において、ＭｅＮＢのベアラはゲートウェイから直接ＭｅＮＢへ、ＳｅＮＢのベアラは、まずゲートウェイからＭｅＮＢへ、またＭｅＮＢよりすべてのベアラをＳｅＮＢに分流し、すなわちＳｅＮＢのベアラは分離せず、図２に示す通りである。
【０００９】
Ｏｐｔｉｏｎ３において、ＭｅＮＢのベアラはゲートウェイから直接ＭｅＮＢへ、ＳｅＮＢのベアラは、まずゲートウェイからＭｅＮＢへ、またＭｅＮＢより一部のベアラをＳｅＮＢに分流し、一部のベアラはＭｅＮＢ側に残ったまま送信を行い、すなわちＳｅＮＢのベアラは分離し、図３に示す通りである。
【発明の概要】
【発明が解決しようとする課題】
【００１０】
デュアル接続シーンにおいて、端末は異なる基地局によりスケジューリングされるダウンリンクキャリア集合においてデータを受信することが可能であり、従って端末は異なる基地局によりスケジューリングされるダウンリンクキャリアに対応するのアップリンク制御情報（Ｕｐｌｉｎｋ  Ｃｏｎｔｒｏｌ  Ｉｎｆｏｒｍａｔｉｏｎ、ＵＣＩ）をフィードバックする必要がある。しかし、デュアル接続のシーンで端末が異なる基地局によりスケジューリングされたダウンリンクキャリアに対しフィードバックすることについて、現在まだ解決案が存在しない。
【００１１】
本発明の実施例はアップリンク制御情報の送信方法及び装置を提供し、デュアル接続のシーンで、端末が異なる基地局によりスケジューリングされるダウンリンクキャリアに対しフィードバックすることにについてまだ解決案が存在しない問題を解決するためである。
【課題を解決するための手段】
【００１２】
本発明の実施例はアップリンク制御情報の送信方法を提供し、前記アップリンク制御情報の送信方法は、
端末が第１キャリアにおいてデータを受信し、かつ第２キャリアにおいてデータを受信し、前記第１キャリアにおけるデータは第１基地局によりスケジューリングされ、前記第２キャリアにおけるデータは第２基地局によりスケジューリングされるステップと、
前記端末が前記第１キャリアのために第１アップリンク制御情報を生成し、及び／又は、前記端末は前記第２キャリのために第２アップリンク制御情報を生成するステップと、
前記端末は予め設定されたタイミングアドバンス（Ｔｉｍｉｎｇ  Ａｄｖａｎｃｅ、ＴＡ）値及び予めプロトコルにより定義された又は予め設定された当該端末のアップリンク送信時間を得るために用いられる参照キャリアに基づいて、１つのアップリンクキャリアにおいて前記端末が生成したアップリンク制御情報を送信するステップとを含み、
前記アップリンク制御情報は、前記第１アップリンク制御情報と、前記第２アップリンク制御情報との中の少なくとも１つの情報を含む。
【００１３】
本発明の実施例の技術案によれば、端末は当該端末のためにデータをスケジューリングする異なる基地局によりスケジューリングされるダウンリンクキャリに対応するアップリンク制御情報を１つだけのアップリンクキャリアにて送信することができ、端末コストを削減することを前提にアップリンク制御情報の適時なフィードバックを実現した。
【００１４】
好ましい実施形態として、前記端末が前記ＴＡ値及び前記参照キャリアに基づいて、前記１つのアップリンクキャリアにおいて前記アップリンク制御情報を送信することは、
前記端末は予め設定されたタイミングアドバンス（ＴＡ）値及び予めプロトコルにより定義された又は予め設定された当該端末のアップリンク送信時間を得るために用いられる参照キャリアに基づいて、アップリンク送信時間を確定し、
前記端末は前記１つのアップリンクキャリアにおいて前記アップリンク送信時間に基づいて、前記アップリンク制御情報を送信する、ことを含む。
【００１５】
当該形態において、前記端末は下記の方法により前記ＴＡ値及び／又は前記参照キャリアを取得し、すなわち、
前記端末は前記第１基地局が送信した設定情報を受信し、前記ＴＡ値及び／又は前記参照キャリアを取得し、又は
前記端末は前記第２基地局が送信した設定情報を受信し、前記ＴＡ値及び／又は前記参照キャリアを取得し、又は
前記端末は前記第１基地局及び前記第２基地局以外の１つの予めプロトコルにより定義された基地局が送信した設定情報を受信し、前記ＴＡ値及び／前記参照キャリアを取得し、又は、
前記端末は前記端末のプライマリーキャリアをスケジューリングする基地局が送信した設定情報を受信し、前記ＴＡ値及び／又は前記参照キャリアを取得し、又は、
前記端末は前記１つのアップリンクキャリアをスケジューリングする基地局が送信した設定情報を受信し、前記ＴＡ値及び／又は前記参照キャリアを取得し、又は、
前記端末は前記１つのアップリンクキャリアにおける物理アップリンク共有チャネル（ＰＵＳＣＨ）伝送及び／又はサウンディング参照符号（ＳＲＳ）伝送伝送及び／又はサウンディング参照符号（ＳＲＳ）伝送をスケジューリングする基地局が送信した設定情報を受信し、前記ＴＡ値及び／又は前記参照キャリアを取得し、又は、
前記端末は前記１つのアップリンクキャリアにおける現行アップリンクサフレーム、又は、現行サブフレームの近隣の１つのアップリンクサブフレームにおける物理アップリンク共有チャネル（ＰＵＳＣＨ）伝送及び／又はサウンディング参照符号（ＳＲＳ）伝送伝送及び／又はサウンディング参照符号（ＳＲＳ）伝送をスケジューリングする基地局が送信した設定情報を受信し、前記ＴＡ値及び／又は前記参照キャリアを取得する。
【００１６】
当該形態において、前記ＴＡ値は、
前記第１基地局に対応する、前記端末の第１ＴＡ値であり、又は、
前記第１基地局に対応する、前記端末の第１ＴＡ値に対し、目標基地局に対する補償を行って得られたＴＡ値であり、前記目標基地局は予めプロトコルにより定義又は設定された前記第１基地局以外の１つの基地局であり、又は、
前記第２基地局に対応する、前記端末の第２ＴＡ値であり、又は、
前記第２基地局に対応する、前記端末の第２ＴＡ値に対し、目標基地局に対する補償を行って得られたＴＡ値であり、前記目標基地局は予めプロトコルにより定義又は設定された前記第２基地局以外の１つの基地局であり、又は、
第１基地局及び第２基地局以外の１つの予め定義された基地局に対応する、端末のＴＡ値であり、又は
前記第１基地局及び前記第２基地局以外の１つの予め定義又は設定された基地局に対応する、前記端末のＴＡ値に対し、目標基地局に対する補償を行って得られたＴＡ値であり、そのうち、前記目標基地局は予めプロトコルにより定義又は設定された自身以外の１つの基地局であり、又は、
前記端末のダウンリンクプライマリーキャリアをスケジューリングする基地局に対応する、前記端末のＴＡ値であり、又は、
前記１つのアップリンクキャリアをスケジューリングする基地局に対応する、前記端末のＴＡ値であり、又は、
前記端末が前記１つのアップリンクキャリアにおける物理アップリンク共有チャネル（ＰＵＳＣＨ）伝送及び／又はサウンディング参照符号（ＳＲＳ）伝送に用いられるＴＡ値であり、又は、
前記端末が前記１つのアップリンクキャリアの現行アップリンクサフレーム、又は、現行サブフレームの近隣の１つのアップリンクサブフレームにおけるＰＵＳＣＨ伝送及び／又はＳＲＳ伝送に用いられるＴＡ値であり、又は、
前記端末のためにデータをスケジューリングする各基地局に対応する、前記端末ＴＡ値の平均値であり、前記平均値は前記各基地局により予め確定されて、前記各基地局の中の１つの基地局により前記端末に通知されるか、又は前記各基地局の中の１つの基地局により確定されて、前記基地局により前記端末及び前記各基地局の中のその他の基地局に通知し、又は、
前記端末のためにデータをスケジューリングする各基地局に対応する、前記端末のＴＡ値の中の１つのＴＡ値であり、当該ＴＡ値は前記各基地局により予めプロトコルにより定義されて、前記各基地局の中の１つの基地局により前記端末に通知されるか、又は前記各基地局の中の１つの基地局により予め確定されて、前記基地局により前記端末及び前記各基地局の中のその他の基地局に通知し、又は、
前記端末のためにデータをスケジューリングする各基地局対応する、前記端末ＴＡ値に対し既定の最適化形態を採用して得られた１つのＴＡ値であり、当該ＴＡ値は前記各基地局により既定の最適化形態を採用して予め確定されて、前記各基地局の中の１つの基地局により前記端末に通知されるか、又は前記各基地局の中の１つの基地局により既定の最適化形態を採用して予め確定されて、前記基地局により前記端末及び前記各基地局の中のその他の基地局に通知する。
【００１７】
当該形態において、前記参照キャリアは、
前記第１基地局によりスケジューリングされるダウンリンクキャリアの中の１つのダウンリンクキャリアであり、又は、
前記第２基地局によりスケジューリングされるダウンリンクキャリアの中の１つのダウンリンクキャリアであり、又は、
前記端末のダウンリンクプライマリーキャリアであり、又は、
前記１つのアップリンクキャリアとペアリング関係のある１つのダウンリンクキャリアであり、又は、
前記１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアであり、又は、
前記１つのアップリンクキャリアの現行アップリンクサフレーム、又は、現行サブフレームの近隣の１つのアップリンクサブフレームにおけるＰＵＳＣＨ伝送及び／又はＳＲＳ伝送をトリガーする基地局によりスケジューリングされるダウンリンクキャリアの中の１つのダウンリンクキャリアであり、又は、
前記端末のためにダウンリンクデータをスケジューリングする各基地局の中の前記第１基地局及び前記第２基地局以外のその他の基地局によりスケジューリングされるダウンリンクキャリアの中の１つのダウンリンクキャリアである。
【００１８】
もう1つの好ましい実施形態として、前記端末が前記ＴＡ値及び前記参照キャリアに基づいて、前記１つのアップリンクキャリアにおいて前記第１アップリンク制御情報を送信することは、
前記端末は前記端末のために予め設定された第１ＴＡ値を前記第１アップリンク制御情報を送信するＴＡ値にし、前記第１ＴＡ値は前記端末の、前記第１基地局に対するＴＡ値であり、前記第１基地局によりスケジューリングされるダウンリンクキャリアの中の１つのダウンリンクキャリア、又は前記端末のダウンリンクプライマリーキャリア、又は前記１つのアップリンクキャリアとペアリング関係のある１つのダウンリンクキャリアを前記端末のアップリンク送信時間を得るために用いられる参照キャリアにし、前記第１ＴＡ値及び前記参照キャリアに基づいて、前記第１アップリンク制御情報のアップリンク送信時間を確定し、さらに前記１つのアップリンクキャリアにおいて確定されたアップリンク送信時間に基づいて、前記第１アップリンク制御情報を送信する、ことを含み、
前記端末が前記ＴＡ値及び前記参照キャリアに基づいて、前記１つのアップリンクキャリアにおいて前記第２アップリンク制御情報を送信することは、
前記端末は当該端末のために予め設定された第２ＴＡ値を前記第２アップリンク制御情報を送信するＴＡ値にし、前記第２ＴＡ値は前記端末の第２基地局に対応するＴＡ値であり、さらに前記第２基地局によりスケジューリングされるダウンリンクキャリアの中の１つのダウンリンクキャリア、又は前記端末のダウンリンクプライマリーキャリア、又は前記１つのアップリンクキャリアとペアリング関係のある１つのダウンリンクキャリアを前記端末のアップリンク送信時間を得るために用いられる参照キャリアにし、前記第２ＴＡ値及び前記参照キャリアに基づいて、前記第２アップリンク制御情報のアップリンク送信時間を確定し、さらに前記１つのアップリンクキャリアにおいて確定されたアップリンク送信時間に基づいて、前記第２アップリンク制御情報を送信する、ことを含む。
【００１９】
より好ましくは、当該形態において、前記端末は異なるアップリンクサブフレームにおいて前記第１アップリンク制御情報及び前記第２アップリンク制御情報を送る必要がある。
【００２０】
上記２つの好ましい実施形態において、前記端末が前記第１ＴＡ値を取得することは、
前記端末は前記第１基地局により前記端末のために設定した第１ＴＡ値を取得し、前記第１ＴＡ値は、前記第１基地局が受信した、前記端末が前記１つのアップリンクキャリアにおいて送信した物理ランダムアクセスチャネル（ＰＲＡＣＨ）及び／又は測定信号に基づいて確定されたものであり、
又は、前記端末は前記第２基地局により前記端末のために設定した第１ＴＡ値を取得し、前記第１ＴＡ値は、前記第１基地局が、受信した前記端末が前記１つのアップリンクキャリアにおいて送信したＰＲＡＣＨ及び／又は測定信号に基づいて、確定されてから前記第２基地局に予め通知したものであり、又は前記第２基地局が、受信した前記端末が前記１つのアップリンクキャリアにおいて送信したＰＲＡＣＨ及び／又は測定信号に基づいて確定されたＴＡ値に対して、前記第１基地局に対する補償を行ってから得られたものであり、又は、前記端末は前記第１基地局及び前記第２基地局以外の１つの予め定義又は設定された基地局により前記端末のために設定した第１ＴＡ値を取得し、前記第１ＴＡ値は、前記第１基地局が、受信した前記端末が前記１つのアップリンクキャリアにおいて送信したＰＲＡＣＨ及び／又は測定信号に基づいて、確定された後に前記１つの予め定義又は設定された基地局に予め通知されたものであり、又は前記１つの予め定義又は設定された基地局が、受信した前記端末が前記１つのアップリンクキャリアにおいて送信したＰＲＡＣＨ及び／又は測定信号に基づいて確定されたＴＡ値に対して、前記第１基地局に対する補償を行って得られるものである、ことを含む。
【００２１】
上記２つの好ましい実施形態において、前記端末が前記第２ＴＡ値を取得することは、
前記端末は前記第２基地局により前記端末のために設定した第２ＴＡ値を取得し、前記第２ＴＡ値は前記第２基地局が、受信した前記端末が前記１つのアップリンクキャリアにおいて送信したＰＲＡＣＨ及び／又は測定信号に基づいて、確定されたものであり、
又は、前記端末は前記第１基地局により前記端末のために設定した第２ＴＡ値を取得し、前記第２ＴＡ値は前記第２基地局が、受信した前記端末が前記１つのアップリンクキャリアにおいて送信したＰＲＡＣＨ及び／又は測定信号に基づいて、確定されてから前記第１基地局に予め通知されたものであり、又は、前記第１基地局が、受信した前記端末が前記１つのアップリンクキャリアにおいて送信したＰＲＡＣＨ及び／又は測定信号に基づいて、確定されたＴＡ値に対し前記第２基地局に対する補償を行ってから得られたものであり、
又は、前記端末は前記第１基地局及び前記第２基地局以外の１つの予め定義又は設定された基地局により前記端末のために設定した第２ＴＡ値を取得し、前記第２ＴＡ値は前記第２基地局が、受信した前記端末が前記１つのアップリンクキャリアにおいて送信したＰＲＡＣＨ及び／又は測定信号に基づいて、確定されてから前記１つの予め定義又は設定された基地局に予め通知されたものであり、又は前記１つの予め定義された又は設定された基地局が、受信した前記端末が前記１つのアップリンクキャリアにおいて送信したＰＲＡＣＨ及び／又は測定信号に基づいて確定されたＴＡ値に対して、前記第２基地局に対する補償を行ってから得られたものである、ことを含む。
【００２２】
実施において、前記方法は、
前記第１基地局は自身と前記第２基地局との間の相対位置、周波数ビン特性及び送信遅延の中の少なくとも１つの情報に基づいて、前記第１基地局が、受信した前記端末が前記１つのアップリンクキャリアにおいて送信したＰＲＡＣＨ及び／又は測定信号に基づいて確定されたＴＡ値に対して、前記第２基地局に対する補償を行い、
及び／又は、
前記第２基地局は自身と前記第２基地局との間の相対位置、周波数ビン特性及び送信遅延の中の少なくとも１つの情報に基づいて、前記第２基地局が、受信した前記端末が前記１つのアップリンクキャリアにおいて送信したＰＲＡＣＨ及び／又は測定信号に基づいて確定されたＴＡ値に対して、前記第１基地局に対する補償を行い、
及び／又は、
前記予め定義又は設定された１つの基地局は自身と前記第１基地局又は前記第２基地局との間の相対位置、周波数ビン特性及び送信遅延の中の少なくとも１つの情報に基づいて、前記予め定義又は設定された１つの基地局が、受信した前記端末が前記１つのアップリンクキャリアにおいて送信したＰＲＡＣＨ及び／又は測定信号に基づいて確定されたＴＡ値に対して、前記第１基地局又は前記第２基地局に対する補償を行うこと、をさらに含む。
【００２３】
１番目の好ましい実施形態において、前記端末が前記１つのアップリンクキャリアにおいて前記アップリンク制御情報を送信することは、
前記端末は前記１つのアップリンクキャリアの同一のアップリンクサブフレームにおいて、同じＴＡ値を用い、前記アップリンク制御情報を載せるための複数のアップリンクチャネルを送信し、そのうち、異なる基地局によりスケジューリングされるダウンリンクキャリアに対応するアップリンク制御情報は異なるアップリンクチャネルに乗せられて伝送され、又は、
前記端末は前記１つのアップリンクキャリアの同一のアップリンクサブフレームにおいて、同じＴＡ値を用い、前記アップリンク制御情報を載せるための少なくとも１つのアップリンクチャネル及びその他の情報を載せるための少なくとも１つのアップリンクチャネル及び／又はＳＲＳを送信し、そのうち、異なる基地局によりスケジューリングされるダウンリンクキャリアに対応するアップリンク制御情報は同一のアップリンクチャネルに乗せられて伝送され、又はそれぞれ異なるアップリンクチャネルに乗せられて伝送される、ことを含み、
前記アップリンクチャネルは、物理アップリンク制御チャネル（ＰＵＣＣＨ）と、ＰＵＳＣＨとを含む。
【００２４】
２番目の好ましい実施形態において、前記端末が前記１つのアップリンクキャリアにおいて前記アップリンク制御情報を送信することは、
前記端末は前記１つのアップリンクキャリアにおける異なるアップリンクサブフレームにおいて、それぞれ異なるＴＡ値を用い異なる基地局によりスケジューリングされるダウンリンクキャリアに対応するアップリンク制御情報を送信する、ことを含み、
前記アップリンクチャネルは、物理アップリンク制御チャネル（ＰＵＣＣＨ）と、ＰＵＳＣＨとを含む。
【００２５】
本発明の実施例において、前記アップリンク制御情報は、肯定応答（ＡＣＫ）／否定応答（ＮＡＣＫ）フィードバック情報と、チャネル状態情報（ＣＳＩ）フィードバック情報と、スケジューリングリクエスト（ＳＲ）情報との中の少なくとも１つの情報を含み、
前記ＣＳＩフィードバック情報は、チャネル品質指示（ＣＱＩ）と、プリコーディングマトリックス指示（ＰＭＩ）と、ランク指示（ＲＩ）と、プリコーディングタイプ指示（ＰＴＩ）との中の少なくとも１つの情報を含む。
【００２６】
本発明の実施例において、前記第１基地局は主基地局（ＭｅＮＢ）であり、かつ前記第２基地局は補助基地局（ＳｅＮＢ）であり、又は、
前記第１基地局はＳｅＮＢであり、かつ前記第２基地局はＭｅＮＢであり、又は、
前記第１基地局はマクロセル基地局であり、かつ前記第２基地局はスモールセル基地局であり、又は、
前記第１基地局はスモールセル基地局であり、かつ前記第２基地局はマクロセル基地局であり、又は、
前記第１基地局はプライマリーキャリア（ＰＣＣ）を介して前記端末とデータ伝送する基地局であり、かつ前記第２基地局は少なくとも１つのセカンドリーキャリア（ＳＣＣ）を介して前記端末とデータ伝送する基地局である。
【００２７】
本発明の実施例において、前記１つのアップリンクキャリアは、
ネットワーク側が前記端末だけのために設定した、アップリンクデータを伝送するための１つのアップリンクキャリアであり、又は、ネットワーク側により前記端末のために設定した、アップリンクデータを伝送するための多数のアップリンクキャリアから、予め指定された又は予め設定された１つのアップリンクキャリアであり、又は、前記端末のアップリンクプライマリーキャリアである。
【００２８】
本発明の実施例は、アップリンク制御情報の受信方法を提供し、前記アップリンク制御情報の受信方法は、
第１基地局は第１キャリアにおいて端末のためにデータを送信し、そのうち、前記端末には少なくとも前記第１キャリア及び第２キャリアが設定され、前記第１キャリア上のデータは前記第一基地局によりスケジューリングされ、前記第２キャリア上のデータは第２基地局によりスケジューリングされるステップと、
前記第１基地局は前記端末がアップリンク制御情報の送信に用いるＴＡ値及び前記端末のアップリンク送信時間を得るために用いられる参照キャリアに基づいて、１つのアップリンクキャリアにおいて前記端末が送信したアップリンク制御情報を受信し、前記アップリンク制御情報は少なくとも端末が前記第１キャリアのために生成した第１アップリンク制御情報を含み、前記１つのアップリンクキャリアは前記端末のためにデータをスケジューリングする各基地局に対応するアップリンク制御情報を送信するために用いられるステップとを含む。
【００２９】
本発明の実施例によれば、端末のためにデータをスケジューリングする異なる基地局は、端末が当該端末のためにデータをスケジューリングする異なる基地局によりスケジューリングされるダウンリンクキャリアに対し生成したアップリンク制御情報を受信することができ、端末のコストを削減することを前提にアップリンク制御情報の適時なフィードバックを実現した。
【００３０】
実施において、前記第１基地局が前記ＴＡ値及び前記参照キャリアに基づいて、前記１つのアップリンクキャリアにおいて前記端末が送信したアップリンク制御情報を受信することは、
前記第１基地局は前記端末が前記アップリンク制御情報の送信に用いるＴＡ値及び前記端末のアップリンク送信時間を得るために用いられる参照キャリアを確定し、
前記第１基地局は前記ＴＡ値及び前記参照キャリアに基づいて、受信時間ウィンドウを確定し、
前記第１基地局は前記１つのアップリンクキャリアにおいて前記受信時間ウィンドウに基づいて前記アップリンク制御情報を受信することを含む。
【００３１】
実施において、前記第１基地局により前記端末が前記アップリンク制御情報の送信に用いるＴＡ値を確定することは、
前記第１基地局は受信された前記端末が前記１つのアップリンクキャリアにおいて送信した物理ランダムアクセスチャネル（ＰＲＡＣＨ）及び／又は測定信号に基づいて、前記ＴＡ値を確定し、又は、
前記第１基地局は受信された前記端末が前記１つのアップリンクキャリアにおいて送信したＰＲＡＣＨ及び／又は測定信号に基づいて確定したＴＡ値に対し、目標基地局に対する補償を行い、前記ＴＡ値を得、前記目標基地局は予めプロトコルにより定義又は設定された前記第１基地局以外の１つの基地局であり、又は、
前記第１基地局は前記端末のためにデータをスケジューリングする自身以外のいずれかの基地局が送信した情報を受信し、これらに基づいて前記ＴＡ値を取得し、前記ＴＡ値は前記その他の基地局により受信された前記端末が前記１つのアップリンクキャリアにおいて送信したＰＲＡＣＨ及び／又は測定信号に基づいて確定されたＴＡ値であり、又は、前記ＴＡ値は前記その他の基地局が、受信した前記端末が前記１つのアップリンクキャリアにおいて送信したＰＲＡＣＨ及び／又は測定信号に基づいて確定されたＴＡ値に対して、目標基地局に対する補償を行ってから得られたＴＡ値であり、前記目標基地局は予めプロトコルにより定義又は設定された自身及び前記第１基地局以外の１つの基地局であり、又は、前記ＴＡ値は前記その他の基地局により所定規則に基づいて確定されたＴＡ値であり、前記その他の基地局は少なくとも、前記第２基地局、前記端末のダウンリンクプライマリーキャリアをスケジューリングする基地局、前記１つのアップリンクキャリアをスケジューリングする基地局、前記１つのアップリンクキャリアにおける物理アップリンク共有チャネル（ＰＵＳＣＨ）伝送及び／又はサウンディング参照符号（ＳＲＳ）伝送をトリガーする基地局、及び前記１つのアップリンクキャリアの現行アップリンクサフレーム及び現行サブフレームの近隣の１つのアップリンクサブフレームにおけるＰＵＳＣＨ伝送及び／又はＳＲＳ伝送をトリガーする基地局を含み、又は、
前記第１基地局は所定規則に基づいて、前記ＴＡ値を確定する、ことを含み、
前記所定規則は、前記端末のためにデータをスケジューリングする各基地局に対応する、前記端末のＴＡ値の平均値を取得し、又は、前記端末のためにデータをスケジューリングする各基地局に対応する、前記端末のＴＡ値の中から１つのＴＡ値を予めプロトコルにより定義し、又は、前記端末のためにデータをスケジューリングする各基地局に対応する前記端末のＴＡ値から、既定の最適化形態を採用して１つのＴＡ値を得ることである。
【００３２】
さらに、前記方法は、
前記第１基地局は自身と対応の目標基地局との間の相対位置、周波数ビン特性及び送信遅延の中の少なくとも１つの情報に基づいて、前記第１基地局が受信した前記端末が前記１つのアップリンクキャリアにおいて送信したＰＲＡＣＨ及び／又は測定信号に基づいて確定されたＴＡ値に対し、当該目標基地局に対する補償を行い、
及び／又は、
前記その他の基地局は自身と対応の目標基地局との間の相対位置、周波数ビン特性及び送信遅延の中の少なくとも１つの情報に基づいて、前記その他の基地局が受信した前記端末が前記１つのアップリンクキャリアにおいて送信したＰＲＡＣＨ及び／又は測定信号に基づいて確定されたＴＡ値に対し、当該目標基地局に対する補償を行う、ことを含む。
【００３３】
好ましくては、前記第１基地局が前記１つのアップリンクキャリアにおいて前記端末が送信したアップリンク制御情報を受信する前に、
前記第１基地局は前記端末が前記アップリンク制御情報の送信に用いると確定したＴＡ値を、前記端末に通知し、及び／又は、
前記第１基地局は前記端末が前記アップリンク制御情報の送信に用いると確定したＴＡ値を、前記端末のためにデータをスケジューリングする自身以外のその他の基地局に通知する、ことをさらに含む。
【００３４】
実施において、前記参照キャリアは、
前記第１基地局によりスケジューリングされるダウンリンクキャリアの中の１つのダウンリンクキャリアであり、又は、
前記第２基地局によりスケジューリングされるダウンリンクキャリアの中の１つのダウンリンクキャリアであり、又は、
前記端末のダウンリンクプライマリーキャリアであり、又は、
前記１つのアップリンクキャリアとペアリング関係のある１つのダウンリンクキャリアであり、又は、
前記１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアであり、又は、
前記１つのアップリンクキャリアの現行アップリンクサフレーム又は現行サブフレームの近隣の１つアップリンクサブフレームにおけるＰＵＳＣＨ及び／又はＳＲＳ送信をトリガーする基地局によりスケジューリングされるダウンリンクキャリアの中の１つのダウンリンクキャリアであり、又は、
前記端末のためにダウンリンクデータをスケジューリングする各基地局において前記第１基地局及び前記第２基地局以外のその他の基地局によりスケジューリングされるダウンリンクキャリアの中の１つのダウンリンクキャリアである。
【００３５】
好ましくは、前記方法は、前記第１基地局が前記１つのアップリンクキャリアにおいて前記端末が送信したアップリンク制御情報を受信する前に、
前記第１基地局は前記端末のアップリンク制御情報の送信に用いられると確定した参照キャリアを、前記端末に通知し、及び／又は、
前記第１基地局は前記端末のアップリンク制御情報の送信に用いられると確定した参照キャリアを、前記端末のためにデータをスケジューリングする自身以外のその他の基地局に通知する、ことをさらに含む。
【００３６】
前記発明の実施例において、前記１つのアップリンクキャリアの同一のアップリンクサブフレームにおいて、前記第１基地局及び前記第２基地局はそれぞれ各自で確定した受信時間ウィンドウに基づいて、前記アップリンク制御情報を載せる同一のアップリンクチャネルを受信し、そのうち、前記アップリンク制御情報は少なくとも前記第１アップリンク制御情報及び前記第２アップリンク制御情報を含み、又は、
前記１つのアップリンクキャリアの同一のアップリンクサブフレームにおいて、前記第１基地局は自身が確定した受信時間ウィンドウに基づいて、前記第１アップリンク制御情報を載せる１つのアップリンクチャネルを受信し、前記第２基地局は自身が確定した受信時間ウィンドウに基づいて、前記第２アップリンク制御情報を載せる１つのアップリンクチャネルを受信し、そのうち、前記第１アップリンク制御情報を載せる前記１つのアップリンクチャネルと前記第２アップリンク制御情報を載せる前記１つのアップリンクチャネルとは異なり、又は、
前記１つのアップリンクキャリアの異なるアップリンクサブフレームにおいて、前記第１基地局は自身が確定した受信時間ウィンドウに基づいて、前記第１アップリンク制御情報を載せる１つのアップリンクチャネルを受信し、前記第２基地局は自身が確定した受信時間ウィンドウに基づいて、前記第２アップリンク制御情報を載せる１つのアップリンクチャネルを受信する。
【００３７】
本発明の実施例において、前記アップリンク制御情報は、肯定応答（ＡＣＫ）／否定応答（ＮＡＣＫ）フィードバック情報と、チャネル状態情報（ＣＳＩ）フィードバック情報と、スケジューリングリクエスト（ＳＲ）情報との中の少なくとも１つ又は複数の情報を含み、
前記ＣＳＩフィードバック情報は、チャネル品質指示（ＣＱＩ）と、プリコーディングマトリックス指示（ＰＭＩ）と、ランク指示（ＲＩ）と、プリコーディングタイプ指示（ＰＴＩ）との中の少なくとも１つ又は複数の情報を含む。
【００３８】
本発明の実施例において、前記第１基地局は主基地局であり、かつ前記第２基地局は補助基地局であり、又は、
前記第１基地局は補助基地局であり、かつ前記第２基地局は主基地局であり、又は、
前記第１基地局はマクロセル基地局であり、かつ前記第２基地局はスモールセル基地局であり、又は、
前記第１基地局はスモールセル基地局であり、かつ前記第２基地局はマクロセル基地局であり、又は、
前記第１基地局はプライマリーキャリア（ＰＣＣ）を介して前記端末とデータ伝送する基地局であり、かつ前記第２基地局は少なくとも１つのセカンドリーキャリア（ＳＣＣ）を介して前記端末とデータ伝送する基地局である。
【００３９】
本発明の実施例において、前記１つのアップリンクキャリアは、
ネットワーク側が前記端末のために設定した、アップリンクデータを伝送するための１つだけのアップリンクキャリアであり、又は、ネットワーク側により前記端末のために設定した、アップリンクデータを伝送するための多数のアップリンクキャリアから、予め指定又は設定された１つのアップリンクキャリアであり、又は、前記端末のアップリンクプライマリーキャリアである。
【００４０】
本発明の実施例は端末を提供し、前記端末は、
第１キャリアにおいてデータを受信しかつ第２キャリアにおいてデータを受信し、前記第１キャリアにおけるデータは第１基地局によりスケジューリングされ、前記第２キャリアにおけるデータは第２基地局によりスケジューリングされる、受信モジュールと、
前記第１キャリアのために第１アップリンク制御情報を生成し、及び／又は、前記第２キャリのために第２アップリンク制御情報を生成する、処理モジュールと、
予め設定されたタイミングアドバンス（ＴＡ）値及び予めプロトコルにより定義又は予め設定された前記端末のアップリンク送信時間を得るために用いられる参照キャリアに基づいて、１つのアップリンクキャリアにおいて前記処理モジュールが生成したアップリンク制御情報を送信する、送信モジュールと、を含み、
前記アップリンク制御情報は、前記第１アップリンク制御情報と、前記第２アップリンク制御情報との中の少なくとも１つの情報を含む。
【００４１】
１つの好ましい実施形態として、前記送信モジュールは、
予め設定されたタイミングアドバンス（ＴＡ）値及び予めプロトコルにより定義又は予め設定されたアップリンク送信時間を得るために用いられる参照キャリアに基づいて、アップリンク送信時間を確定し、なお前記送信モジュールをトリガーして前記１つのアップリンクキャリアにおいて前記アップリンク送信時間に基づいて、前記アプリンク制御情報を送信する。
【００４２】
当該形態において、前記送信モジュールは以下の方法により前記ＴＡ値及び／又は前記参照キャリアを取得し、すなわち、
前記第１基地局が送信した設定情報を受信し、前記ＴＡ値及び／又は前記参照キャリアを取得し、又は、
前記第２基地局が送信した設定情報を受信し、前記ＴＡ値及び／又は前記参照キャリアを取得し、又は、
前記第１基地局及び前記第２基地局以外の１つの予めプロトコルにより定義された基地局が送信した設定情報を受信し、前記ＴＡ値及び／又は前記参照キャリアを取得し、又は、
前記端末のプライマリーキャリアをスケジューリングする基地局が送信した設定情報を受信し、前記ＴＡ値及び／又は前記参照キャリアを取得し、又は、
前記１つのアップシンクキャリアをスケジューリングする基地局が送信した設定情報を受信し、前記ＴＡ値及び／又は前記参照キャリアを取得し、又は、
前記１つのアップシンクキャリアにおけるＰＵＳＣＨ伝送及び／又はＳＲＳ伝送をスケジューリングする基地局が送信した設定情報を受信し、前記ＴＡ値及び／又は前記参照キャリアを取得し、又は、
前記１つのアップリンクキャリアにおける現行アップリンクサフレーム、又は、現行サブフレームの近隣の１つのアップリンクサブフレームにおけるＰＵＳＣＨ伝送及び／又はＳＲＳ伝送をスケジューリングする基地局が送信した設定情報を受信し、前記ＴＡ値及び／又は前記参照キャリアを取得する。
【００４３】
当該形態において、前記ＴＡ値は、
前記第１基地局に対応する、前記端末の第１ＴＡ値であり、又は、
前記第１基地局に対応する、前記端末の第１ＴＡ値に対し、目標基地局に対する補償を行って得られたＴＡ値であり、そのうち、前記目標基地局は予めプロトコルにより定義又は設定された前記第１基地局以外の１つの基地局であり、又は、
前記第２基地局に対応する、前記端末の第２ＴＡ値であり、又は、
前記第２基地局に対応する、前記端末の第２ＴＡ値に対し、目標基地局に対する補償を行って得られたＴＡ値であり、そのうち、前記目標基地局は予めプロトコルにより定義又は設定された前記第２基地局以外の１つの基地局であり、又は、
前記第１基地局及び前記第２基地局以外の１つの予め定義された基地局に対応する、前記端末のＴＡ値であり、又は、
前記第１基地局及び前記第２基地局以外の１つの予め定義又は設定された基地局に対応する、前記端末のＴＡ値に対し、目標基地局に対する補償を行って得られたＴＡ値であり、そのうち、前記目標基地局は予めプロトコルにより定義又は設定された自身以外の１つの基地局であり、又は、
前記端末のダウンリンクプライマリーキャリアをスケジューリングする基地局に対応する、前記端末のＴＡ値であり、又は、
前記１つのアップリンクキャリアをスケジューリングする基地局に対応する、前記端末のＴＡ値であり、又は、
前記端末の前記１つのアップシンクキャリアにおけるＰＵＳＣＨ伝送及び／又はＳＲＳ伝送に用いられるＴＡ値であり、又は、
前記端末の前記１つのアップリンクキャリアにおける現行アップリンクサフレーム、又は、現行サブフレームの近隣の１つのアップリンクサブフレームにおけるＰＵＳＣＨ伝送及び／又はＳＲＳ伝送に用いられるＴＡ値であり、又は、
前記端末のためにデータをスケジューリングする各基地局に対応する、前記端末ＴＡ値の平均値であり、そのうち、前記平均値は前記各基地局により予め確定されて、前記各基地局の中の１つの基地局により前記端末に通知されるか、又は前記各基地局の中の１つの基地局により確定されて、前記基地局により前記端末及び前記各基地局の中のその他の基地局に通知し、又は、
前記端末のためにデータをスケジューリングする各基地局に対応する、前記端末のＴＡ値の中の１つのＴＡ値であり、そのうち、当該ＴＡ値は前記各基地局により予めプロトコルにより定義されて、前記各基地局の中の１つの基地局により前記端末に通知されるか、又は前記各基地局の中の１つの基地局により予め確定されて、前記基地局により前記端末及び前記各基地局の中のその他の基地局に通知し、又は、
前記端末のためにデータをスケジューリングする各基地局対応する、前記端末ＴＡ値に対し既定の最適化形態を採用して得られた１つのＴＡ値であり、そのうち、当該ＴＡ値は前記各基地局により既定の最適化形態を採用して予め確定されて、前記各基地局の中の１つの基地局により前記端末に通知されるか、又は前記各基地局の中の１つの基地局により既定の最適化形態を採用して予め確定されて、前記基地局により前記端末及び前記各基地局の中のその他の基地局に通知する。
【００４４】
当該形態において、前記参照キャリアは、
前記第１基地局によりスケジューリングされるダウンリンクキャリアの中の１つのダウンリンクキャリアであり、又は、
前記第２基地局によりスケジューリングされるダウンリンクキャリアの中の１つのダウンリンクキャリアであり、又は、
前記端末のダウンリンクプライマリーキャリアであり、又は、
前記１つのアップリンクキャリアとペアリング関係のある１つのダウンリンクキャリアであり、又は、
前記１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアであり、又は、
前記１つのアップリンクキャリアの現行アップリンクサフレーム、又は、現行サブフレームの近隣の１つのアップリンクサブフレームにおけるＰＵＳＣＨ伝送及び／又はＳＲＳ伝送をトリガーする基地局によりスケジューリングされるダウンリンクキャリアの中の１つのダウンリンクキャリアであり、又は、
前記端末のためにダウンリンクデータをスケジューリングする各基地局の中の前記第１基地局及び前記第２基地局以外のその他の基地局によりスケジューリングされるダウンリンクキャリアの中の１つのダウンリンクキャリアである。
【００４５】
当該形態において、前記送信モジュールは、
予め設定された第１ＴＡ値を前記第１アップリンク制御情報を送信するＴＡ値にし、前記第１ＴＡ値は前記端末の、前記第１基地局に対するＴＡ値であり、前記第１基地局によりスケジューリングされるダウンリンクキャリアの中の１つのダウンリンクキャリア、又は前記端末のダウンリンクプライマリーキャリア、又は前記１つのアップリンクキャリアとペアリング関係のある１つのダウンリンクキャリアを前記端末のアップリンク送信時間を得るために用いられる参照キャリアにし、前記第１ＴＡ値及び前記参照キャリアに基づいて、前記第１アップリンク制御情報のアップリンク送信時間を確定し、さらに前記１つのアップリンクキャリアにおいて確定されたアップリンク送信時間に基づいて、前記第１アップリンク制御情報を送信し、
予め設定された第２ＴＡ値を前記第２アップリンク制御情報を送信するＴＡ値にし、前記第２ＴＡ値は前記端末の前記第２基地局に対するＴＡ値であり、さらに前記第２基地局によりスケジューリングされるダウンリンクキャリアの中の１つのダウンリンクキャリア、又は前記端末のダウンリンクプライマリーキャリア、又は前記１つのアップリンクキャリアとペアリング関係のある１つのダウンリンクキャリアを前記端末のアップリンク送信時間を得るために用いられる参照キャリアにし、前記第２ＴＡ値及び前記参照キャリアに基づいて、前記第２アップリンク制御情報のアップリンク送信時間を確定し、さらに前記１つのアップリンクキャリアにおいて確定されたアップリンク送信時間に基づいて、前記第２アップリンク制御情報を送信する。
【００４６】
前記２つの好ましい形態において、
前記送信モジュールは下記のステップに基づき前記第１ＴＡ値を取得し、すなわち、
前記受信モジュールを介して前記第１基地局が前記端末のために設定した第１ＴＡ値を取得し、前記第１ＴＡ値は、前記第１基地局が受信した、前記端末が前記１つのアップリンクキャリアにおいて送信した物理ランダムアクセスチャネル（ＰＲＡＣＨ）及び／又は測定信号に基づいて確定されたものであり、
又は、前記受信モジュールにより前記第２基地局が前記端末のために設定した第１ＴＡ値を取得し、前記第１ＴＡ値は、前記第１基地局が、受信した前記端末が前記１つのアップリンクキャリアにおいて送信したＰＲＡＣＨ及び／又は測定信号に基づいて、確定されてから前記第２基地局に予め通知したものであり、又は前記第２基地局が、受信した前記端末が前記１つのアップリンクキャリアにおいて送信したＰＲＡＣＨ及び／又は測定信号に基づいて確定されたＴＡ値に対して、前記第１基地局に対する補償を行ってから得られたものであり、
又は、前記受信モジュールを介して前記第１基地局及び前記第２基地局以外の１つの予め定義又は設定された基地局が前記端末のために設定した第１ＴＡ値を取得し、前記第１ＴＡ値は、前記第１基地局が、受信した前記端末が前記１つのアップリンクキャリアにおいて送信したＰＲＡＣＨ及び／又は測定信号に基づいて、確定された後に前記１つの予め定義又は設定された基地局に予め通知されたものであり、又は前記１つの予め定義又は設定された基地局が、受信した前記端末が前記１つのアップリンクキャリアにおいて送信したＰＲＡＣＨ及び／又は測定信号に基づいて確定されたＴＡ値に対して、前記第１基地局に対する補償を行って得られるものである。
【００４７】
前記２つの好ましい形態において、前記送信モジュールは下記のステップに基づき前記第２ＴＡ値を取得し、すなわち、
前記受信モジュールを介して前記第２基地局が前記端末のために設定した第２ＴＡ値を取得し、前記第２ＴＡ値は前記第２基地局により受信された当該端末が前記１つのアップリンクキャリアにおいて送信したＰＲＡＣＨ及び／又は測定信号に基づいて確定されたものであり、
又は、前記受信モジュールを介して前記第１基地局が前記端末のために設定した第２ＴＡ値を取得し、前記第２ＴＡ値は前記第２基地局が、受信した前記端末が前記１つのアップリンクキャリアにおいて送信したＰＲＡＣＨ及び／又は測定信号に基づいて、確定されてから前記第１基地局に予め通知されたものであり、又は、前記第１基地局が、受信した前記端末が前記１つのアップリンクキャリアにおいて送信したＰＲＡＣＨ及び／又は測定信号に基づいて、確定されたＴＡ値に対し前記第２基地局に対する補償を行ってから得られたものであり、
又は、前記受信モジュールを介して前記第１基地局及び前記第２基地局以外の１つの予め定義又は設定された基地局が前記端末のために設定した第２ＴＡ値を取得し、前記第２ＴＡ値は前記第２基地局が、受信した前記端末が前記１つのアップリンクキャリアにおいて送信したＰＲＡＣＨ及び／又は測定信号に基づいて、確定されてから前記１つの予め定義又は設定された基地局に予め通知されたものであり、又は前記１つの予め定義された又は設定された基地局が、受信した前記端末が前記１つのアップリンクキャリアにおいて送信したＰＲＡＣＨ及び／又は測定信号に基づいて確定されたＴＡ値に対して、前記第２基地局に対する補償を行ってから得られたものである。
【００４８】
もう１つの好ましい実施形態として、前記送信モジュールは、
前記１つのアップリンクキャリアの同一のアップリンクサブフレームにおいて、同じＴＡ値を用い、前記アップリンク制御情報を載せるための複数のアップリンクチャネルを送信し、異なる基地局によりスケジューリングされるダウンリンクキャリアに対応するアップリンク制御情報は異なるアップリンクチャネルに乗せられて伝送され、又は、
前記１つのアップリンクキャリアの同一のアップリンクサブフレームにおいて、同じＴＡ値を用い、前記アップリンク制御情報を載せるための１つのアップリンクチャネル及びその他の情報を載せるための少なくとも１つのアップリンクチャネル及び／又はＳＲＳを送信し、異なる基地局によりスケジューリングされるダウンリンクキャリアに対応するアップリンク制御情報は同一のアップリンクチャネルに乗せられて伝送され、又はそれぞれ異なるアップリンクチャネルに乗せられて伝送され、又は、
前記１つのアップリンクキャリアにおける異なるアップリンクサブフレームにおいて、それぞれ異なるＴＡ値を用い異なる基地局によりスケジューリングされるダウンリンクキャリアに対応するアップリンク制御情報を送信し、
前記アップリンクチャネルは、物理アップリンク制御チャネル（ＰＵＣＣＨ）と、ＰＵＳＣＨとを含む。
【００４９】
本発明の実施例はさらに端末を提供し、前記端末は、送受信機、及び送受信機に接続される少なくとも１つのプロセッサーを含み、
前記送受信機は第１キャリアにおけるデータの受信及び第２キャリアにおけるデータの受信のために設定され、第１キャリアのデータは第１基地局によりスケジューリングされ、第２キャリアのデータは第２基地局によりスケジューリングされ、
前記プロセッサーは第１キャリアに対し第１アップリンク制御情報を生成し、及び／又は、第２キャリアに対し第２アップリンク制御情報を生成し、かつ予め設定されたＴＡ値及び予めプロトコルにより定義又は設定された本端末のアップリンク送信時間を得るために用いられる参照キャリアに基づいて、当該送受信機をトリガーして１つのアップリンクキャリアにおいて当該プロセッサーにより生成されたアップリンク制御情報を送信し、当該アップリンク制御情報は第１アップリンク制御情報及び第２アップリンク制御情報の中の少なくとも１つの情報を含む。
【００５０】
本発明の実施例では、本端末がアップリンク制御情報を送信する際に用いる１つのアップリンクキャリアは、
ネットワーク側が当該端末だけのために設定したアップリンクデータ送信用の１つのアップリンクキャリアであり、又は、ネットワーク側から当該端末のために設定した、アップリンクデータを伝送するための複数のアップリンクキャリアにおいて、予め指定又は予め設定された１つのアップリンクキャリアであり、又は、本端末のアップリンクプライマリーキャリアである。
【００５１】
好ましい実現形態として、プロセッサーはさらに下記のために設定される、すなわち、
予め設定されたタイミングアドバンスＴＡ値及び予めプロトコルにより定義又は予め設定されたアップリンク送信時間を得るために用いられる参照キャリアに基づいて、アップリンク送信時間を確定し、かつ当該１つのアップリンクキャリアにおいて確定されたアップリンク送信時間に基づいて、アップリンク制御情報を送信するように送受信機をトリガーする。
【００５２】
当該形態において、プロセッサーは以下の方法に基づきＴＡ値及び／又は参照キャリアを取得するように設定され、すなわち、
第１基地局が送信した設定情報を受信し、ＴＡ値及び／又は参照キャリアを取得し、又は、
第２基地局が送信した設定情報を受信し、ＴＡ値及び／又は参照キャリアを取得し、又は、
第１基地局及び第２基地局以外の１つの予めプロトコルにより定義された基地局が送信した設定情報を受信し、ＴＡ値及び／又は参照キャリアを取得し、又は、
本端末のプライマリーキャリアをスケジューリングする基地局が送信した設定情報を受信し、ＴＡ値及び／又は参照キャリアを取得し、又は、
当該１つのアップリンクキャリアをスケジューリングする基地局が送信した設定情報を受信し、ＴＡ値及び／又は参照キャリアを取得し、又は、
当該１つのアップリンクキャリアにおけるＰＵＳＣＨ伝送及び／又はＳＲＳ伝送をスケジューリングする基地局が送信した設定情報を受信し、ＴＡ値及び／又は参照キャリアを取得し、又は、
当該１つのアップリンクキャリアにおける現行アップリンクサフレーム、又は、現行サブフレームの近隣の１つのアップリンクサブフレームにおけるＰＵＳＣＨ伝送及び／又はＳＲＳ伝送をスケジューリングする基地局が送信した設定情報を受信し、ＴＡ値及び／又は参照キャリアを取得する。
【００５３】
当該形態において、プロセッサーが確定したＴＡ値は、
第１基地局に対応する本端末の第１ＴＡ値であり、又は、
第１基地局に対応する、本端末の第１ＴＡ値に対し、目標基地局に対する補償を行って得られたＴＡ値であり、当該目標基地局は予めプロトコルにより定義又は設定された第１基地局以外の１つの基地局であり、又は、
第２基地局に対応する、本端末の第２ＴＡ値であり、又は、
第２基地局に対応する、本端末の第２ＴＡ値に対し、目標基地局に対する補償を行って得られたＴＡ値であり、当該目標基地局は予めプロトコルにより定義又は設定された第２基地局以外の１つの基地局であり、又は、
第１基地局及び第２基地局以外の１つ予め定義された基地局に対応する、本端末のＴＡ値であり、又は、
第１基地局及び第２基地局以外の１つの予め定義又は設定された基地局に対応する、本端末のＴＡ値に対し、目標基地局に対する補償を行って得られたＴＡ値であり、当該目標基地局は予めプロトコルにより定義又は設定された自身以外の１つの基地局であり、又は、
本端末のダウンリンクプライマリーキャリアをスケジューリングする基地局に対応する、本端末のＴＡ値であり、又は、
当該１つのアップリンクキャリアをスケジューリングする基地局に対応する、本端末のＴＡ値であり、又は、
本端末が当該１つのアップリンクキャリアにおけるＰＵＳＣＨ伝送及び／又はＳＲＳ伝送に用いられるＴＡ値であり、又は、
本端末が当該１つのアップリンクキャリアの現行アップリンクサフレーム、又は、現行サブフレームの近隣の１つのアップリンクサブフレームにおけるＰＵＳＣＨ伝送及び／又はＳＲＳ伝送に用いられるＴＡ値であり、又は、
本端末のためにデータをスケジューリングする各基地局に対応する、本端末のＴＡ値の平均値であり、当該平均値は当該各基地局により予め確定されさらに当該各基地局の中の１つの基地局により端末に通知し、又は当該各基地局の中の１つの基地局により確定されて、前記基地局により本端末及び当該各基地局の中のその他の基地局に通知し、又は、
本端末のためにデータをスケジューリングする各基地局に対応する、本端末のＴＡ値の中の１つのＴＡ値であり、当該ＴＡ値は当該各基地局により予めプロトコルにより定義されさらに当該各基地局の中の１つの基地局により本端末に通知し、又は当該各基地局の中の１つの基地局により予め確定されて、前記基地局により本端末及び当該各基地局の中のその他の基地局に通知し、又は、
本端末のためにデータをスケジューリングする各基地局に対応する、本端末のＴＡ値は既定の最適化形態を採用して得られた１つのＴＡ値であり、当該ＴＡ値は当該各基地局により既定の最適化形態を採用して予め確定されさらに当該各基地局の中の１つの基地局により本端末に通知し、又は当該各基地局の中の１つの基地局により既定の最適化形態を採用して予め確定されて、前記基地局により本端末及び当該各基地局の中のその他の基地局に通知する。
【００５４】
当該形態において、プロセッサーが確定した参照キャリアは、
第１基地局によりスケジューリングされるダウンリンクキャリアの中の１つのダウンリンクキャリアであり、又は、
第２基地局によりスケジューリングされるダウンリンクキャリアの中の１つのダウンリンクキャリアであり、又は、
本端末のダウンリンクプライマリーキャリアであり、又は、
当該１つのアップリンクキャリアとペアリング関係のある１つのダウンリンクキャリアであり、又は、
当該１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアであり、又は、
当該１つのアップリンクキャリアの現行アップリンクサフレーム、又は、現行サブフレームの近隣の１つのアップリンクサブフレームにおけるＰＵＳＣＨ伝送及び／又はＳＲＳ伝送をトリガーする基地局によりスケジューリングされるダウンリンクキャリアの中の１つのダウンリンクキャリアであり、又は、
本端末のためにダウンリンクデータをスケジューリングする各基地局の中の第１基地局及び第２基地局以外のその他の基地局によりスケジューリングされるダウンキャリアの中の１つのダウンリンクキャリアである。
【００５５】
もう１つの好ましい実現形態として、プロセッサーは下記のために設定され、すなわち、
予め設定された第１ＴＡ値を第１アップリンク制御情報送信用のＴＡ値にし、第１ＴＡ値は本端末が第１基地局に対したＴＡ値であり、かつ第１基地局によりスケジューリングされるダウンリンクキャリアの中の１つのダウンリンクキャリア、又は本端末のダウンリンクプライマリーキャリア、又は当該１つのアップリンクキャリアとペアリング関係のある１つのダウンリンクキャリアをアップリンク送信時間を得るために用いられる参照キャリアにし、当該第１ＴＡ値及び当該参照キャリアに基づいて、当該第１アップリンク制御情報のアップリンク送信時間を確定し、さらに当該１つのアップリンクキャリアにおいて確定されたアップリンク送信時間に基づいて、第１アップリンク制御情報を送信するように送受信機をトリガーし、
予め設定された第２ＴＡ値を第２アップリンク制御情報送信用のＴＡ値にし、第２ＴＡ値は本端末が第２基地局に対したＴＡ値であり、かつ第２基地局によりスケジューリングされるダウンリンクキャリアの中の１つのダウンリンクキャリア、又は本端末のダウンリンクプライマリーキャリア、又は当該１つのアップリンクキャリアとペアリング関係のある１つのダウンリンクキャリアをアップリンク送信時間を得るために用いられる参照キャリアにし、当該第２ＴＡ値及び当該参照キャリアに基づいて、第２アップリンク制御情報のアップリンク送信時間を確定し、さらに当該１つのアップリンクキャリアにおいて確定されたアップリンク送信時間に基づいて、第２アップリンク制御情報を送信するように送受信機をトリガーする。
【００５６】
上記２つの好ましい実現形態において、プロセッサーは以下のステップに基づき第１ＴＡ値を取得するように設定され、
送受信機を通して第１基地局により本端末のために設定した第１ＴＡ値を取得し、当該第１ＴＡ値は第１基地局により受信された本端末が当該１つのアップリンクキャリアにおいて送信した物理ランダムアクセルチャネルＰＲＡＣＨ及び／又は測定信号に基づいて確定されたものであり、又は、
送受信機を通して第２基地局により本端末のために設定した第１ＴＡ値を取得し、当該第１ＴＡ値は第１基地局により受信された本端末が当該１つのアップリンクキャリアにおいて送信したＰＲＡＣＨ及び／又は測定信号に基づいて確定されてから第２基地局に予め通知されたものであり、又は第２基地局により受信された本端末が当該１つのアップリンクキャリアにおいて送信したＰＲＡＣＨ及び／又は測定信号に基づいて確定されたＴＡ値に対し第１基地局に対する補償を行ってから得られたものであり、又は、
送受信機を通して第１基地局及び第２基地局以外の１つの予め定義又は設定された基地局により本端末のために設定した第１ＴＡ値を取得し、第１ＴＡ値は第１基地局により受信された本端末が当該１つのアップリンクキャリアにおいて送信したＰＲＡＣＨ及び／又は測定信号に基づいて確定されてから１つの予め定義又は設定された基地局に予め通知されたものであり、又は１つの予め定義又は設定された基地局により受信された端末が当該１つのアップリンクキャリアにおいて送信したＰＲＡＣＨ及び／又は測定信号に基づいて確定されたＴＡ値に対し第１基地局に対する補償を行ってから得られたものである。
【００５７】
上記２つの好ましい実現形態において、プロセッサーは以下のステップに基づき第２ＴＡ値を取得するよう設定され、すなわち、
送受信機を通して第２基地局により本端末のために設定した第２ＴＡ値を取得し、第２ＴＡ値は第２基地局により受信された本端末が当該１つのアップリンクキャリアにおいて送信したＰＲＡＣＨ及び／又は測定信号に基づいて確定されたものであり、又は、
送受信機を通して第１基地局により当該端末のために設定した第２ＴＡ値を取得し、第２ＴＡ値は第２基地局により受信された本端末が当該１つのアップリンクキャリアにおいて送信したＰＲＡＣＨ及び／又は測定信号に基づいて確定されてから第１基地局に予め通知されたものであり、又は第１基地局により受信された本端末が当該１つのアップリンクキャリアにおいて送信したＰＲＡＣＨ及び／又は測定信号に基づいて確定されたＴＡ値に対し第２基地局に対する補償を行ってから得られたものであり、又は、
送受信機を通して第１基地局及び第２基地局以外の１つの予め定義又は設定された基地局により端末のために設定した第２ＴＡ値を取得し、第２ＴＡ値は第２基地局により受信された端末が当該１つのアップリンクキャリアにおいて送信したＰＲＡＣＨ及び／又は測定信号に基づいて確定されてから１つの予め定義又は設定された基地局に予め通知されたものであり、又は１つの予め定義又は設定された基地局により受信された端末が当該１つのアップリンクキャリアにおいて送信したＰＲＡＣＨ及び／又は測定信号に基づいて確定されたＴＡ値に対し第２基地局に対する補償を行ってから得られたものである。
【００５８】
１番目の好ましい実現形態に対し、プロセッサーは以下の通りに用いられるために設定され、すなわち、
送受信機をトリガーして当該１つのアップリンクキャリアの同一のアップリンクサブフレームにおいて、同じＴＡ値を用い、プロセッサーが生成したアップリンク制御情報を載せるための複数のアップリンクチャネルを送信し、又は、
送受信機をトリガーして当該１つのアップリンクキャリアの同一のアップリンクサブフレームにおいて、同じＴＡ値を用い、プロセッサーが生成したアップリンク制御情報を載せるための１つのアップリンクチャネル及びその他の情報を載せるための少なくとも１つのアップリンクチャネル及び／又はＳＲＳを送信し、異なる基地局によりスケジューリングされるダウンリンクキャリアに対応するアップリンク制御情報は同一のアップリンクチャネルに乗せられて伝送され、又はそれぞれ異なるアップリンクチャネルに乗せられて伝送され、
前記アップリンクチャネルはＰＵＣＣＨ及びＰＵＳＣＨを含む。
【００５９】
２番目の好ましい実現形態に対し、プロセッサーは以下の通りに用いられるために設定され、すなわち、  
送受信機をトリガーして当該１つのアップリンクキャリアの異なるアップリンクサブフレームにおいて、それぞれ異なるＴＡ値を用い、異なる基地局によりスケジューリングされるダウンリンクキャリアに対応するアップリンク制御情報を送信し、前記アップリンクチャネルはＰＵＣＣＨ及びＰＵＳＣＨを含む。
【００６０】
本発明の実施例が提供する端末は１つだけのアップリンクキャリアにおいて当該端末のためにデータをスケジューリングする異なる基地局によりスケジューリングされるダウンリンクキャリアに対応するアップリンク制御情報を送信することができ、端末のコストを削減することを前提にアップリンク制御情報の適時なフィードバックを実現した。
【００６１】
本発明の実施例は基地局を提供し、当該基地局は、
第１キャリアにおいて端末のためにデータを送信し、前記端末には少なくとも前記第１キャリア及び第２キャリアが設定され、前記第１キャリアのデータは前記基地局によりスケジューリングされ、前記第２キャリアのデータは前記基地局と異なる第２基地局によりスケジューリングされる、データ送信モジュールと、
前記端末が前記アップリンク制御情報を送信する際用いるＴＡ値及び前記端末のアップリンク送信時間を得るために用いられる参照キャリアに基づいて、１つのアップリンクキャリアにおいて前記端末が送信したアップリンク制御情報を受信し、前記アップリンク制御情報は少なくとも前記端末が前記第１キャリアのために生成した第１アップリンク制御情報を含み、前記１つのアップリンクキャリアは前記端末のためにデータをスケジューリングする各基地局に対応するアップリンク制御情報を送信するために用いられる、処理モジュールと、を含む。
【００６２】
実施において、前記処理モジュールは、
前記端末の前記アップリンク制御情報送信に用いられるＴＡ値及び前記端末のアップリンク送信時間を得るために用いられる参照キャリアを確定し、前記ＴＡ値及び前記参照キャリアに基づいて、受信時間ウィンドウを確定し、かつ前記１つのアップリンクキャリアにおいて確定された前記受信時間ウィンドウに基づいて前記アップリンク制御情報を受信する。
【００６３】
実施において、前記処理モジュールは下記のステップに基づき前記端末の前記アップリンク制御情報送信に用いられるＴＡ値を確定し、すわなち、
前記端末が前記１つのアップリンクキャリアにおいて送信した物理ランダムアクセスチャネル（ＰＲＡＣＨ）及び／又は測定信号を受信し、これらに基づいて前記ＴＡ値を確定し、又は、
前記端末が前記１つのアップリンクキャリアにおいて送信したＰＲＡＣＨ及び／又は測定信号を受信し、これらに基づいて確定されたＴＡ値に対し、目標基地局に対する補償を行ってから、前記ＴＡ値を得、前記目標基地局は予めプロトコルにより定義又は設定された前記基地局以外の１つの基地局であり、又は、
前記端末のためにデータをスケジューリングする自身以外のいずれかの基地局が送信した情報を受信し、これに基づいて前記ＴＡ値を取得し、前記ＴＡ値は前記その他の基地局により受信された前記端末が前記１つのアップリンクキャリアにおいて送信したＰＲＡＣＨ及び／又は測定信号に基づいて確定されたＴＡ値であり、又は、前記ＴＡ値は前記その他の基地局が、受信した前記端末が前記１つのアップリンクキャリアにおいて送信したＰＲＡＣＨ及び／又は測定信号に基づいて確定されたＴＡ値に対して、目標基地局に対する補償を行ってから得られたＴＡ値であり、前記目標基地局は自身及び前記基地局以外の予めプロトコルにより定義又は設定された１つの基地局であり、又は、前記ＴＡ値は前記その他の基地局により所定規則に基づいて確定されたＴＡ値であり、前記その他の基地局は少なくとも、第２キャリアにおけるデータをスケジューリングする基地局、前記端末のダウンリンクプライマリーキャリアをスケジューリングする基地局、前記１つのアップリンクキャリアをスケジューリングする基地局、前記１つのアップリンクキャリアにおけるＰＵＳＣＨ伝送及び／又はＳＲＳ伝送をトリガーする基地局、及び前記１つのアップリンクキャリアの現行アップリンクサフレーム及び現行サブフレームの近隣の１つのアップリンクサブフレームにおけるＰＵＳＣＨ伝送及び／又はＳＲＳ伝送をトリガーする基地局を含み、
又は、所定規則に基づいて前記ＴＡ値を確定し、
前記所定規則は、前記端末のためにデータをスケジューリングする各基地局に対応する、前記端末のＴＡ値の平均値を取得し、又は前記端末のためにデータをスケジューリングする各基地局に対応する、前記端末のＴＡ値の中から１つのＴＡ値を予めプロトコルにより定義し、又は、前記端末のためにデータをスケジューリングする各基地局に対応する前記端末のＴＡ値から、既定の最適化形態を採用して１つのＴＡ値を得る規則である。
【００６４】
さらに、前記処理モジュールは、
対応の目標基地局との間の相対位置、周波数ビン特性及び送信遅延の中の少なくとも１つの情報に基づいて、自身のＴＡ値に対し補償を行う。
【００６５】
好ましくは、前記データ送信モジュールは、
前記処理モジュールにより確定された前記端末の前記アップリンク制御情報の送信に用いられるＴＡ値を、前記端末に通知し、及び／又は、
前記処理モジュールにより確定された前記端末の前記アップリンク制御情報の送信に用いられるＴＡ値を、前記端末のためにデータをスケジューリングする自身以外のその他の基地局に通知する。
【００６６】
実施において、前記参照キャリアは、
前記基地局によりスケジューリングされるダウンリンクキャリアの中の１つのダウンリンクキャリアであり、又は、
前記第２基地局によりスケジューリングされるダウンリンクキャリアの中の１つのダウンリンクキャリアであり、又は、
前記端末のダウンリンクプライマリーキャリアであり、又は、
前記１つのアップリンクキャリアとペアリング関係のある１つのダウンリンクキャリアであり、又は、
前記１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアであり、又は、
前記１つのアップリンクキャリアの現行アップリンクサフレーム、又は、現行サブフレームの近隣の１つのアップリンクサブフレームにおけるＰＵＳＣＨ伝送及び／又はＳＲＳ伝送をトリガーする基地局によりスケジューリングされるダウンリンクキャリアの中の１つのダウンリンクキャリアであり、又は、
前記端末のためにダウンリンクデータをスケジューリングする各基地局の中の前記基地局及び前記第２基地局以外のその他の基地局によりスケジューリングされるダウンリンクキャリアの中の１つのダウンリンクキャリアである。
【００６７】
好ましくは、前記データ送信モジュールは、さらに、
前記処理モジュールにより確定された前記端末の前記アップリンク制御情報の送信に用いられる参照キャリアを、前記端末に通知し、及び／又は、
前記処理モジュールにより確定された前記端末の前記アップリンク制御情報の送信に用いられる参照キャリアを、前記端末のためにデータをスケジューリングする自身以外のその他の基地局に通知する。
【００６８】
本発明の実施例は、異なる基地局をさらに提供し、基地局は送受信機、及び送受信機に接続された少なくとも１つのプロセッサーを含み、
前記送受信機は、第１キャリアにおいて端末にデータを送信するために設定され、端末には第１キャリア及び第２キャリアが設定され、第１キャリアのデータは当該基地局によりスケジューリングされ、第２キャリアのデータは当該基地局と異なる第２基地局によりスケジューリングされ、
前記プロセッサーは端末のアップリンク制御情報送信に用いられるＴＡ値及び端末のアップリンク送信時間を得るために用いられる参照キャリアに基づいて、当該送受信機をトリガーして１つのアップリンクキャリアにおいて端末が送信したアップリンク制御情報を受信し、当該アップリンク制御情報は少なくとも端末が第１キャリアのために生成した第１アップリンク制御情報を含み、当該１つのアップリンクキャリアは端末のためにデータをスケジューリングする各基地局に対応するアップリンク制御情報の送信に用いられる。
【００６９】
実施において、プロセッサーは以下の通りに用いられるために設定され、すなわち、
端末のアップリンク制御情報の送信に用いられるＴＡ値及び端末のアップリンク送信時間を得るための参照キャリアを確定し、確定されたＴＡ値及び参照キャリアに基づいて、受信時間ウィンドウを確定し、なお送受信機をトリガーして当該１つのアップリンクキャリアにおいて確定された受信時間ウィンドウに基づいてアップリンク制御情報を受信する。
【００７０】
本発明の実施例において、プロセッサーは以下のステップに基づいて端末のアップリンク制御情報の送信に用いられるＴＡ値を確定するよう設定され、すなわち、
プロセッサーはは、
端末が当該１つのアップリンクキャリアにおいて送信したＰＲＡＣＨ及び／又は測定信号を受信し、これらに基づいて、端末のアップリンク制御情報の送信に用いられるＴＡ値を確定し、又は、
端末が当該１つのアップリンクキャリアにおいて送信したＰＲＡＣＨ及び／又は測定信号を受信し、これらに基づいて確定されたＴＡ値に対し、目標基地局に対する補償を行ってから、端末のアップリンク制御情報の送信に用いられるＴＡ値を確定し、当該目標基地局は予めプロトコルにより定義又は設定された本基地局以外の１つの基地局であり、又は、
端末のためにデータをスケジューリングする自身以外のいずれかの基地局が送信した情報を受信し、これらに基づいて端末のアップリンク制御情報の送信に用いられるＴＡ値を取得し、当該ＴＡ値はその他の基地局により受信された端末が当該１つのアップリンクキャリアにおいて送信したＰＲＡＣＨ及び／又は測定信号に基づいて確定されたＴＡ値であり、又は、当該ＴＡ値はその他の基地局により受信された端末が当該１つのアップリンクキャリアにおいて送信したＰＲＡＣＨ及び／又は測定信号に基づいて確定されたＴＡ値に対し目標基地局に対する補償を行ってから得られたＴＡ値であり、当該目標基地局は予めプロトコルにより定義又は設定された自身及び本基地局以外の１つの基地局であり、又は、当該ＴＡ値はその他の基地局により所定規則に基づいて確定されたＴＡ値であり、当該その他の基地局は少なくとも、第２キャリアのデータをスケジューリングする基地局、端末のダウンリンクプライマリーキャリアをスケジューリングする基地局、当該１つのアップリンクキャリアをスケジューリングする基地局、当該１つのアップリンクキャリアにおけるＰＵＳＣＨ伝送及び／又はＳＲＳ伝送をトリガーする基地局、及び当該１つのアップリンクキャリアの現行アップリンクサフレーム及び現行サブフレームの近隣の１つのアップリンクサブフレームにおけるＰＵＳＣＨ送信／及びＳＲＳ送信をトリガーする基地局を含み、又は
所定規則に基づいて端末のアップリンク制御情報の送信に用いられるＴＡ値を確定し、
前記所定規則は、当該端末のためにデータをスケジューリングする各基地局に対応する、端末のＴＡ値の平均値を取得し、又は当該端末のためにデータをスケジューリングする各基地局に対応する、端末のＴＡ値の中から１つのＴＡ値を予めプロトコルにより定義し、又は、当該端末のためにデータをスケジューリングする各基地局に対応する、端末のＴＡ値に対し既定の最適化形態を採用して１つのＴＡ値を得る。
【００７１】
好ましくは、プロセッサーは以下のように用いられるために設定され、すなわち、
対応の目標基地局との間の相対位置、周波数ビン特性及び送信遅延の中の少なくとも１つの情報に基づいて、自身のＴＡ値に対し補償を行う。
【００７２】
好ましくは、送受信機はさらに以下の通りに用いられるように設定され、すなわち、
プロセッサーにより確定された端末のアップリンク制御情報の送信に用いられるＴＡ値を、当該端末に通知し、及び／又は、
プロセッサーにより確定された端末のアップリンク制御情報の送信に用いられるＴＡ値を、自身以外の当該端末のためにデータをスケジューリングするその他の基地局に通知する。
【００７３】
本発明の実施例において、プロセッサーにより確定された端末のアップリンク制御情報の送信に用いられる参照キャリアは、
当該基地局によりスケジューリングされるダウンリンクキャリアの中の１つのダウンリンクキャリアであり、又は、
第２基地局によりスケジューリングされるダウンリンクキャリアの中の１つのダウンリンクキャリアであり、又は、
端末のダウンリンクプライマリーキャリアであり、又は、
当該１つのアップリンクキャリアとペアリング関係のある１つのダウンリンクキャリアであり、又は、
当該１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアであり、又は、
当該１つのアップリンクキャリアの現行アップリンクサフレーム又は現行サブフレームの近隣の１つアップリンクサブフレームにおけるＰＵＳＣＨ及び／又はＳＲＳ送信をトリガーする基地局によりスケジューリングされるダウンリンクキャリアの中の１つのダウンリンクキャリアであり、又は、
端末のためにダウンリンクデータをスケジューリングする各基地局の中の本基地局及び第２基地局以外のその他の基地局によりスケジューリングされるダウンリンクキャリアの中の１つのダウンリンクキャリアである。
好ましくは、送受信機はさらに以下の通りに用いられるように設定され、すなわち、
プロセッサーにより確定された端末のアップリンク制御情報送信用の参照キャリアを、当該端末に通知し、及び／又は、
プロセッサーにより確定された端末のアップリンク制御情報送信用の参照キャリアを、当該端末のためにデータをスケジューリングする自身以外のその他の基地局に通知する。
【図面の簡単な説明】
【００７４】
【図１】背景技術においてデュアル接続シーンでの第１の端末データスケジューリング及び送信方法を示す図である。
【図２】背景技術においてデュアル接続シーンでの第２の端末データスケジューリング及び送信方法を示す図である。
【図３】背景技術においてデュアル接続シーンでの第３の端末データスケジューリング及び送信方法を示す図である。
【図４】本発明の実施例に係るアップリンク制御情報及び送信方法を示す図である。
【図５】本発明の実施例に係るアップリンク制御情報及び受信方法を示す図である。
【図６】本発明の実施例に係る端末を示す図である。
【図７】本発明の実施例に係る基地局を示す図である。
【発明を実施するための形態】
【００７５】
無線電波の複雑度及びコストを考慮し、端末はアップリンクにて単一セル／シングルキャリアの送信のみを行う場合もあり、本発明の実施例はデュアル接続シーンにおいて、端末が一つのアップリンクキャリアにおいて当該端末のデータをスケジューリングする基地局に対応するアップリンク制御情報を複数個送信する方法を提供することで、端末が一つのアップリンクキャリアのみにおいて異なる基地局によりスケジューリングされるダウンリンクキャリアに対応するアップリンク制御情報を送信することを確保する。それによって、端末のコストを削減することを前提に、デュアル接続シーンにおいて端末が各基地局に対して直ちにアップリンク制御情報をフィードバックすることを実現する。
本発明の実施例において、本発明の技術案を説明するために、「第１」、「第２」などの文言を用い、端末データをスケジューリングする異なる基地局を区別し、また異なる基地局によりスケジューリングされるダウンリンクキャリアを区別する。ただし基地局、ダウンリンクキャリアの数量及び操作の優先順位に対しては制限しない。
【００７６】
例えば、第１基地局が端末の主基地局（ＭｅＮＢ）であれば、第２基地局は当該端末の１つの補助基地局（ＳｅＮＢ）を表すことができ、当該端末のすべての補助基地局を表すこともできる。
【００７７】
本発明の実施例において、第１基地局及び第２基地局は、以下で詳細に説明する。
第１基地局は主基地局ＭｅＮＢであり、かつ第２基地局は補助基地局ＳｅＮＢであり、又は、
第１基地局はＳｅＮＢであり、かつ第２基地局はＭｅＮＢであり、又は、
第１基地局はマクロセル基地局であり、かつ第２基地局はスモールセル基地局であり、又は、
第１基地局はスモールセル基地局であり、かつ第２基地局はマクロセル基地局であり、又は、
第１基地局はプライマリーキャリア（Ｐｒｉｍａｒｙ  Ｃｏｍｐｏｎｅｎｔ  Ｃａｒｒｉｅｒ，ＰＣＣ）を介して当該端末とデータ伝送する基地局であり、かつ第２基地局は少なくとも１つのセカンドリーキャリア（Ｓｅｃｏｎｄａｒｙ  Ｃｏｍｐｏｎｅｒｔ  Ｃａｒｒｉｅｒ，ＳＣＣ）を介して当該端末とデータ伝送する基地局である。
【００７８】
説明すべきは、第一基地局は端末のデータをスケジューリングする少なくとも１つの基地局を含み、第２基地局は第１基地局と異なる基地局であり、かつ第２基地局は端末のデータをスケジューリングする少なくとも１つの基地局を含む。
【００７９】
本発明の実施例において、第１キャリアは第１基地局により当該端末のためにスケジューリングされるダウンリンクキャリアを示し、当該第一キャリアは第１基地局によりスケジューリングされるすべてのダウンリンクキャリア集合を示すことができ、第１基地局によりスケジューリングされる一部のダウンリンクキャリア集合を示すこともでき、又第１基地局によりスケジューリングされる任意１つのダンクリンクキャリアを示すこともでき、第２キャリアは第２基地局により当該端末のためにスケジューリングされるダウンリンクキャリアを示し、当該第２キャリアは第２基地局によりスケジューリングされるすべてのダウンリンクキャリア集合を示すことができ、第２基地局によりスケジューリングされる一部のダウンリンクキャリア集合を示すこともでき、又第２基地局によりスケジューリングされる任意１つのダウンリンクキャリアを示すこともできる。
【００８０】
ここで、第１キャリアと第２キャリアは同じ周波数ビンを用いることができ、異なる周波数ビンを用いることもできる。
【００８１】
本発明の実施例において、アップリンク制御情報は以下の情報のうち、少なくともいずれか１つを含み、ただしこれだけに限らない。
【００８２】
すなわち、肯定応答（Ａｃｋｎｏｗｌｅｄｇｅｍｅｎｔ，ＡＣＫ）／否定応答（Ｎｅｇａｔｉｖｅ  Ａｃｋｎｏｗｌｅｄｇａｍｅｎｔ，ＮＡＣＫ）フィードバック情報、チャネル状態情報（Ｃｈａｎｎｅｌ  Ｓｔａｔｅ  Ｉｎｆｏｒｍａｔｉｏｎ，ＣＳＩ）フィードバック情報、スケジューリングリクエスト（Ｓｃｈｅｄｕｌｉｎｇ  Ｒｅｑｕｅｓｔ，ＳＲ）情報のうちの、少なくともいずれか１つである。
【００８３】
ＣＳＩフィードバック情報は以下情報のうち、少なくともいずれか１つを含み、ただしこれだけに限らない。
【００８４】
チャネル品質指示（Ｃｈａｎｎｅｌ  Ｑｕａｌｉｔｙ  Ｉｎｄｉｃａｔｏｒ，ＣＱＩ）、プリコーディングマトリックス指示（Ｐｒｅｃｏｄｉｎｇ  Ｍａｔｒｉｘ  Ｉｎｄｉｃａｔｏｒ，ＰＭＩ）、ランク指示（Ｒａｎｋ  Ｉｎｄｉｃａｔｉｏｎ，ＲＩ）、プリコーディングタイプ指示（Ｐｒｅｃｏｄｉｎｇ  Ｔｙｐｅ  Ｉｎｄｉｃａｔｏｒ，ＰＴＩ）のうちの、少なくともいずれか１つである。
【００８５】
本発明の実施例において、第１アップリンク制御情報とは端末が第一キャリアに対して生成するアップリンク制御情報を示し、第２アップリンク制御情報とは端末が第２キャリアに対して生成するアップリンク制御情報を示す。
【００８６】
参照図４に示すように、本発明の実施例に係るアップリンク制御情報の送信方法において、当該方法はデュアル接続シーンにて用いられ、当該方法はステップ４１と、ステップ４２と、ステップ４３とを含む。
【００８７】
ステップ４１において、端末は第１キャリアにてデータを受信し、かつ第２キャリアにてデータを受信する。第１キャリア上のデータは第一基地局によりスケジューリングされ、第２キャリア上のデータは第２基地局によりスケジューリングされる。
【００８８】
本ステップにおいて、端末が第１キャリアにて受信するデータと第２キャリアにて受信するデータの実行順序に対して制限はないものとする。
【００８９】
本ステップにおいて、端末が第１キャリアにてデータを受信することは２つの結果を含む。１つは第１キャリアにて第１基地局によりスケジューリングされるデータを受信し、もう１つは第一キャリアにていかなるデータも受信していない。
【００９０】
同様に、端末が第２キャリアにてデータを受信することも２つの結果を含む。１つは第２キャリアにて第２基地局によりスケジューリングされるデータを受信し、もう１つは第２キャリアにていかなるデータも受信していない。
【００９１】
ステップ４２において、端末は第１キャリアに対して第１アップリンク制御情報を生成し、及び／又は、端末は第２キャリアに対して第２アップリンク制御情報を生成する。
【００９２】
本ステップにおいて、端末が第１キャリアに対して第１アップリンク制御情報を生成するということは、端末が第１キャリアに対して当該第１キャリアに対応するアップリンク制御情報を生成することであり、端末が第２キャリアに対して第２アップリンク制御情報を生成するということは、端末が第２キャリアに対して当該第２キャリアに対応するアップリンク制御情報を生成することである。
【００９３】
本ステップにおいて、もし端末が当該アップリンクキャリアにおける同一のアップリンクサブフレーム中の同一のアップリンクチャネルにおいて当該端末が生成するアップリンク制御情報を送信すれば、端末が第１キャリア及び第２キャリアにてデータを受信するか否かを問わず、当該端末は第１キャリアに対して第１アップリンク制御情報を生成すべき、かつ、第２キャリアに対して第２アップリンク制御情報を生成すべきである。
また、当該端末が第１キャリア又は第２キャリアにおいていかなるデータも受信していない場合には、ＮＡＣＫ／不連続送信（Ｄｉｓｃｏｎｔｉｎｕｏｕｓ  Ｔｒａｎｓｍｉｓｓｉｏｎ，ＤＴＸ）（その他の当該ダウンリンクにてデータ受信がされていない旨の指示情報を用いても良い）を用いて当該第１キャリア又は当該第２キャリアに対応するアップリンク制御情報にする。
【００９４】
さもないと、すなわち端末が当該アップリンクにおける異なるアップリンクチャネルにて当該端末が生成するアップリンク制御情報を送信すれば、当該端末は現行アップリンクサプフレームにてアップリンク制御情報を送信すべくダウンリンクキャリアだけに対応してアップリンク制御情報を生成する。以下で、具体的に説明する。
【００９５】
もし送信するアップリンク制御情報においてＡＣＫ／ＮＡＣＫフィードバック情報が含まれていれば、すなわち、もし当該端末が第１キャリアにおける現行アップリンクサフレームにてフィードバックする必要のあるダウンリンクサブフレームのみにてデータを受信していれば、当該端末は現行アップリンクサフレームにおいて第１アップリンク制御情報のみを生成し、かつ第２キャリアに対して第２アップリンク制御情報を生成しない。
もし当該端末が第２キャリアにおける現行アップリンクサフレームにてフィードバックする必要のあるダウンリンクサブフレームのみにてデータを受信していれば、当該端末は現行アップリンクサフレームにて第２アップリンク制御情報のみを生成し、かつ第１キャリアに対して第１アップリンク制御情報を生成しない。
もし当該端末が第１キャリアと第２キャリアにおける現行アップリンクサフレームにてフィードバックする必要のあるダウンリンクサブフレームにてデータを受信していれば、当該端末は現行アップリンクサフレームにて第１アップリンク制御情報及び第２アップリンク制御情報を生成する。
【００９６】
もし送信するアップリンク制御情報においてＣＳＩフィードバック情報が含まれていれば、すなわち、もし現行アップリンクサフレームが第１キャリアに対応する周期ＣＳＩフィードバックサブフレームだけであれば，当該端末は現行アップリンクサフレームにおいて第１アップリンク制御情報のみを生成し、かつ第２キャリアに対して第２アップリンク制御情報を生成しない。
もし現行アップリンクサフレームが第２キャリアに対応する周期ＣＳＩフィードバックサブフレームだけであれば、当該端末は現行アップリンクサフレームにおいて第２アップリンク制御情報のみを生成し、かつ第１キャリアに対して第１アップリンク制御情報を生成しない。
もし現行アップリンクサフレームが同時に第１キャリア及び第２キャリアに対応する周期ＣＳＩフィードバックサブフレームであれば、当該端末は現行アップリンクサフレームにおいて第１アップリンク制御情報及び第２アップリンク制御情報を生成する。
【００９７】
ステップ４３において、端末は予め設定されたＴＡ値及び予めプロトコルにより定義又は予め設定された当該端末のアップリンク送信時間を得るための参照キャリアにより、１つのアップリンクキャリアにおいて当該端末が生成したアップリンク制御情報を送信し、当該アップリンク制御情報は第１アップリンク制御情報と第２アップリンク制御情報のうちの少なくとも１つの情報を含む。
【００９８】
具体的には、もしステップ４２において端末が第１キャリアのみに対して第１アップリンク制御情報のみを生成していれば、本ステップにおいて、端末は当該１つのアップリンクキャリアにおいて１つの予めプロトコルにより定義又は設定された第１アップリンク制御情報を送信するためのアップリンクチャネルにて第１アップリンク制御情報のみを送信する。
もしステップ４２において端末が第２キャリアのみに対して第２アップリンク制御情報を生成していれば、本ステップにおいて、端末は当該１つのアップリンクキャリアにおいて１つの予めプロトコルにより定義又は設定された第２アップリンク制御情報を送信するためのアップリンクチャネルにて第２アップリンク制御情報のみを送信する。
もしステップ４２において端末がそれぞれ第１キャリアと第２キャリアに対して第１アップリンク制御情報と第２アップリンク制御情報を生成していれば、本ステップにおいて、端末は当該１つのアップリンクキャリアにおいて１つの予めプロトコルにより定義又は設定された第１アップリンク制御情報を送信するためのアップリンクチャネルにて当該第１アップリンク制御情報のみを送信し、なお１つの予めプロトコルにより定義又は設定された第２アップリンク制御情報を送信するためのアップリンクチャネルにて第２アップリンク制御情報のみを送信する。
【００９９】
本発明の実施例において、端末は第１基地局によりスケジューリングされる第１キャリアにてデータを受信し、なお第２基地局によりスケジューリングされる第２キャリアにてデータを受信し、端末は第１キャリアに対して第１アップリンク制御情報を生成し、及び／又は、端末は第２キャリアに対して第２アップリンク制御情報を生成し、なお端末は１つのアップリンクキャリアにて当該端末により生成されたアップリンク制御情報を送信する。それにより端末は１つのアップリンクキャリアのみにて異なる基地局によりスケジューリングされたダウンリンクキャリアに対応するアップリンク制御情報を送信可能であることを確保し、端末のコストを削減することを前提に正常で適時なアップリンク制御情報のフィードバックを実現する。
【０１００】
本発明の実施例において、ステップ４３における１つのアップリンクキャリアは当該端末のためにデータをスケジューリングする各基地局に対応するアップリンク制御情報を送信するために用いられる。
【０１０１】
具体的には、ステップ４３における１つのアップリンクキャリアは、ネットワーク側が当該端末だけのために設定した、アップリンクデータを伝送するための１つのアップリンクキャリアであり、又は、ネットワーク側から当該端末のために設定された、アップリンクデータを送信するための多数のアップリンクキャリアにおいて、予め指定された又は予め設定された１つのアップリンクキャリア、又は、当該端末のアップリンクプライマリーキャリアである。
【０１０２】
説明すべきは、当該端末のためにアップリンクデータ送信用のアップリンクキャリアを設定するネットワーク側設備は、第１基地局であって良く、第１基地局以外のその他の基地局であっても良く、さらに基地局以外のネットワーク側設備であっても良い。
【０１０３】
実施において、ステップ４３において、端末は当該１つのアップリンクキャリアにて当該端末が生成したアップリンク制御情報を送信することは、具体的には以下の２つの好ましい実現形態を含む。
【０１０４】
形態Ａ
端末は以下のステップにより１つのアップリンクキャリアにて当該端末が生成したアップリンク制御情報を送信する。
【０１０５】
端末は予め設定されるタイミングアドバンス（Ｔｉｍｉｎｇ  Ａｄｖａｎｃｅ、ＴＡ）値及び予めプロトコルにより定義される又は予め設定された当該端末のアップリンク送信時間を得るための参照キャリアに基づいて、アップリンク送信時間を確定する。  
【０１０６】
また、端末は当該１つのアップリンクキャリアにて上記確定されたアップリンク送信時間に基づいて、当該端末が生成したアップリンク制御情報を送信する。
【０１０７】
当該形態Ａにおいて、端末がアップリンク制御情報を送信するために用いるＴＡ値は当該端末のために予め設定したものである。ここで、第１基地局、第２基地局又は当該端末のためにデータをスケジューリングするその他の基地局により、ＴＡ値を当該端末のために予め設定すれば良い、端末がアップリンク制御情報を送信するために用いる参照キャリアは当該端末のために予め設定したものであって良く、端末と当該端末のためにデータをスケジューリングする各基地局との間で予めプロトコルにより定義したものであっても良く、そのうち、第１基地局、第２基地局又は当該端末のためにデータをスケジューリングするその他の基地局により、参照キャリアを当該端末のために予め設定すれば良い。
【０１０８】
実施において、形態Ａでは、端末は以下の方法によりアップリンク制御情報を送信するために用いるＴＡ値及び／又は参照キャリアを取得する。
【０１０９】
端末は第１基地局の送信した設定情報を受信し、当該ＴＡ値及び／又は参照キャリアを取得する。
【０１１０】
又は、端末は第２基地局の送信した設定情報を受信し、当該ＴＡ値及び／又は参照キャリアを取得する。
【０１１１】
又は、端末は第１基地局及び第２基地局以外の予めプロトコルにより定義された基地局の送信した設定情報を受信し、当該ＴＡ値及び／又は参照キャリアを取得する。
【０１１２】
又は、端末は旨のプライマリーキャリアをスケジューリングする基地局の送信した設定情報を受信し、当該ＴＡ値及び／又は参照キャリアを取得する。
【０１１３】
又は、端末は当該１つのアップリンクキャリアをスケジューリングする基地局の送信した設定情報を受信し、当該ＴＡ値及び／又は参照キャリアを取得する。
【０１１４】
又は、端末は当該１つのアップリンクキャリアにおける物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）送信及び／又はサウンディング参照符号（Ｓｏｕｎｄｉｎｇ  Ｒｅｆｅｒｅｎｃｅ  Ｓｙｍｂｏｌ、ＳＲＳ）送信をスケジューリングする基地局の送信した設定情報を受信し、当該ＴＡ値及び／又は参照キャリアを取得する。
【０１１５】
端末は当該１つのアップリンクキャリアの現行アップリンクサフレーム、又は、現行サブフレームの近隣の１つのアップリンクサブフレームにおけるＰＵＳＣＨ送信／ＳＲＳ送信をスケジューリングする基地局の送信した設定情報を受信し、当該ＴＡ値及び／又は参照キャリアを取得する。
【０１１６】
さらに、形態Ａでは、端末の当該１つのアップリンクキャリアにてアップリンク制御情報を送信する際用いるＴＡ値及び参照キャリアは、以下の５つの好ましい形態を含む。
【０１１７】
形態Ａ１
端末の当該１つのアップリンクキャリアにてアップリンク制御情報を送信する際用いるＴＡ値は具体的には以下のいずれかのＴＡ値である。
【０１１８】
１、端末が当該端末のダウンリンクプライマリーキャリアをスケジューリングする基地局に対するＴＡ値である。
【０１１９】
好ましくは、当該ＴＡ値は当該端末のダウンリンクプライマリーキャリアをスケジューリングする基地局により、受信された当該端末が当該１つのアップリンクキャリアにおいて送信した物理ランダムアクセルチャネル（Ｐｈｙｓｉｃａｌ  Ｒａｎｄｏｍ  Ａｃｃｅｓｓ  ＣＨａｎｎｅｌ、ＰＲＡＣＨ）及び／又は測定信号（たとえばＳＲＳ）に基づいて確定する。
【０１２０】
２、端末が当該１つのアップリンクキャリアをスケジューリングする基地局に対するＴＡ値である。
【０１２１】
好ましくは、当該ＴＡ値は当該１つのアップリンクキャリアをスケジューリングする基地局により、受信された当該端末が当該１つのアップリンクキャリアにおいて送信したＰＲＡＣＨ及び／又は測定信号（例えばＳＲＳ）に基づいて確定する。
【０１２２】
３、当該端末が当該１つのアップリンクキャリアの物理アップリンク共有チャネル（Ｐｈｙｓｉｃａｌ  Ｕｐｌｉｎｋ  Ｓｈａｒｅｄ  ＣＨａｎｎｅｌ、ＰＵＳＣＨ）送信及び／又はサウンディング参照信号（Ｓｏｕｎｄｉｎｇ  Ｒｅｆｅｒｅｎｃｅ  Ｓｙｍｂｏｌ、ＳＲＳ）送信に用いるＴＡ値であり、
【０１２３】
ここで、当該ＰＵＳＣＨ及び／又はＳＲＳは第１基地局によりトリガーされれば良く、又は第２基地局によりトリガーされれば良く又は第１基地局及び第２基地局と異なるその他の基地局によりトリガーされれば良い。
【０１２４】
４、当該端末が当該１つのアップリンクキャリアの現行アップリンクサフレーム、又は、現行サブフレームの近隣の１つのアップリンクサブフレームにおけるＰＵＳＣＨ伝送及び／又はＳＲＳ伝送に用いるＴＡ値である。
【０１２５】
ここで、当該ＰＵＳＣＨ及び／又はＳＲＳは第１基地局によりトリガーされれば良く、又は第２基地局によりトリガーされれば良く、又は第１基地局及び第２基地局と異なるその他の基地局によりトリガーされれば良い。
【０１２６】
５、当該端末が当該端末のためにデータをスケジューリングする各基地局に対するＴＡ値の平均値である。
【０１２７】
ここで、当該平均値が当該端末のためにデータをスケジューリングする各基地局により予め確定されて、当該各基地局の中の１つの基地局により当該端末に通知し、又は、当該平均値が当該端末のためにデータをスケジューリングする各基地局の中の１つの基地局により確定されて、前記基地局により端末及びその他の基地局に通知する。
【０１２８】
６、当該端末のためにデータをスケジューリングする各基地局に対応する、当該端末のＴＡ値の中の１つのＴＡ値、
【０１２９】
当該ＴＡ値は当該端末のためにデータをスケジューリングする各基地局の間で予めプロトコルにより定義されさらに当該各基地局の中の１つの基地局により当該端末に通知し、又は、当該端末のためにデータをスケジューリングする基地局の中の１つの基地局により予め確定されて、前記基地局により端末及びその他の基地局に通知する。
【０１３０】
７、当該端末のためにデータをスケジューリングする基地局に対応する、当該端末のＴＡ値は既定の最適化形態を採用して得られた１つのＴＡ値である。
【０１３１】
当該ＴＡ値は当該端末のためにデータをスケジューリングする各基地局により既定の最適化形態を採用して予め確定されて、前記基地局の中の１つの基地局により当該端末に通知し、又は、当該端末のためにデータをスケジューリングする各基地局の中の１つの基地局により既定の最適化形態を採用して予め確定されて、前記基地局により当該端末及びその他の基地局に通知する。
【０１３２】
また、当該端末の当該１つのアップリンクキャリアにてアップリンク制御情報を送信する際用いる参照キャリアは具体的に下記のいずれかのキャリアである。
【０１３３】
１、当該端末のダウンリンクプライマリーキャリアである。
【０１３４】
２、当該１つのアップリンクキャリアのＰＵＳＣＨ伝送及び／又はＳＲＳ伝送をトリガーする基地局によりスケジューリングされる１つのダウンリンクキャリアである。
【０１３５】
３、当該１つのアップリンクキャリアの現行アップリンクサフレーム、又は、現行サブフレームの近隣の１つのアップリンクサブフレームにおけるＰＵＳＣＨ伝送及び／又はＳＲＳ伝送をトリガーする基地局によりスケジューリングされる１つのダウンリンクキャリアである。
【０１３６】
４、当該端末のためにダウンリンクデータをスケジューリングするいずれかの基地局によりスケジューリングされる１つのダウンリンクキャリアである。
当該端末のためにダウンリンクデータをスケジューリングする当該基地局は、少なくとも第１基地局及び第２基地局を含み、具体的に、当該参照キャリアは第１基地局によりスケジューリングされる１つのダウンリンクキャリアであっても良く、第２基地局によりスケジューリングされる１つのキャリアであっても良く、さらに第１基地局及び第２基地局によりスケジューリングされるダウンリンクキャリアと異なるダウンリンクキャリアであっても良く、さらに第１キャリア及び第２キャリアと異なるダウンリンクキャリアであっても良い。
【０１３７】
当該形態Ａ１では、前記ＴＡ値及び前記参照キャリアを任意で組み合わせることができ、端末によりアップリンクデータを送信する際用いるＴＡ値及び参照キャリアに対する端末側及び基地局側の理解が一致することさえ保証すれば良い。
【０１３８】
形態Ａ２
端末の当該１つのアップリンクキャリアにてアップリンク制御情報を送信する際用いるＴＡ値及び参照キャリアは具体的には以下の通りである。
【０１３９】
端末は、第１基地局（その他の基地局により端末のために予め設定しても良い）により当該端末のために予め設定された第１ＴＡ値をアップリンク制御情報を送信する際用いるＴＡ値（本発明の実施例において、第１ＴＡ値は第１基地局に対応する、端末のＴＡ値である）にし、さらに第１基地局によりスケジューリングされるダウンリンクキャリアの中の１つのダウンリンクキャリア、又は第２基地局によりスケジューリングされるダウンリンクキャリアの中の１つのダウンリンクキャリア、又は端末のダウンリンクプライマリーキャリア、又は当該１つのアップリンクキャリアとペアリング関係のあるダウンリンクキャリアを、参照キャリアにする。
【０１４０】
当該形態Ａ２では、端末は第１基地局によりスケジューリングされるダウンリンクキャリアの中の１つのダウンリンクキャリアを参照キャリアにしても良く、第２基地局によりスケジューリングされるダウンリンクキャリアの中の１つのダウンリンクキャリアを参照キャリアにしても良く、さらに端末のダウンリンクプライマリーキャリアを参照キャリアにしても良く、さらに当該１つのアップリンクキャリアとペアリング関係のあるダウンリンクキャリアを参照キャリアにしても良い。
【０１４１】
当該形態Ａ２では、第１ＴＡ値は、第１基地局により当該端末が当該１つのアップリンクキャリアにおいて送信したＰＲＡＣＨ及び／又は測定信号（例えばＳＲＳ）を受信することに基づいて確定されたＴＡ値である。
【０１４２】
さらに、第１基地局が当該第１ＴＡ値を確定した後、高位層シグナリングを通して当該第１ＴＡ値を当該端末に通知する。
【０１４３】
好ましくは、高位層シグナリングはラジオリソース制御（Ｒａｄｉｏ  Ｒｅｓｏｕｒｃｅ  Ｃｏｎｔｒｏｌ、ＲＲＣ）シグナリング又はメディアアクセス制御（Ｍｅｄｉａ  Ａｃｃｅｓｓ  Ｃｏｎｔｒｏｌ、ＭＡＣ）シグナリングでも良い。
【０１４４】
形態Ａ３
端末の当該１つのアップリンクキャリアにてアップリンク制御情報を送信する際用いるＴＡ値及び参照キャリアは具体的には下記通りである。
【０１４５】
端末は、第１基地局（その他の基地局により端末のために予め設定しても良い）により当該端末のために予め設定された第２ＴＡ値を、アップリンク制御情報を送信する際用いるＴＡ値（本発明の実施例において、第２ＴＡ値は第２基地局に対応する、端末のＴＡ値である）にし、さらに第１基地局によりスケジューリングされるダウンリンクキャリアの中の１つのダウンリンクキャリア（例えば第１キャリア）、又は第２基地局によりスケジューリングされるダウンリンクキャリアの中の１つのダウンリンクキャリア（例えば第２キャリアである）、又は端末のダウンリンクプライマリーキャリア、又は当該１つのアップリンクキャリアとペアリング関係のあるダウンリンクキャリアを参照キャリアにする。
【０１４６】
当該形態Ａ３では、端末は、第１基地局によりスケジューリングされるダウンリンクキャリアの中の１つのダウンリンクキャリアを参照キャリアにしても良く、第２基地局によりスケジューリングされるダウンリンクキャリアの中の１つのダウンリンクキャリアを参照キャリアにしても良く、さらに端末のダウンリンクプライマリーキャリアを参照キャリアにしても良く、さらに当該１つのアップリンクキャリアとペアリング関係のあるダウンリンクキャリアを参照キャリアにしても良い。
【０１４７】
当該形態Ａ３では、第２ＴＡ値は、第１基地局により当該端末が１つのアップリンクキャリアにおいて送信したＰＲＡＣＨ及び／又は測定信号（例えばＳＲＳ）を受信することに基づいて確定されたＴＡ値であり、さらに第１基地局に通知する。
【０１４８】
又は、第２ＴＡ値は、第１基地局により当該端末が１つのアップリンクキャリアにおいて送信したＰＲＡＣＨ及び／又は測定信号（例えばＳＲＳ）を受信することに基づいて確定されたＴＡ値であり、第２基地局に対し補償を行って得られたＴＡ値である。
【０１４９】
さらに、第１基地局が第２ＴＡ値を確定した後、高位層シグナリングを通して当該第２ＴＡ値を端末に通知する。そのうち、高位層シグナリングはＲＲＣシグナリング又はＭＡＣシグナリングでも良い。
【０１５０】
形態Ａ４
端末の当該１つのアップリンクキャリアにてアップリンク制御情報を送信する際用いるＴＡ値及び参照キャリアは具体的には下記通りである。
【０１５１】
端末は、第２基地局（その他の基地局により端末のために予め設定しても良い）により当該端末のために予め設定された第２ＴＡ値をアップリンク制御情報を送信する際用いるＴＡ値（本発明の実施例において、第２ＴＡ値は第２基地局に対応する、端末のＴＡ値である）にし、さらに第１基地局によりスケジューリングされるダウンリンクキャリアの中の１つのダウンリンクキャリア（例えば第１キャリア）、又は第２基地局によりスケジューリングされるダウンリンクキャリアの中の１つのダウンリンクキャリア（例えば第２キャリア）、又は端末のダウンリンクプライマリーキャリア、又は当該１つのアップリンクキャリアとペアリング関係のあるダウンリンクキャリアを参照キャリアにする。
【０１５２】
当該形態Ａ４では、端末は、第１基地局によりスケジューリングされるダウンリンクキャリアの中の１つのダウンリンクキャリアを参照キャリアにしても良く、第２基地局によりスケジューリングされるダウンリンクキャリアの中の１つのダウンリンクキャリアを参照キャリアにしても良く、さらに端末のダウンリンクプライマリーキャリアを参照キャリアにしても良く、さらに当該１つのアップリンクキャリアとペアリング関係のあるダウンリンクキャリアを参照キャリアにしても良い。
【０１５３】
当該形態Ａ４では、第２ＴＡ値は第２基地局により当該端末が１つのアップリンクキャリアにおいて送信したＰＲＡＣＨ及び／又は測定信号（例えばＳＲＳ）を受信することに基づいて確定されたＴＡ値である。
【０１５４】
さらに、第２基地局が第２ＴＡ値を確定した後、高位層シグナリングを通して第２ＴＡ値を端末に通知する。ここで、高位層シグナリングはＲＲＣシグナリング又はＭＡＣシグナリングでも良い。
【０１５５】
形態Ａ５
端末の当該１つのアップリンクキャリアにてアップリンク制御情報を送信する際用いるＴＡ値及び参照キャリアは具体的には下記通りである。
【０１５６】
端末は、第２基地局（その他の基地局により端末のために予め設定しても良い）により当該端末のために予め設定された第１ＴＡ値をアップリンク制御情報を送信する際用いるＴＡ値（本発明の実施例において、第１ＴＡ値は第１基地局に対応する、端末のＴＡ値である）にし、さらに第１基地局によりスケジューリングされるダウンリンクキャリアの中の１つのダウンリンクキャリア（例えば第１キャリア）、又は第２基地局によりスケジューリングされるダウンリンクキャリアの中の１つのダウンリンクキャリア（例えば第２キャリア）、又は端末のダウンリンクプライマリーキャリア、又は当該１つのアップリンクキャリアとペアリング関係のあるダウンリンクキャリアを参照キャリアにする。
【０１５７】
当該形態Ａ５では、端末は第１基地局によりスケジューリングされるダウンリンクキャリアの中の１つのダウンリンクキャリアを参照キャリアにしても良く、第２基地局によりスケジューリングされるダウンリンクキャリアの中の１つのダウンリンクキャリアを参照キャリアにしても良く、さらに端末のダウンリンクプライマリーキャリアを参照キャリアにしても良く、さらに当該１つのアップリンクキャリアとペアリング関係のあるダウンリンクキャリアを参照キャリアにしても良い。
【０１５８】
当該形態Ａ５では、第１ＴＡ値は第１基地局により当該端末が１つのアップリンクキャリアにおいて送信したＰＲＡＣＨ及び／又は測定信号（例えばＳＲＳ）を受信することに基づいて確定されたＴＡ値であり、さらに第２基地局に通知する。
【０１５９】
又は、第１ＴＡ値は、第２基地局により当該端末が１つのアップリンクキャリアにおいて送信したＰＲＡＣＨ及び／又は測定信号（例えばＳＲＳ）を受信することに基づいて確定されたＴＡ値にたいし、第１基地局に対する補償を行って得られたＴＡ値である。
【０１６０】
さらに、第２基地局が当該第１ＴＡ値を確定した後、高位層シグナリングを通して第１ＴＡ値を端末に通知する。好ましくは、高位層シグナリングはＲＲＣシグナリング又はＭＡＣシグナリングでも良い。
【０１６１】
説明すべきは、本発明の実施例におけるペアリング関係はシステムインフォーメーションブロック（Ｓｙｓｔｅｍ  Ｉｎｆｏｒｍａｔｉｏｎ  Ｂｌｏｃｋ，ＳＩＢ）において予め設定されたダウンリンクキャリア及びアップリンクキャリアとのペアリング関係であり、当該ペアリング関係において、１つのアップリンクキャリアと１つのダウンリンクキャリアが対応する。
【０１６２】
上記で５種の好ましい実施方法を提出したが、本発明の実施例では、端末が取得したアップリンク制御情報を送信する際用いるＴＡ値は前記の５種の形態に限らない。
【０１６３】
例えば、当該ＴＡ値は、第１基地局に対応する、端末の第１ＴＡ値に対し、目標基地局に対する補償を行って得られたＴＡ値であっても良く、当該目標基地局は予めプロトコルにより定義された又は設定された第１基地局以外の１つの基地局であり、
【０１６４】
具体的には、当該目標基地局に対する補償行為は、が当該目標基地局に対応する、当該端末のＴＡ値と第１ＴＡ値との違いを補償するためであり、具体的には自身と当該目標基地局との間の相対位置、周波数ビン特性及び送信遅延の中の少なくとも１種の情報に基づいて、第１ＴＡ値に対し当該目標基地局に対する補償を行う。
【０１６５】
より好ましくは、当該目標基地局は第２基地局であっても良く、当然当該目標基地局がその他の予めプロトコルにより定義された又は設定された基地局であることも排除しない。
【０１６６】
又、当該ＴＡ値は端末の第２基地局に対する第２ＴＡ値に対し目標基地局に対する補償を行って得られたＴＡ値であり、そのうち、当該目標基地局は予めプロトコルにより定義された又は設定された第２基地局以外の１つの基地局である。
【０１６７】
具体的には、当該目標基地局に対する補償行為はが当該目標基地局に対応する、当該端末のＴＡ値と第２ＴＡ値との違いを補償するためであり、具体的に自身と当該目標基地局との間の相対位置、周波数ビン特性及び送信遅延の中の少なくとも１種の情報に基づいて、第２ＴＡ値に対し当該目標基地局に対する補償を行う、
【０１６８】
より最適なのは、当該目標基地局は第１基地局であっても良く、当然当該目標基地局がその他の予めプロトコルにより定義された又は設定された基地局であることも排除しない。
【０１６９】
さらに、当該ＴＡ値は当該端末の第１基地局及び第２基地局以外の１つの予め定義された基地局に対するＴＡ値であっても良い。
【０１７０】
さらに、当該ＴＡ値は端末の第１基地局及び第２基地局以外の１つの予め定義又は設定された基地局のＴＡ値に対し目標基地局に対する補償を行って得られたＴＡ値であっても良く、そのうち、当該目標基地局は予めプロトコルにより定義又は設定された自身以外の１つの基地局である。
【０１７１】
説明すべきは、本発明の実施例において、より最適なのは、１つの基地局（基地局Ａとする）に対応する、端末のＴＡ値は、当該基地局Ａにより設定される。
又は、基地局Ａに対応する、当該端末のＴＡ値が基地局Ａと異なるもう１つの基地局（基地局Ｂとする）により設定される場合、基地局Ｂが当該端末のために設定したＴＡ値は、基地局Ａにより確定され、且つ基地局Ｂに予め通知したものである。
又は、基地局Ｂにより、当該基地局Ｂに対応する、端末のＴＡ値に対し、基地局Ａに対する補償を行って得られたものである。いずれかの基地局が当該基地局に対応する、端末のＴＡ値を確定する際、当該基地局により端末が当該１つのアップリンクキャリアにて送信したＰＲＡＣＨ及び／又は測定信号に基づいて確定すれば良い。
【０１７２】
当該形態Ａでは、端末が当該１つのアップリンクキャリアにおいて同様なアップリンク送信時間を用い、当該端末が生成した第１キャリアに対応する第１アップリンク制御情報及び第２キャリアに対応する第２アップリンク制御情報を送信する。
【０１７３】
当該形態Ａでは、端末は当該１つのアップリンクキャリアにおいて当該端末が生成したアップリンク制御情報を送信する。以下で、詳細に説明する。
【０１７４】
端末は、当該１つのアップリンクキャリアの同一のアップリンクサブフレームにおいて、同じＴＡ値を用い、生成されたアップリンク制御情報を載せるための複数のアップリンクチャネルを送信する。ここで、異なる基地局によりスケジューリングされるダウンリンクキャリアに対応するアップリンク制御情報は異なるアップリンクチャネルに乗せられて伝送される。
【０１７５】
又は、端末は、当該１つのアップリンクキャリアの同一のアップリンクサブフレームにおいて、同じＴＡ値を用い、生成されたアップリンク制御情報を載せるための少なくとも１つのアップリンクチャネル及びその他の情報を載せるための少なくとも１つのアップリンクチャネル及び／又はＳＲＳを送信する。ここで、異なる基地局によりスケジューリングされるダウンリンクキャリアに対応するアップリンク制御情報は同一のアップリンクチャネルに乗せられて伝送され、又はそれぞれ異なるアップリンクチャネルに乗せられて伝送される。
【０１７６】
ここで、アップリンクチャネルは、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）及びＰＵＳＣＨを含む。
【０１７７】
説明すべきは、前記異なるアップリンクチャネルは異なるチャネルタイプ、チャネルフォーマット、又はチャネル資源の相違に具現される。チャネルタイプが異なるとは、例えばＰＵＣＣＨとＰＵＳＣＨ、チャネルフォーマットが異なるとは、例えばＰＵＣＣＨ  ｆｏｒｍａｔ１ａ／１ｂとＰＵＣＣＨ  ｆｏｒｍａｔ３、チャネル資源が異なるとは、例えば異なるＰＵＣＣＨ  ｆｏｒｍａｔ３を用いるチャネル資源のＰＵＣＣＨである。
【０１７８】
形態Ｂ
端末は以下のステップにより当該１つのアップリンクキャリアにて当該端末の生成したアップリンク制御情報を送信する。
【０１７９】
当該端末のために予め設定された第１ＴＡ値を第１アップリンク制御情報を送信するＴＡ値にする。
当該第１ＴＡ値は、第１基地局に対応する、端末のＴＡ値である。
端末は、第１基地局によりスケジューリングされるダウンリンクキャリア中の１つのダウンリンクキャリア、又は端末のダウンリンクプライマリーキャリア、又は当該１つのアップリンクキャリアとペアリング関係のある１つのダウンリンクキャリアを当該端末のアップリンク送信時間を得るために用いられる参照キャリアにし、当該第１ＴＡ値及び当該参照キャリアに基づいて、第１アップリンク制御情報を送信するアップリンク送信時間を確定し、さらに当該１つのアップリンクキャリアにおいて確定されたアップリンク送信時間に基づいて、第１アップリンク制御情報を送信する。
【０１８０】
端末は、当該端末のために予め設定された第２ＴＡ値を第２アップリンク制御情報を送信するＴＡ値にする。
当該第２ＴＡ値は、第２基地局に対応する、端末のＴＡ値である。
さらに、端末は、第２基地局によりスケジューリングされるダウンリンクキャリア中の１つのダウンリンクキャリア、又は端末のダウンリンクプライマリーキャリア、又は当該１つのアップリンクキャリアとペアリング関係のある１つのダウンリンクキャリアを当該端末のアップリンク送信時間を得るために用いられる参照キャリアにし、当該第２ＴＡ値及び当該参照キャリアに基づいて、第２アップリンク制御情報を送信するアップリンク送信時間を確定し、さらに当該１つのアップリンクキャリアにおいて確定されたアップリンク送信時間に基づいて、第２アップリンク制御情報を送信する。
【０１８１】
当該形態Ｂにおいて、端末は、当該１つのアップリンクキャリアにおいて、異なるＴＡ値を用いて異なる基地局に対応するアップリンク制御情報を送信し、すなわち当該１つのアップリンクキャリアの異なるアップリンクサブフレームにおいて異なる基地局に対応するアップリンク制御情報を送信する。
【０１８２】
説明すべきは、形態Ｂにおいて、端末が第１アップリンク制御情報の送信に用いる第１ＴＡ値及び端末が第２アップリンク制御情報の送信に用いる第２ＴＡ値を、同じ基地局により端末のために予め設定しても良く、異なる基地局により端末のために予め設定しても良い。
【０１８３】
当該形態Ｂにおいて、端末は以下の形態により第１ＴＡ値を取得し、具体的に、
【０１８４】
端末は第１基地局により当該端末のために設定した第１ＴＡ値を取得する。
当該第１ＴＡ値は、第１基地局により受信された当該端末が当該１つのアップリンクキャリアにおいて送信したＰＲＡＣＨ及び／又は測定信号に基づいて確定されたものである。
【０１８５】
又は、端末は、第２基地局の当該端末のために設定した第１ＴＡ値を取得する。
当該第１ＴＡ値は、第１基地局により受信された端末が当該１つのアップリンクキャリアにおいて送信したＰＲＡＣＨ及び／又は測定信号に基づいて確定されてから第２基地局に予め通知したものであり、又は第２基地局により受信された端末が当該１つのアップリンクキャリアにおいて送信したＰＲＡＣＨ及び／又は測定信号に基づいて確定されたＴＡ値に対し第１基地局に対する補償を行ってから得られたものである。
【０１８６】
又は、端末は第１基地局及び第２基地局以外の１つの予め定義又は設定された基地局により端末のために設定した第１ＴＡ値を取得する。
当該ＴＡ値は、第１基地局により受信された端末が当該１つのアップリンクキャリアにおいて送信したＰＲＡＣＨ及び／又は測定信号に基づいて確定された後に１つの予め定義又は設定された基地局に予め通知されたものであり、又は１つの予め定義又は設定された基地局により受信された端末が当該１つのアップリンクキャリアにおいて送信したＰＲＡＣＨ及び／又は測定信号に基づいて確定されたＴＡ値に対し第１基地局に対する補償を行ってから得られたものである。
【０１８７】
実施において、第２基地局が自身と第１基地局との間の相対位置、周波数ビン特性及び送信遅延の中の少なくとも１つの情報に基づいて、第２ＴＡ値に対し第１基地局に対する補償を行って、第１ＴＡ値を得る。
【０１８８】
実施において、１つの予め定義又は設定された基地局は、自身と第１基地局との間の相対位置、周波数ビン特性及び送信遅延の中の少なくとも１つの情報に基づいて、自身に対応する、端末のＴＡ値に対し第１基地局に対する補償を行って、第１ＴＡ値を得る。
【０１８９】
当該形態Ｂにおいて、端末は以下の形態により第２ＴＡ値を取得する。以下で詳細に説明する。
【０１９０】
端末は、第２基地局により当該端末のために設定した第２ＴＡ値を取得する。
ここで、当該第２ＴＡ値は、第２基地局により受信された当該端末が当該１つのアップリンクキャリアにおいて送信したＰＲＡＣＨ及び／又は測定信号に基づいて確定されたものである。
【０１９１】
又は、端末は第１基地局により当該端末のために設定した第２ＴＡ値を取得する。
当該第２ＴＡ値は、第２基地局により受信された端末が当該１つのアップリンクキャリアにおいて送信したＰＲＡＣＨ及び／又は測定信号に基づいて確定されてから第１基地局に予め通知されたものであり、又は第１基地局により受信された端末が当該１つのアップリンクキャリアにおいて送信したＰＲＡＣＨ及び／又は測定信号に基づいて確定されたＴＡ値に対し第２基地局に対する補償を行ってから得られたものである。
【０１９２】
又は、端末は第１基地局及び第２基地局以外の１つの予め定義又は設定された基地局により端末のために設定した第２ＴＡ値を取得する。
当該第２ＴＡ値は、第２基地局により受信された端末が当該１つのアップリンクキャリアにおいて送信したＰＲＡＣＨ及び／又は測定信号に基づいて確定されてから１つの予め定義又は設定された基地局に予め通知されたものであり、又は１つの予め定義された又は設定された基地局により受信された端末の当該１つのアップリンクキャリアにおいて送信したＰＲＡＣＨ及び／又は測定信号に基づいて確定されたＴＡ値に対し第２基地局に対する補償を行ってから得られたものである。
【０１９３】
実施において、第１基地局は、自身と第２基地局との間の相対位置、周波数ビン特性及び送信遅延の中の少なくとも１つの情報に基づいて、第１ＴＡ値に対し第２基地局に対する補償を行って、第２ＴＡ値を得る。
【０１９４】
実施において、１つの予め定義又は設定された基地局は、自身と第２基地局との間の相対位置、周波数ビン特性及び送信遅延の中の少なくとも１つの情報に基づいて、自身に対応する、端末のＴＡ値に対し第２基地局に対する補償を行って、第２ＴＡ値を得る。
【０１９５】
当該形態Ｂにおいて、端末が、生成されたアップリンク制御情報を当該１つのアップリンクキャリアにおいて送信することについて、以下で詳細に説明する。
【０１９６】
端末は、当該１つのアップリンクキャリアにおける異なるアップリンクサブフレームにおいて、それぞれ異なるＴＡ値を用いて、異なる基地局によりスケジューリングされるダウンリンクキャリアに対応するアップリンク制御情報を送信する。
【０１９７】
上記端末側の説明に基づいて、本発明の実施例はアップリンク制御情報の受信方法をさらに提供する。当該方法はデュアル接続シーンに用いられ、参照図５に示すように、当該方法はステップ５１と、ステップ５１とを含む。
【０１９８】
ステップ５１において、第１基地局は、第１キャリアにおいて端末のためにデータを送信する。当該端末に第１キャリア及び第２キャリアが設定される。第１キャリア上のデータは第一基地局によりスケジューリングされ、第２キャリア上のデータは第２基地局によりスケジューリングされる。
【０１９９】
ステップ５２において、第１基地局は、端末がアップリンク制御情報の送信に用いるＴＡ値及び端末のアップリンク送信時間を得るために用いられる参照キャリアに基づいて、１つのアップリンクキャリアにおいて端末が送信したアップリンク制御情報を受信する。
当該アップリンク制御情報は、少なくとも端末が第１キャリアのために生成した第１アップリンク制御情報を含む。
当該１つのアップリンクキャリアは、当該端末のためにデータをスケジューリングする各基地局に対応するアップリンク制御情報を送信するために用いられる。
【０２００】
本発明の実施例において、ステップ５２では、当該１つのアップリンクキャリアは、当該端末のためにデータをスケジューリングする各基地局に対応するアップリンク制御情報を送信するために用いられる。以下で、これについて詳細に説明する。
【０２０１】
当該１つのアップリンクキャリアは、ネットワーク側が当該端末のために設定された、アップリンクデータを送信するための１つのみのアップリンクキャリアであり、又は、ネットク側が当該端末のために設定された、アップリンクデータを送信するための１つのみのアップリンクキャリアでリンクキャリア中の、予め指定又は予め設定された１つのアップリンクキャリアであり、又は、当該端末のアップリンクプライマリーキャリアである。
【０２０２】
本発明の実施例において、もし第２基地局も第２キャリアにおいて端末へデータを送信したなら、第２基地局も当該１つのアップリンクキャリアにおいて端末が送信したアップリンク制御情報を受信する。その際に当該アップリンク制御情報は、第１アップリンク制御情報及び第２アップリンク制御情報を含み、第２基地局の処理の手順が第１基地局と似ているため、ここでは重複説明を省略する。
【０２０３】
実施において、ステップ５２の前に、当該方法はさらに以下のステップを含む。
【０２０４】
第１基地局は、端末のアップリンク制御情報の送信に用いられるＴＡ値及び端末のアップリンク送信時間を得るために用いられる参照キャリアを確定するステップ。
【０２０５】
第１基地局は、確定されたＴＡ値及び参照キャリアにより、受信時間ウィンドウを確定するステップ。
【０２０６】
第１基地局は、当該１つのアップリンクキャリアにおいて確定された受信時間ウィンドウに基づいてアップリンク制御情報を受信するステップ。
【０２０７】
実施において、第１基地局は、端末のアップリンク制御情報の送信に用いられるＴＡ値及び端末のアップリンク送信時間を得るために用いられる参照キャリアを確定するステップは、具体的には以下の好ましい実現形態を含む。
【０２０８】
方法１
第１基地局は、当該端末のアップリンク制御情報の送信に用いられるＴＡ値が当該第１基地局に対応する、端末の第１ＴＡ値であることを、確定する。
第１基地局は、当該端末のアップリンク制御情報の送信に用いられる参照キャリアが第１基地局によりスケジューリングされるダウンリンクキャリアの中の１つのダウンリンクキャリア（当然第２基地局によりスケジューリングされるダウンリンクキャリアの中の１つのダウンリンクキャリア、又は第１基地局及び第２基地局以外の当該端末のためにデータをスケジューリングする基地局によりスケジューリングされるダウンリンクキャリアの中の１つのダウンリンクキャリアでも良い）であり、又は当該端末のダウンリンクプライマリーキャリアであるか、又は当該１つのアップリンクキャリアとペアリング関係のあるダウンリンクキャリアであることを、確定する。
【０２０９】
当該方法１において、第１ＴＡ値は、第１基地局により受信された端末が当該１つのアップリンクキャリアにおいて送信したＰＲＡＣＨ及び／又は測定信号（例えばＳＲＳ）に基づいて、確定されたものである。
【０２１０】
実施において、第１基地局は、第１ＴＡ値を確定した後、高位層シグナリングを通して当該第１ＴＡ値を第１基地局に属するセルに位置する端末に通知する。
【０２１１】
及び／又は、第１基地局は、参照キャリアを確定した後、高位層シグナリングを通して当該参照キャリアを端末に通知する。
【０２１２】
好ましくは、高位層シグナリングはＭＡＣシグナリング及びＲＲＣシグナリングを含む。
【０２１３】
当然、当該参照キャリアは、基地局及び端末がプロトコルにより予め定義した１つのキャリアであっても良い。
【０２１４】
好ましくは、第１基地局は、第１ＴＡ値を確定し、基地局の間の通信により当該ＴＡ値をその他の基地局（当該その他の基地局は第１基地局以外の当該端末のためにデータをスケジューリングする基地局である）に通知する。
【０２１５】
及び／又は、第１基地局は、参照キャリアを確定し、基地局の間の通信により当該参照キャリアをその他の基地局（当該その他の基地局は第１基地局以外の当該端末のためにデータをスケジューリングする基地局である）に通知する。
【０２１６】
説明すべきは、当該第１ＴＡ値は、第１基地局により確定された後端末及びその他の基地局に通知するものであっても良い。
当該第１ＴＡ値は、当該端末のためにデータをスケジューリングする各基地局の間により予めプロトコルにより定義され、さらにそのうちの１つの基地局により当該端末に通知したものであっても良い。この時、第１基地局は、受信した端末が当該１つのアップリンクキャリアにおいて送信したＰＲＡＣＨ及び／又は測定信号（例えばＳＲＳ）に基づき当該第１ＴＡ値を確定する。第１基地局以外のその他の基地局は、受信した端末が当該１つのアップリンクキャリアにおいて送信したＰＲＡＣＨ及び／又は測定信号（例えばＳＲＳ）に基づいて確定したＴＡ値に対し第１基地局に対する補償を行い第１ＴＡ値を得る。当該その他の基地局は、自身と第１基地局との間の相対位置、周波数ビン特性及び送信遅延の中の少なくとも１つの情報に基づいて、自身が確定したＴＡ値に対し補償を行う。
【０２１７】
方法２
第１基地局は、当該端末のアップリンク制御情報の送信に用いられるＴＡ値が第１基地局及び第２基地局以外の１つの予め定義又は設定された基地局に対応する、当該端末のＴＡ値第２基地局に対応する、当該端末の第２ＴＡ値であると確定し、かつ当該端末のアップリンク制御情報の送信に用いられる参照キャリアが、第１基地局によりスケジューリングされるダウンリンクキャリアの中の１つのダウンリンクキャリア（当然第２基地局によりスケジューリングされるダウンリンクキャリアの中の１つのダウンリンクキャリア、又は第１基地局及び第２基地局以外の当該端末のためにデータをスケジューリングするダウンリンクキャリアの中の１つのダウンリンクキャリアであっても良い）、又は当該端末のダウンリンクプライマリーキャリア、又は当該１つのアップリンクキャリアとペアリング関係のあるダウンリンクキャリアであると確定する。
【０２１８】
当該方法２において、第２ＴＡ値は、第２基地局により受信された端末の当該１つのアップリンクキャリアにおいて送信したＰＲＡＣＨ及び／又は測定信号（例えばＳＲＳ）に基づいて確定され第１基地局に通知するものである。
又は、当該第２ＴＡ値は、第１基地局により第１ＴＡ値に対し第２基地局に対する補償を行い得られたものである。ここで、第１ＴＡ値は、第１基地局により受信された端末の当該１つのアップリンクキャリアにおいて送信したＰＲＡＣＨ及び／又は測定信号（例えばＳＲＳ）に基づいて確定されたＴＡ値である。
【０２１９】
好ましくは、第１基地局が第１ＴＡ値に対し第２基地局に対する補償を行うことは、以下で説明する。
【０２２０】
第１基地局は、自身と第２基地局との間の相対位置、周波数ビン特性及び送信遅延の中の少なくとも１つの情報に基づいて、第１ＴＡ値に対し補償を行う。
【０２２１】
好ましくは、第１基地局は、第２ＴＡ値を確定し、高位層シグナリングにより当該第２ＴＡ値を第１基地局に属するセルに位置する端末に通知する。
【０２２２】
及び／又は、第１基地局は、参照キャリア（ｒｅｆｅｒｅｎｃｅ  ｃａｒｒｙ）を確定し、高位層シグナリングにより当該参照キャリアを端末に通知する。
【０２２３】
当然、当該参照キャリアは基地局及び端末がプロトコルにより予め定義した１つのキャリアであっても良い。
【０２２４】
好ましくは、高位層シグナリングはＭＡＣシグナリング及びＲＲＣシグナリングを含む。
【０２２５】
方法３
第１基地局が当該端末がアップリンク制御情報を送信する際用いるＴＡ値は以下のいずれかのＴＡ値であると確定する。
【０２２６】
１、当該端末のダウンリンクプライマリーキャリアをスケジューリングする基地局に対応する当該端末のＴＡ値である。
【０２２７】
当該ＴＡ値は、具体的には、第１基地局が、第１ＴＡ値に対し、当該端末のダウンプライマリーキャリアをスケジューリングする当該基地局に対する補償を行い当該ＴＡ値を取得しても良く、当該端末のダウンリンクプライマリーキャリアをスケジューリングする当該基地局が送信した情報を受信することによりＴＡ値を取得しても良い。
また、当該ＴＡ値は、当該端末のダウンリンクプライマリーキャリアをスケジューリングする基地局により確定してから、基地局の間の通信によりその他の基地局に通知する。
【０２２８】
２、当該１つのアップリンクキャリアをスケジューリングする基地局に対応する、当該端末のＴＡ値である。
【０２２９】
当該ＴＡ値は、具体的には、第１基地局が第１ＴＡ値に対し、当該端末の１つのアップリンクキャリアをスケジューリングするの当該基地局に対する補償を行い当該ＴＡ値を取得しても良く、当該１つのアップリンクキャリアをスケジューリングする基地局が送信した情報を受信することにより当該ＴＡ値を取得しても良い。
また、当該ＴＡ値は、当該１つのアップリンクキャリアをスケジューリングする当該基地局により確定してから、基地局の間の通信によりその他の基地局に通知する。
【０２３０】
３、第１基地局及び第２基地局以外の予めプロトコルにより定義又は設定された１つの基地局に対応する、当該端末のＴＡ値である。
【０２３１】
当該ＴＡ値は、具体的には、第１基地局が第１ＴＡ値に対し、予めプロトコルにより定義又は設定された１つの基地局に対する補償を行い当該ＴＡ値を取得しても良く、予めプロトコルにより定義又は設定された１つの基地局が送信した情報を受信することにより当該ＴＡ値を取得しても良い。
【０２３２】
４、当該端末が当該１つのアップリンクキャリアにおける物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）送信及び／又はサウンディング参照信号（Ｓｏｕｎｄｉｎｇ  Ｒｅｆｅｒｅｎｃｅ  Ｓｙｍｂｏｌ、ＳＲＳ）送信に用いるＴＡ値である。
【０２３３】
当該ＰＵＳＣＨ及び／又はＳＲＳは、第１基地局によりトリガーされても良く又は第２基地局によりトリガーされても良く又は第１基地局及び第２基地局と異なるその他の基地局によりトリガーされても良い。
【０２３４】
５、当該端末は、当該１つのアップリンクキャリアの現行アップリンクサフレーム、又は、現行サブフレームの近隣の１つのアップリンクサブフレームにおけるＰＵＳＣＨ伝送及び／又はＳＲＳ伝送に用いるＴＡ値である。
【０２３５】
当該ＰＵＳＣＨ及び／又はＳＲＳは、第１基地局によりトリガーされても良く又は第２基地局によりトリガーされても良く又は第１基地局及び第２基地局と異なるその他の基地局によりトリガーされても良い。
【０２３６】
６、当該端末のためにデータをスケジューリングする各基地局に対応する、当該端末のＴＡ値の平均値である。
【０２３７】
第１基地局及び当該端末のためにデータをスケジューリングするその他の基地局は、端末がアップリンク制御情報を送信する際用いるＴＡ値が当該平均値であると予め確定し、又は、第１基地局は、端末がアップリンク制御情報を送信する際用いるＴＡ値が当該平均値であると予め確定し、さらに当該平均値をその他の基地局に通知し、又は、第１基地局が当該その他の基地局が送信した情報を受信することにより当該平均値を取得する。当該平均値はは、当該端末のためにデータをスケジューリングするその他の基地局（例えば第２基地局）により確定されさらに第１基地局に通知するものである。
【０２３８】
７、当該端末のためにデータをスケジューリングする各基地局に対応する、当該端末のＴＡ値は、既定の最適化形態を採用して得られた１つのＴＡ値である
【０２３９】
第１基地局及び当該端末のためにデータをスケジューリングするその他の基地局は、端末がアップリンク制御情報を送信する際用いるＴＡが各基地局のＴＡ値に対し既定の最適化形態を採用して得られたＴＡ値であると予め確定する。又は、第１基地局は、端末がアップリンク制御情報を送信する際用いるＴＡ値が各基地局のＴＡ値に対し既定の最適化形態を採用して得られたＴＡ値であると予め確定し、さらに最適化して得られたＴＡ値をその他の基地局に通知する。又は、第１基地局は、当該その他の基地局が送信した情報を受信することにより当該最適化して得られたＴＡ値を取得する。最適化して得られたＴＡ値は、当該端末のためにデータをスケジューリングするその他の基地局（例えば第２基地局）により予め確定されさらに第１基地局に通知するものである。
【０２４０】
二基づいて、当該形態３では、第１基地局により端末がアップリンク制御情報を送信する際用いる参照キャリアは以下のいずれかの１つのキャリアであると確定する。
【０２４１】
１、第１基地局によりスケジューリングされるダウンリンクキャリアの中の１つのダウンリンクキャリア（例えば第１キャリア）である。
【０２４２】
２、又は、２基地局によりスケジューリングされるダウンリンクキャリアの中の１つのダウンリンクキャリア（例えば第２キャリア）である。
【０２４３】
３、又は、当該端末のダウンリンクプライマリーキャリアである。
【０２４４】
４、当該１つのアップリンクキャリアとペアリング関係のあるダウンリンクキャリアである。
【０２４５】
５、当該１つのアップリンクキャリアにおけるＰＵＳＣＨ伝送及び／又はＳＲＳ伝送をトリガーする基地局によりスケジューリングされる１つのダウンリンクキャリアである。
【０２４６】
６、当該１つのアップリンクキャリアの現行アップリンクサフレーム、又は、現行サブフレームの近隣の１つのアップリンクサブフレームにおけるＰＵＳＣＨ伝送及び／又はＳＲＳ伝送をトリガーする基地局によりスケジューリングされる１つのダウンリンクキャリアである。
【０２４７】
７、当該端末のためにダウンリンクデータをスケジューリングする各基地局において第１基地局及び第２基地局以外のその他の基地局によりスケジューリングされるダウンリンクキャリアの中の１つのダウンリンクキャリアである。
【０２４８】
当該方法３では、上記ＴＡ値及び上記参照キャリアを任意で組み合わせても良く、端末によりアップリンクデータを送信する際用いるＴＡ値及び参照キャリアに対する端末側及び基地局側の理解が一致することさえ保証すれば良い。
【０２４９】
方法３において、好ましくは、第１基地局が上記ＴＡ値を確定した後、高位層シグナリングを通して当該ＴＡ値を第１基地局に属するセルに位置する端末に通知する。
【０２５０】
及び／又は、第１基地局が参照キャリアを確定した後、高位層シグナリングを通して当該参照キャリアを端末に通知する。
【０２５１】
当然、当該参照キャリアは基地局及び端末がプロトコルにより予め定義した１つのキャリアであっても良い。
【０２５２】
好ましくは、高位層シグナリングはＭＡＣシグナリンク及びＲＲＣシグナリングを含む。
【０２５３】
方法３において、好ましくは、第１基地局は、上記ＴＡ値を確定した後、基地局の間の通信を通して当該ＴＡ値をその他の基地局（当該その他の基地局は第１基地局以外の端末のためにデータをスケジューリングする基地局である）に通知する。
【０２５４】
及び／又は、第１基地局は、上記参照キャリアを確定した後、基地局の間の通信を通して当該参照キャリアをその他の基地局（当該その他の基地局は第１基地局以外の当該端末のためにデータをスケジューリングする基地局である）に通知する。
【０２５５】
本発明の実施例において、第１基地局及び第２基地局は、当該１つのアップリンクキャリアの同一のアップリンクサブフレームにおいて、それぞれ各自で確定した受信時間ウィンドウに基づいてアップリンク制御情報を載せる同一のアップリンクチャネルを受信する。アップリンク制御情報は、少なくとも第１アップリンク制御情報及び第２アップリンク制御情報を含む。
【０２５６】
又は、第１基地局及び第２基地局は、当該１つのアップリンクキャリアの同一のアップリンクサブフレームにおいて、それぞれ各自で確定した受信時間ウィンドウに基づいて、第１基地局は第１アップリンク制御情報を載せる１つのアップリンクチャネルを受信し、第２基地局は第２アップリンク制御情報を載せる１つのアップリンクチャネルを受信する。第１アップリンク制御情報を載せる当該１つのアップリンクチャネルと第２アップリンク制御情報を載せる当該１つのアップリンクチャネルは異なる。
【０２５７】
又は、第１基地局及び第２基地局は、当該１つのアップリンクキャリアの異なるアップリンクサブフレームにおいて、それぞれ各自で確定した受信時間ウィンドウに基づいて、第１基地局は、第１アップリンク制御情報を載せる１つのアップリンクチャネルを受信し、第２基地局は、第２アップリンク制御情報を載せる１つのアップリンクチャネルを受信する。
【０２５８】
上記３つの受信形態において、もし第１基地局及び／又は第２基地局がまだ現行アップリンクサフレームにおいて当該基地局に対応しその他の情報を載せるアップリンクチャネル（例えばＰＵＳＣＨ）及び／又はＳＲＳ送信が存在するなら、当該基地局は同じ受信時間ウィンドウを用いこれらのアップリンクチャネル及び／又はＳＲＳを受信する。
【０２５９】
技術の進化及びデータ業務の増加に伴い、ｓｍａｌｌ  ｃｅｌｌ（小セル）の概念が提起されなお注目が高まっている。ｓｍａｌｌ  ｃｅｌｌは通常より狭いカバー範囲及びより低い発射電力を有し、ｓｍａｌｌ  ｃｅｌｌをユーザにより近い場所、例えば室内及びホットスポットに設置することにより、ユーザのデータレートを向上することができる。端末が同時にｓｍａｌｌ  ｃｅｌｌの基地局及びＭａｃｒｏ  ｃｅｌｌ（大セル）の基地局と接続が存在する場合、すなわちｓｍａｌｌ  ｃｅｌｌの基地局及びＭａｃｒｏ  ｃｅｌｌの基地局が同時に端末と通信する場合である。言い換えれば、これは、典型的なデュアル接続シーンであり、すなわち複数の基地局が同時に端末と通信するする。端末はｓｍａｌｌ  ｃｅｌｌの基地局及びＭａｃｒｏ  ｃｅｌｌの基地局よりそれぞれに属する異なるダウンリンクキャリアにおいて同時にダウンリンク業務を受信することができ、なおこれらのダウンリンク業務はそれぞれｓｍａｌｌ  ｃｅｌｌの基地局及びＭａｃｒｏ  ｃｅｌｌの基地局により独立にスケジューリングされる。
【０２６０】
上記方法の処理フローはソフトウェアのプログラムにより実現しても良く、当該ソフトウェアを記憶媒体に保存しても良く、保存されたソフトウェアが呼び出された場合、上記方法のステップを実行させる。
【０２６１】
同じ発明の思想に基づいて、本発明の実施例はさらに端末を提供し、当該端末の問題解決の原理が上記アップリンク制御情報の送信方法に似ているため、当該端末の実施に関しては方法の実施を参照すれば良く、重複したところは説明を省略する。
【０２６２】
図６に示しているのは、本発明の実施例が提供する端末であり、当該端末はデュアル接続シーンに用いられ、受信モジュール６１と、処理モジュール６２と、送信モジュール６３とを含む。
【０２６３】
前記受信モジュール６１は、第１キャリアにおいてデータを受信しかつ第２キャリアにおいてデータを受信する。第１キャリアにおけるデータは、第１基地局によりスケジューリングされ、第２キャリアにおけるデータは第２基地局によりスケジューリングされる。
【０２６４】
前記処理モジュール６２は、第１キャリアのために第１アップリンク制御情報を生成し、及び／又は、第２キャリのために第２アップリンク制御情報を生成する。
【０２６５】
前記送信モジュール６３は、予め設定されたＴＡ値及び予めプロトコルにより定義又は予め設定された当該端末のアップリンク送信時間を得るために用いられる参照キャリアに基づいて、１つのアップリンクキャリアにおいて処理モジュール６２が生成したアップリンク制御情報を送信し、当該アップリンク制御情報は第１アップリンク制御情報及び第２アップリンク制御情報の中の少なくとも１つの情報を含む。
【０２６６】
本発明の実施例では、端末がアップリンク制御情報を送信する際用いる１つのアップリンクキャリアは具体的に、以下のキャリアである。
【０２６７】
ネットワーク側により、当該端末だけのために設定した、アップリンクデータ送信用の１つのアップリンクキャリアである。
又は、ネットワーク側により当該端末のために設定した、アップリンクデータ伝送する用の多数のアップリンクキャリアから、予め指定又は予め設定された１つのアップリンクキャリアである。
又は、当該端末のアップリンクプライマリーキャリアである。
【０２６８】
好ましい実現形態として、送信モジュール６３はさらに以下の通りに用いられる。
【０２６９】
予め設定されたタイミングアドバンスのＴＡ値及び予めプロトコルにより定義又は予め設定されたアップリンク送信時間を得るために用いられる参照キャリアに基づいて、アップリンク送信時間を確定し、なお送信モジュール６３をトリガーして当該１つのアップリンクキャリアにおいて確定されたアップリンク送信時間に基づいて、アプリンク制御情報を送信する。
【０２７０】
実施において、送信モジュール６３は以下の方法によりＴＡ値及び／又は参照キャリアを取得する。
【０２７１】
第１基地局が送信した設定情報を受信し、ＴＡ値及び／又は参照キャリアを取得する。
【０２７２】
又は、第２基地局が送信した設定情報を受信し、ＴＡ値及び／又は参照キャリアを取得する。
【０２７３】
又は、第１基地局及び第２基地局以外の１つの予めプロトコルにより定義された基地局が送信した設定情報を受信し、ＴＡ値及び／参照キャリアを取得する。
【０２７４】
又は、端末のプライマリーキャリアをスケジューリングする基地局が送信した設定情報を受信し、ＴＡ値及び／又は参照キャリアを取得する。
【０２７５】
又は、当該１つのアップリンクキャリアをスケジューリングする基地局が送信した設定情報を受信し、ＴＡ値及び／又は参照キャリアを取得する。
【０２７６】
又は、当該１つのアップリンクキャリアにおけるＰＵＳＣＨ伝送及び／又はＳＲＳ伝送をスケジューリングする基地局が送信した設定情報を受信し、ＴＡ値及び／又は参照キャリアを取得する。
【０２７７】
又は、当該１つのアップリンクキャリアにおける現行アップリンクサフレーム、又は、現行サブフレームの近隣の１つのアップリンクサブフレームにおけるＰＵＳＣＨ伝送及び／又はＳＲＳ伝送をスケジューリングする基地局が送信した設定情報を受信し、ＴＡ値及び／又は参照キャリアを取得する。
【０２７８】
当該形態において、送信モジュール６３が確定したＴＡ値は、以下のＴＡ値である。
【０２７９】
第１基地局に対応する、当該端末の第１ＴＡ値である。
【０２８０】
又は、第１基地局に対応する当該端末の第１ＴＡ値に対し、目標基地局に対する補償を行って得られたＴＡ値である。当該目標基地局は予めプロトコルにより定義又は設定された第１基地局以外の１つの基地局である。
【０２８１】
又は、第１基地局及び第２基地局以外の１つの予め定義又は設定された基地局に対応する、当該端末のＴＡ値第２基地局に対応する、当該端末の第２ＴＡ値である。
【０２８２】
又は、第１基地局及び第２基地局以外の１つの予め定義又は設定された基地局に対応する、当該端末のＴＡ値第２基地局に対応する、当該端末の第２ＴＡ値に対し、目標基地局に対する補償を行って得られたＴＡ値である。
当該目標基地局は予めプロトコルにより定義又は設定された第２基地局以外の１つの基地局である。
【０２８３】
又は、第１基地局及び第２基地局以外の１つの予め定義された基地局に対応する、端末のＴＡ値である。
【０２８４】
又は、第１基地局及び第２基地局以外の１つの予め定義又は設定された基地局に対応する、当該端末のＴＡ値に対し、目標基地局に対する補償を行って得られたＴＡ値である。
当該目標基地局は予めプロトコルにより定義又は設定された自身以外の１つの基地局である。
【０２８５】
又は、当該端末のダウンリンクプライマリーキャリアをスケジューリングする基地局に対応する、端末のＴＡ値である。
【０２８６】
又は、当該１つのアップリンクキャリアをスケジューリングする基地局に対応する、端末のＴＡ値である。
【０２８７】
又は、当該端末が当該１つのアップリンクキャリアにおけるＰＵＳＣＨ伝送及び／又はＳＲＳ伝送に用いられるＴＡ値である。
【０２８８】
又は、当該端末が当該１つのアップリンクキャリアの現行アップリンクサフレーム、又は、現行サブフレームの近隣の１つのアップリンクサブフレームにおけるＰＵＳＣＨ伝送及び／又はＳＲＳ伝送に用いられるＴＡ値である。
【０２８９】
又は、当該端末のためにデータをスケジューリングする各基地局に対応する、当該端末のＴＡ値の平均値である。当該平均値は、当該各基地局により予め確定されさらに当該各基地局の中の１つの基地局により端末に通知し、又は当該各基地局の中の１つの基地局により確定されて、前記基地局により端末及び当該各基地局の中のその他の基地局に通知する。
【０２９０】
又は、当該端末のためにデータをスケジューリングする各基地局に対応する、当該端末のＴＡ値の中の１つのＴＡ値である。当該ＴＡ値は、当該各基地局により予めプロトコルにより定義されさらに当該各基地局の中の１つの基地局により当該端末に通知し、又は当該各基地局の中の１つの基地局により予め確定されて、前記基地局により当該端末及び当該各基地局の中のその他の基地局に通知する。
【０２９１】
又は、当該端末のためにデータをスケジューリングする各基地局に対応する、当該端末のＴＡ値に対し既定の最適化形態を採用して得られた１つのＴＡ値である。
当該ＴＡ値は、当該各基地局により既定の最適化形態を採用して予め確定されさらに当該各基地局の中の１つの基地局により当該端末に通知する。
又は、当該各基地局の中の１つの基地局により既定の最適化形態を採用して予め確定されて、前記基地局により当該端末及び当該各基地局の中のその他の基地局に通知する。
【０２９２】
当該形態において、送信モジュール６３が確定した参照キャリアは具体的には以下の通りである。
【０２９３】
第１基地局によりスケジューリングされるダウンリンクキャリアの中の１つのダウンリンクキャリアである。
【０２９４】
又は、第２基地局によりスケジューリングされるダウンリンクキャリアの中の１つのダウンリンクキャリアである。
【０２９５】
又は、当該端末のダウンリンクプライマリーキャリアである。
【０２９６】
又は、当該１つのアップリンクキャリアとペアリング関係のある１つのダウンリンクキャリアである。
【０２９７】
又は、当該１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアである。
【０２９８】
又は、当該１つのアップリンクキャリアの現行アップリンクサフレーム、又は、現行サブフレームの近隣の１つのアップリンクサブフレームにおけるＰＵＳＣＨ伝送及び／又はＳＲＳ伝送をトリガーする基地局によりスケジューリングされるダウンリンクキャリアの中の１つのダウンリンクキャリアである。
【０２９９】
又は、当該端末のためにダウンリンクデータをスケジューリングする各基地局において第１基地局及び第２基地局以外のその他の基地局によりスケジューリングされるダウンリンクキャリアの中の１つのダウンリンクキャリアである。
【０３００】
もう１つの好ましい実現形態として、送信モジュール６３は具体的に以下のように用いられる。
【０３０１】
前記送信モジュール６３は、予め設定された第１ＴＡ値を第１アップリンク制御情報を送信するＴＡ値にし、第１ＴＡ値は第１基地局に対応する当該端末のＴＡ値である。かつ第１基地局によりスケジューリングされるダウンリンクキャリアの中の１つのダウンリンクキャリア、又は当該端末のダウンリンクプライマリーキャリア、又は当該１つのアップリンクキャリアとペアリング関係のある１つのダウンリンクキャリアをアップリンク送信時間を得るための参照キャリアにし、当該第１ＴＡ値及び当該参照キャリアに基づき、当該第１アップリンク制御情報のアップリンク送信時間を確定し、さらに当該１つのアップリンクキャリアにおいて確定されたアップリンク送信時間に従って、第１アップリンク制御情報を送信する。
【０３０２】
また、前記送信モジュール６３は、予め設定された第２ＴＡ値を第２アップリンク制御情報を送信するＴＡ値にし、第２ＴＡ値は第２基地局に対応する当該端末のＴＡ値である。かつ第２基地局によりスケジューリングされるダウンリンクキャリアの中の１つのダウンリンクキャリア、又は当該端末のダウンリンクプライマリーキャリア、又は当該１つのアップリンクキャリアとペアリング関係のある１つのダウンリンクキャリアをアップリンク送信時間を得るための参照キャリアにし、当該第２ＴＡ値及び当該参照キャリアに基づき、第２アップリンク制御情報のアップリンク送信時間を確定し、さらに当該１つのアップリンクキャリアにおいて確定されたアップリンク送信時間に従って、第２アップリンク制御情報を送信する。
【０３０３】
上記２つの好ましい実現形態において、送信モジュール６３は以下のステップに基づいて第１ＴＡ値を取得する。
【０３０４】
送信モジュール６３は、受信モジュール６１を通して第１基地局により当該端末のために設定した第１ＴＡ値を取得し、当該第１ＴＡ値は、第１基地局により受信された当該端末が当該１つのアップリンクキャリアにおいて送信した物理ランダムアクセルチャネル（ＰＲＡＣＨ）及び／又は測定信号に基づいて確定されたものである。
【０３０５】
又は、送信モジュール６３は、受信モジュール６１を通して第２基地局により当該端末のために設定した第１ＴＡ値を取得する。
当該第１ＴＡ値は、第１基地局により受信された当該端末が当該１つのアップリンクキャリアにおいて送信したＰＲＡＣＨ及び／又は測定信号に基づき確定されてから第２基地局に予め通知されたものであり、又は第２基地局により受信された当該端末が当該１つのアップリンクキャリアにおいて送信したＰＲＡＣＨ及び／又は測定信号に基づき確定されたＴＡ値に対し第１基地局に対した補償を行ってから得られたものである。
【０３０６】
送信モジュール６３は、受信モジュール６１を通して第１基地局及び第２基地局以外の１つの予めプロトコルにより定義又は設定された基地局により端末のために設定した第１ＴＡ値を取得しする。
第１ＴＡ値は、第１基地局により受信された端末が当該１つのアップリンクキャリアにおいて送信したＰＲＡＣＨ及び／又は測定信号に基づき確定されてから１つの予め定義又は設定された基地局に予め通知されたものであり、又は１つの予め定義又は設定された基地局により受信された端末が当該１つのアップリンクアリアにおいて送信したＰＲＡＣＨ及び／又は測定信号に基づき確定されたＴＡ値に対し第１基地局に対した補償を行ってから得られたものである。
【０３０７】
上記２つの好ましい実現形態において、送信モジュール６３は以下のステップに基づき第２ＴＡ値を取得する。
【０３０８】
送信モジュール６３は、受信モジュール６１を通して第２基地局により当該端末のために設定した第２ＴＡ値を取得する。当該第２ＴＡ値は、第２基地局により受信された当該端末が当該１つのアップリンクキャリアにおいて送信したＰＲＡＣＨ及び／又は測定信号に基づき確定されたものである。
【０３０９】
又は、送信モジュール６３は、受信モジュール６１を通して第１基地局により当該端末のために設定した第２ＴＡ値を取得する。
第２ＴＡ値は、第２基地局により受信された当該端末が当該１つのアップリンクキャリアにおいて送信したＰＲＡＣＨ及び／又は測定信号に基づき確定されてから第１基地局に予め通知されたものであり、又は第１基地局により受信された当該端末が当該１つのアップリンクキャリアにおいて送信したＰＲＡＣＨ及び／又は測定信号に基づき確定されたＴＡ値に対し第２基地局に対した補償を行ってから得られたものである。
【０３１０】
送信モジュール６３は、受信モジュール６１を通して第１基地局及び第２基地局以外の１つの予め定義又は設定された基地局により端末のために設定した第２ＴＡ値を取得する。
当該第２ＴＡ値は、第２基地局により受信された端末が当該１つのアップリンクキャリアにおいて送信したＰＲＡＣＨ及び／又は測定信号に基づき確定されてから１つの予め定義又は設定された基地局に予め通知されたものであり、又は１つの予め定義又は設定された基地局により受信された端末が当該１つのアップリンクアリアにおいて送信したＰＲＡＣＨ及び／又は測定信号に基づき確定されたＴＡ値に対し第２基地局に対した補償を行ってから得られたものである。
【０３１１】
さらにもう１つの好ましい実現形態において、送信モジュール６３は具体的に以下のように用いられる。
【０３１２】
当該１つのアップリンクキャリアの同じ１つのアップリンクサブフレームにおいて、同じＴＡ値を用い処理モジュール６２により生成されたアップリンク制御情報を載せるための複数のアップリンクチャネルを伝送する。
異なる基地局によりスケジューリングされるダウンリンクキャリアに対応するアップリンク制御情報は、異なるアップリンクチャネルに乗せられて伝送される。
【０３１３】
又は、当該１つのアップリンクキャリアの同じ１つのアップリンクサブフレームにおいて、同じＴＡ値を用い、処理モジュール６２により生成されたアップリンクチャネル及びその他の情報を載せるための少なくとも１つのアップリンクチャネル及び／又はＳＲＳを伝送する。
異なる基地局によりスケジューリングされるダウンリンクキャリアに対応するアップリンク制御情報は同じ１つのアップリンクチャネルに乗せられて伝送され、又はそれぞれ異なるアップリンクチャネルに乗せられて伝送される。
【０３１４】
又は、当該１つのアップリンクキャリアの異なるアップリンクサブフレームにおいて、それぞれ異なるＴＡ値を用い、異なる基地局によりスケジューリングされるダウンリンクキャリアに対応するアップリンク制御情報を送信する。
【０３１５】
アップリンクチャネルは、ＰＵＣＣＨ及びＰＵＳＣＨを含む。
【０３１６】
同じ発明の思想に基づいて、本発明の実施例はさらに基地局を提供し、当該基地局の問題解決の原理は上記アップリンク制御情報の送信方法に似ているため、当該基地局の実施に関しては方法の実施を参照すれば良く、重複したところは説明を省略する。
【０３１７】
図７に示しているのは、本発明の実施例が提供する基地局であり、当該基地局はデュアル接続シーンに用いられ、データ送信モジュール７１と、処理モジュール７２とを含む。
【０３１８】
前記データ送信モジュール７１は、第１キャリアにおいて端末のためにデータを送信する。
端末には第１キャリア及び第２キャリアが設定される。
第１キャリアのデータは本基地局によりスケジューリングされ、第２キャリアのデータは当該基地局と異なる第２基地局によりスケジューリングされる。
【０３１９】
前記処理モジュール７２は、端末がアップリンク制御情報を送信する際用いるＴＡ値及び端末のアップリンク送信時間を得るために用いられる参照キャリアに基づいて、１つのアップリンクキャリアにおいて端末が送信したアップリンク制御情報を受信する。
当該アップリンク制御情報は、少なくとも端末が第１キャリアのために生成した第１アップリンク制御情報を含み、当該１つのアップリンクキャリアは当該端末のためにデータをスケジューリングする各基地局に対応するアップリンク制御情報を送信するために用いられる。
【０３２０】
本発明の実施例において、端末が送信したアップリンク制御情報を受信する１つのアップリンクキャリアは、具体的に、ネットワーク側が当該端末だけのために設定された、アップリンクデータを送信するための１つのアップリンクキャリアである。
【０３２１】
又は、ネットワーク側により当該端末のために設定された、アップリンクデータを送信するための複数のアップリンクキャリアの中の、予め指定又は予め設定された１つのアップリンクキャリアである。
又は、当該端末のアップリンクプライマリーキャリアである。
【０３２２】
実施において、処理モジュール７２は具体的に以下のように用いられる。
【０３２３】
端末のアップリンク制御情報の送信に用いられるＴＡ値及び端末のアップリンク送信時間を得るために用いられる参照キャリアを確定し、確定されたＴＡ値及び参照キャリアに基づいて、受信時間ウィンドウを確定し、かつ当該１つのアップリンクキャリアにおいて確定された受信時間ウィンドウに基づいてアップリンク制御情報を受信する。
【０３２４】
本発明の実施例において、処理モジュール７２は以下のステップに基づいて端末のアップリンク制御情報送信に用いられるＴＡ値を確定する。
【０３２５】
当該処理モジュール７２は、端末が当該１つのアップリンクキャリアにおいて送信したＰＲＡＣＨ及び／又は測定信号を受信しこれらに基づいて、端末のアップリンク制御情報送信に用いられるＴＡ値を確定する。
【０３２６】
又は、当該処理モジュール７２は、端末が当該１つのアップリンクキャリアにおいて送信したＰＲＡＣＨ及び／又は測定信号を受信し、これらに基づいて確定されたＴＡ値に対し、目標基地局に対する補償を行ってから、端末のアップリンク制御情報送信に用いられるＴＡ値を得る。
当該目標基地局は予めプロトコルにより定義又は設定された本基地局以外の１つの基地局でありる。
【０３２７】
又は、当該処理モジュール７２は、端末のためにデータをスケジューリングする自身以外のいずれかの基地局が送信した情報を受信し、これらに基づいて端末のアップリンク制御情報の送信に用いられるＴＡ値を取得しする。
当該ＴＡ値は、その他の基地局により受信された端末が当該１つのアップリンクキャリアにおいて送信したＰＲＡＣＨ及び／又は測定信号に基づいて確定されたＴＡ値である。
又は、当該ＴＡ値はその他の基地局により受信された端末が当該１つのアップリンクキャリアにおいて送信したＰＲＡＣＨ及び／又は測定信号に基づいて確定されたＴＡ値に対し目標基地局に対する補償を行ってから得られたＴＡ値である。
当該目標基地局は予めプロトコルにより定義又は設定された自身及び本基地局以外の１つの基地局である。
又は、当該ＴＡ値はその他の基地局により所定規則に基づいて確定されたＴＡ値である。
当該その他の基地局は少なくとも、第２キャリアのデータをスケジューリングする基地局、端末のダウンリンクプライマリーキャリアをスケジューリングする基地局、当該１つのアップリンクキャリアをスケジューリングする基地局、当該１つのアップリンクキャリアにおけるＰＵＳＣＨ伝送及び／又はＳＲＳ伝送をトリガーする基地局、及び当該１つのアップリンクキャリアの現行アップリンクサフレーム及び現行サブフレームの近隣の１つのアップリンクサブフレームにおけるＰＵＳＣＨ伝送及び／又はＳＲＳ伝送をトリガーする基地局を含む。
【０３２８】
又は、当該処理モジュール７２は、所定規則に基づいて端末のアップリンク制御情報の送信に用いられるＴＡ値を確定する。
【０３２９】
当該所定規則は、具体的に、当該端末のためにデータをスケジューリングする各基地局に対応する、端末のＴＡ値の平均値を取得し、又は当該端末のためにデータをスケジューリングする各基地局に対応する、端末のＴＡ値の中から１つのＴＡ値を予めプロトコルにより定義し、又は、当該端末のためにデータをスケジューリングする各基地局に対応する、端末のＴＡ値に対し既定の最適化形態を採用して１つのＴＡ値を得る規則である。
【０３３０】
好ましくは、処理モジュール７２は、対応の目標基地局との間の相対位置、周波数ビン特性及び送信遅延の中の少なくとも１つの情報に基づいて、自身のＴＡ値に対し補償を行う。
【０３３１】
好ましくは、データ送信モジュール７１はさらに以下のように用いられる。
【０３３２】
当該データ送信モジュール７１は、処理モジュール７２により確定された端末のアップリンク制御情報の送信に用いられるＴＡ値を、当該端末に通知する。
【０３３３】
及び／又は、当該データ送信モジュール７１は、処理モジュール７２により確定された端末のアップリンク制御情報の送信に用いられるＴＡ値を、当該端末のためにデータをスケジューリングする自身以外のその他の基地局に通知する。
【０３３４】
本発明の実施例において、処理モジュール７２により確定された端末のアップリンク制御情報の送信に用いられる参照キャリアは具体的には以下の通りである。
【０３３５】
当該基地局によりスケジューリングされるダウンリンクキャリアの中の１つのダウンリンクキャリアである。
【０３３６】
又は、第２基地局によりスケジューリングされるダウンリンクキャリアの中の１つのダウンリンクキャリアである。
【０３３７】
又は、端末のダウンリンクプライマリーキャリアである。
【０３３８】
又は、当該１つのアップリンクキャリアとペアリング関係のある１つのダウンリンクキャリアである。
【０３３９】
又は、当該１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアである。
【０３４０】
又は、当該１つのアップリンクキャリアの現行アップリンクサフレーム又は現行サブフレームの近隣の１つアップリンクサブフレームにおけるＰＵＳＣＨ及び／又はＳＲＳ送信をトリガーする基地局によりスケジューリングされるダウンリンクキャリアの中の１つのダウンリンクキャリアである。
【０３４１】
又は、端末のためにダウンリンクデータをスケジューリングする各基地局において本基地局及び第２基地局以外のその他の基地局によりスケジューリングされるダウンリンクキャリアの中の１つのダウンリンクキャリアである。
【０３４２】
好ましくは、データ送信モジュール７１はさらに以下のように用いられる。
【０３４３】
当該データ送信モジュール７１は、処理モジュール７２により確定された端末のアップリンク制御情報の送信に用いられる参照キャリアを、当該端末に通知する。
【０３４４】
及び／又は、当該データ送信モジュール７１は、処理モジュール７２により確定された端末のアップリンク制御情報の送信に用いられる参照キャリアを、当該端末のためにデータをスケジューリングする自身以外のその他の基地局に通知する。
【０３４５】
以下、ハードウェア構成を具体的に参照し、本発明の実施例に係る端末の構造、処理形態に対し説明する。
【０３４６】
図６の実施例において、端末は送受信機、及び送受信機に接続される少なくとも１つのプロセッサーを含む。
【０３４７】
前記送受信機は、第１キャリアにおけるデータの受信及び第２キャリアにおけるデータの受信のために設定され、第１キャリアのデータは第１基地局によりスケジューリングされ、第２キャリアのデータは第２基地局によりスケジューリングされる。
【０３４８】
前記プロセッサーは、第１キャリアに対し第１アップリンク制御情報を生成し、及び／又は、第２キャリアに対し第２アップリンク制御情報を生成し、かつ予め設定されたＴＡ値及び予めプロトコルにより定義又は設定された本端末のアップリンク送信時間を得るために用いられる参照キャリアに基づいて、当該送受信機をトリガーして１つのアップリンクキャリアにおいて当該プロセッサーにより生成されたアップリンク制御情報を送信し、当該アップリンク制御情報は第１アップリンク制御情報及び第２アップリンク制御情報の中の少なくとも１つの情報を含む。
【０３４９】
本発明の実施例では、本端末がアップリンク制御情報を送信する際に用いる１つのアップリンクキャリアは以下のキャリアである。
【０３５０】
ネットワーク側が当該端末だけのために設定したアップリンクデータ送信用の１つのアップリンクキャリアであり、又は、ネットワーク側から当該端末のために設定した、アップリンクデータを伝送するための複数のアップリンクキャリアにおいて、予め指定又は予め設定された１つのアップリンクキャリアであり、又は、本端末のアップリンクプライマリーキャリアである。
【０３５１】
好ましい実現形態として、プロセッサーはさらに下記のために設定される。
【０３５２】
すなわち、プロセッサーは、予め設定されたタイミングアドバンスＴＡ値及び予めプロトコルにより定義又は予め設定されたアップリンク送信時間を得るために用いられる参照キャリアに基づいて、アップリンク送信時間を確定し、かつ当該１つのアップリンクキャリアにおいて確定されたアップリンク送信時間に基づいて、アップリンク制御情報を送信するように送受信機をトリガーする。
【０３５３】
当該形態において、プロセッサーは以下の方法に基づきＴＡ値及び／又は参照キャリアを取得するように設定される。
【０３５４】
すなわち、プロセッサーは、第１基地局が送信した設定情報を受信し、ＴＡ値及び／又は参照キャリアを取得する。
【０３５５】
又は、プロセッサーは、第２基地局が送信した設定情報を受信し、ＴＡ値及び／又は参照キャリアを取得する。
【０３５６】
又は、プロセッサーは、第１基地局及び第２基地局以外の１つの予めプロトコルにより定義された基地局が送信した設定情報を受信し、ＴＡ値及び／又は参照キャリアを取得する。
【０３５７】
又は、プロセッサーは、本端末のプライマリーキャリアをスケジューリングする基地局が送信した設定情報を受信し、ＴＡ値及び／又は参照キャリアを取得する。
【０３５８】
又は、プロセッサーは、当該１つのアップリンクキャリアをスケジューリングする基地局が送信した設定情報を受信し、ＴＡ値及び／又は参照キャリアを取得する。
【０３５９】
又は、プロセッサーは、当該１つのアップリンクキャリアにおけるＰＵＳＣＨ伝送及び／又はＳＲＳ伝送をスケジューリングする基地局が送信した設定情報を受信し、ＴＡ値及び／又は参照キャリアを取得する。
【０３６０】
又は、プロセッサーは、当該１つのアップリンクキャリアにおける現行アップリンクサフレーム、又は、現行サブフレームの近隣の１つのアップリンクサブフレームにおけるＰＵＳＣＨ伝送及び／又はＳＲＳ伝送をスケジューリングする基地局が送信した設定情報を受信し、ＴＡ値及び／又は参照キャリアを取得する。
【０３６１】
当該形態において、プロセッサーが確定したＴＡ値は、以下の値である。
【０３６２】
当該ＴＡ値は、第１基地局に対応する本端末の第１ＴＡ値である。
【０３６３】
又は、当該ＴＡ値は、第１基地局に対応する、本端末の第１ＴＡ値に対し、目標基地局に対する補償を行って得られたＴＡ値であり、当該目標基地局は予めプロトコルにより定義又は設定された第１基地局以外の１つの基地局である。
【０３６４】
又は、当該ＴＡ値は、第２基地局に対応する、本端末の第２ＴＡ値である。
【０３６５】
又は、当該ＴＡ値は、第２基地局に対応する、本端末の第２ＴＡ値に対し、目標基地局に対する補償を行って得られたＴＡ値であり、当該目標基地局は予めプロトコルにより定義又は設定された第２基地局以外の１つの基地局である。
【０３６６】
又は、当該ＴＡ値は、第１基地局及び第２基地局以外の１つ予め定義された基地局に対応する、本端末のＴＡ値である。
【０３６７】
又は、当該ＴＡ値は、第１基地局及び第２基地局以外の１つの予め定義又は設定された基地局に対応する、本端末のＴＡ値に対し、目標基地局に対する補償を行って得られたＴＡ値であり、当該目標基地局は予めプロトコルにより定義又は設定された自身以外の１つの基地局である。
【０３６８】
又は、当該ＴＡ値は、本端末のダウンリンクプライマリーキャリアをスケジューリングする基地局に対応する、本端末のＴＡ値である。
【０３６９】
又は、当該ＴＡ値は、当該ＴＡ値は、当該１つのアップリンクキャリアをスケジューリングする基地局に対応する、本端末のＴＡ値である。
【０３７０】
又は、当該ＴＡ値は、本端末が当該１つのアップリンクキャリアにおけるＰＵＳＣＨ伝送及び／又はＳＲＳ伝送に用いられるＴＡ値である。
【０３７１】
又は、当該ＴＡ値は、本端末が当該１つのアップリンクキャリアの現行アップリンクサフレーム、又は、現行サブフレームの近隣の１つのアップリンクサブフレームにおけるＰＵＳＣＨ伝送及び／又はＳＲＳ伝送に用いられるＴＡ値である。
【０３７２】
又は、当該ＴＡ値は、本端末のためにデータをスケジューリングする各基地局に対応する、本端末のＴＡ値の平均値である。当該平均値は当該各基地局により予め確定されさらに当該各基地局の中の１つの基地局により端末に通知し、又は当該各基地局の中の１つの基地局により確定されて、前記基地局により本端末及び当該各基地局の中のその他の基地局に通知する。
【０３７３】
又は、当該ＴＡ値は、本端末のためにデータをスケジューリングする各基地局に対応する、本端末のＴＡ値の中の１つのＴＡ値である。当該ＴＡ値は当該各基地局により予めプロトコルにより定義されさらに当該各基地局の中の１つの基地局により本端末に通知し、又は当該各基地局の中の１つの基地局により予め確定されて、前記基地局により本端末及び当該各基地局の中のその他の基地局に通知する。
【０３７４】
又は、当該ＴＡ値は、本端末のためにデータをスケジューリングする各基地局に対応する、本端末のＴＡ値は既定の最適化形態を採用して得られた１つのＴＡ値である。当該ＴＡ値は当該各基地局により既定の最適化形態を採用して予め確定されさらに当該各基地局の中の１つの基地局により本端末に通知し、又は当該各基地局の中の１つの基地局により既定の最適化形態を採用して予め確定されて、前記基地局により本端末及び当該各基地局の中のその他の基地局に通知する。
【０３７５】
当該形態において、プロセッサーが確定した参照キャリアは具体的には以下の通りである。
【０３７６】
すなわち、第１基地局によりスケジューリングされるダウンリンクキャリアの中の１つのダウンリンクキャリアである。
【０３７７】
又は、第２基地局によりスケジューリングされるダウンリンクキャリアの中の１つのダウンリンクキャリアである。
【０３７８】
又は、本端末のダウンリンクプライマリーキャリアである。
【０３７９】
又は、当該１つのアップリンクキャリアとペアリング関係のある１つのダウンリンクキャリアである。
【０３８０】
又は、当該１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアである。
【０３８１】
又は、当該１つのアップリンクキャリアの現行アップリンクサフレーム、又は、現行サブフレームの近隣の１つのアップリンクサブフレームにおけるＰＵＳＣＨ伝送及び／又はＳＲＳ伝送をトリガーする基地局によりスケジューリングされるダウンリンクキャリアの中の１つのダウンリンクキャリアである。
【０３８２】
又は、本端末のためにダウンリンクデータをスケジューリングする各基地局の中の第１基地局及び第２基地局以外のその他の基地局によりスケジューリングされるダウンキャリアの中の１つのダウンリンクキャリアである。
【０３８３】
もう１つの好ましい実現形態として、プロセッサーは下記のために設定される。
【０３８４】
すなわち、プロセッサーは、予め設定された第１ＴＡ値を第１アップリンク制御情報送信用のＴＡ値にする。
第１ＴＡ値は、第１基地局に対応する、本端末のＴＡ値である。
かつ、プロセッサーは、第１基地局によりスケジューリングされるダウンリンクキャリアの中の１つのダウンリンクキャリア、又は本端末のダウンリンクプライマリーキャリア、又は当該１つのアップリンクキャリアとペアリング関係のある１つのダウンリンクキャリアを、アップリンク送信時間を得るために用いられる参照キャリアにし、当該第１ＴＡ値及び当該参照キャリアに基づいて、当該第１アップリンク制御情報のアップリンク送信時間を確定し、さらに当該１つのアップリンクキャリアにおいて確定されたアップリンク送信時間に基づいて、第１アップリンク制御情報を送信するように送受信機をトリガーする。
【０３８５】
プロセッサーは、予め設定された第２ＴＡ値を第２アップリンク制御情報送信用のＴＡ値にし、第２ＴＡ値は第２基地局に対応する、本端末のＴＡ値である。
かつ、プロセッサーは、第２基地局によりスケジューリングされるダウンリンクキャリアの中の１つのダウンリンクキャリア、又は本端末のダウンリンクプライマリーキャリア、又は当該１つのアップリンクキャリアとペアリング関係のある１つのダウンリンクキャリアを、アップリンク送信時間を得るために用いられる参照キャリアにし、当該第２ＴＡ値及び当該参照キャリアに基づいて、第２アップリンク制御情報のアップリンク送信時間を確定し、さらに当該１つのアップリンクキャリアにおいて確定されたアップリンク送信時間に基づいて、第２アップリンク制御情報を送信するように送受信機をトリガーする。
【０３８６】
上記２つの好ましい実現形態において、プロセッサーは以下のステップに基づき第１ＴＡ値を取得するように設定される。
【０３８７】
すなわち、プロセッサーは、送受信機を通して第１基地局により本端末のために設定した第１ＴＡ値を取得する。
当該第１ＴＡ値は、第１基地局により受信された本端末が当該１つのアップリンクキャリアにおいて送信した物理ランダムアクセルチャネルＰＲＡＣＨ及び／又は測定信号に基づいて確定されたものである。
【０３８８】
又は、プロセッサーは、送受信機を通して第２基地局により本端末のために設定した第１ＴＡ値を取得する。
当該第１ＴＡ値は、第１基地局により受信された本端末が当該１つのアップリンクキャリアにおいて送信したＰＲＡＣＨ及び／又は測定信号に基づいて確定されてから第２基地局に予め通知されたものであり、又は第２基地局により受信された本端末が当該１つのアップリンクキャリアにおいて送信したＰＲＡＣＨ及び／又は測定信号に基づいて確定されたＴＡ値に対し第１基地局に対する補償を行ってから得られたものである。
【０３８９】
又は、プロセッサーは、送受信機を通して第１基地局及び第２基地局以外の１つの予め定義又は設定された基地局により本端末のために設定した第１ＴＡ値を取得する。
第１ＴＡ値は、第１基地局により受信された本端末が当該１つのアップリンクキャリアにおいて送信したＰＲＡＣＨ及び／又は測定信号に基づいて確定されてから１つの予め定義又は設定された基地局に予め通知されたものであり、又は１つの予め定義又は設定された基地局により受信された端末が当該１つのアップリンクキャリアにおいて送信したＰＲＡＣＨ及び／又は測定信号に基づいて確定されたＴＡ値に対し第１基地局に対する補償を行ってから得られたものである。
【０３９０】
上記２つの好ましい実現形態において、プロセッサーは以下のステップに基づき第２ＴＡ値を取得するよう設定される。
【０３９１】
すなわち、プロセッサーは、送受信機を通して第２基地局により本端末のために設定した第２ＴＡ値を取得し、第２ＴＡ値は第２基地局により受信された本端末が当該１つのアップリンクキャリアにおいて送信したＰＲＡＣＨ及び／又は測定信号に基づいて確定されたものである。
【０３９２】
又は、プロセッサーは、送受信機を通して第１基地局により当該端末のために設定した第２ＴＡ値を取得する。第２ＴＡ値は、第２基地局により受信された本端末が当該１つのアップリンクキャリアにおいて送信したＰＲＡＣＨ及び／又は測定信号に基づいて確定されてから第１基地局に予め通知されたものであり、又は第１基地局により受信された本端末が当該１つのアップリンクキャリアにおいて送信したＰＲＡＣＨ及び／又は測定信号に基づいて確定されたＴＡ値に対し第２基地局に対する補償を行ってから得られたものである。
【０３９３】
又は、プロセッサーは、送受信機を通して第１基地局及び第２基地局以外の１つの予め定義又は設定された基地局により端末のために設定した第２ＴＡ値を取得し、第２ＴＡ値は第２基地局により受信された端末が当該１つのアップリンクキャリアにおいて送信したＰＲＡＣＨ及び／又は測定信号に基づいて確定されてから１つの予め定義又は設定された基地局に予め通知されたものであり、又は１つの予め定義又は設定された基地局により受信された端末が当該１つのアップリンクキャリアにおいて送信したＰＲＡＣＨ及び／又は測定信号に基づいて確定されたＴＡ値に対し第２基地局に対する補償を行ってから得られたものである。
【０３９４】
１番目の好ましい実現形態に対し、プロセッサーは具体的には以下の通りに用いられるために設定される。
【０３９５】
すなわち、プロセッサーは、送受信機をトリガーして当該１つのアップリンクキャリアの同一のアップリンクサブフレームにおいて、同じＴＡ値を用い、プロセッサーが生成したアップリンク制御情報を載せるための複数のアップリンクチャネルを送信する。
【０３９６】
又は、プロセッサーは、送受信機をトリガーして当該１つのアップリンクキャリアの同一のアップリンクサブフレームにおいて、同じＴＡ値を用い、プロセッサーが生成したアップリンク制御情報を載せるための１つのアップリンクチャネル及びその他の情報を載せるための少なくとも１つのアップリンクチャネル及び／又はＳＲＳを送信する。
異なる基地局によりスケジューリングされるダウンリンクキャリアに対応するアップリンク制御情報は、同一のアップリンクチャネルに乗せられて伝送され、又はそれぞれ異なるアップリンクチャネルに乗せられて伝送される。
【０３９７】
ここで、前記アップリンクチャネルはＰＵＣＣＨ及びＰＵＳＣＨを含む。
【０３９８】
２番目の好ましい実現形態に対し、プロセッサーは具体的には以下の通りに用いられるために設定される。
【０３９９】
すなわち、プロセッサーは、送受信機をトリガーして当該１つのアップリンクキャリアの異なるアップリンクサブフレームにおいて、それぞれ異なるＴＡ値を用い、異なる基地局によりスケジューリングされるダウンリンクキャリアに対応するアップリンク制御情報を送信する。ここで、アップリンクチャネルはＰＵＣＣＨ及びＰＵＳＣＨを含む。
【０４００】
以下、具体的にハードウェア構成を参照し、本発明の実施例に係る基地局の構成、処理形態に対し説明する。
【０４０１】
図７の実施例において、基地局は送受信機、及び送受信機に接続された少なくとも１つのプロセッサーを含む。
【０４０２】
前記送受信機は、第１キャリアにおいて端末にデータを送信するために設定される。ここで、端末には第１キャリア及び第２キャリアが設定され、第１キャリアのデータは当該基地局によりスケジューリングされ、第２キャリアのデータは当該基地局と異なる第２基地局によりスケジューリングされる。
【０４０３】
プロセッサーは、端末のアップリンク制御情報送信に用いられるＴＡ値及び端末のアップリンク送信時間を得るために用いられる参照キャリアに基づいて、当該送受信機をトリガーして１つのアップリンクキャリアにおいて端末が送信したアップリンク制御情報を受信する。
当該アップリンク制御情報は、少なくとも端末が第１キャリアのために生成した第１アップリンク制御情報を含み、当該１つのアップリンクキャリアは端末のためにデータをスケジューリングする各基地局に対応するアップリンク制御情報の送信に用いられる。
【０４０４】
実施において、プロセッサーは以下の通りに用いられるために設定される。
【０４０５】
すなわち、プロセッサーは、端末のアップリンク制御情報の送信に用いられるＴＡ値及び端末のアップリンク送信時間を得るための参照キャリアを確定し、確定されたＴＡ値及び参照キャリアに基づいて、受信時間ウィンドウを確定し、なお送受信機をトリガーして当該１つのアップリンクキャリアにおいて確定された受信時間ウィンドウに基づいてアップリンク制御情報を受信する。
【０４０６】
本発明の実施例において、プロセッサーは以下のステップに基づいて端末のアップリンク制御情報の送信に用いられるＴＡ値を確定するよう設定される。
【０４０７】
すなわち、プロセッサーは、端末が当該１つのアップリンクキャリアにおいて送信したＰＲＡＣＨ及び／又は測定信号を受信し、これらに基づいて、端末のアップリンク制御情報の送信に用いられるＴＡ値を確定する。
【０４０８】
又は、プロセッサーは、端末が当該１つのアップリンクキャリアにおいて送信したＰＲＡＣＨ及び／又は測定信号を受信し、これらに基づいて確定されたＴＡ値に対し、目標基地局に対する補償を行ってから、端末のアップリンク制御情報の送信に用いられるＴＡ値を確定し、そのうち、当該目標基地局は予めプロトコルにより定義又は設定された本基地局以外の１つの基地局である。
【０４０９】
又は、プロセッサーは、端末のためにデータをスケジューリングする自身以外のいずれかの基地局が送信した情報を受信し、これらに基づいて端末のアップリンク制御情報の送信に用いられるＴＡ値を取得する。ここで、当該ＴＡ値はその他の基地局により受信された端末が当該１つのアップリンクキャリアにおいて送信したＰＲＡＣＨ及び／又は測定信号に基づいて確定されたＴＡ値であり、又は、当該ＴＡ値はその他の基地局により受信された端末が当該１つのアップリンクキャリアにおいて送信したＰＲＡＣＨ及び／又は測定信号に基づいて確定されたＴＡ値に対し目標基地局に対する補償を行ってから得られたＴＡ値である。
当該目標基地局は予めプロトコルにより定義又は設定された自身及び本基地局以外の１つの基地局である。
又は、当該ＴＡ値は、その他の基地局により所定規則に基づいて確定されたＴＡ値である。
当該その他の基地局は少なくとも、第２キャリアのデータをスケジューリングする基地局、端末のダウンリンクプライマリーキャリアをスケジューリングする基地局、当該１つのアップリンクキャリアをスケジューリングする基地局、当該１つのアップリンクキャリアにおけるＰＵＳＣＨ伝送及び／又はＳＲＳ伝送をトリガーする基地局、及び当該１つのアップリンクキャリアの現行アップリンクサフレーム及び現行サブフレームの近隣の１つのアップリンクサブフレームにおけるＰＵＳＣＨ送信／及びＳＲＳ送信をトリガーする基地局を含る。
【０４１０】
又は、プロセッサーは、所定規則に基づいて端末のアップリンク制御情報の送信に用いられるＴＡ値を確定する。
【０４１１】
所定規則は具体的に、当該端末のためにデータをスケジューリングする各基地局に対応する、端末のＴＡ値の平均値を取得し、又は当該端末のためにデータをスケジューリングする各基地局に対応する、端末のＴＡ値の中から１つのＴＡ値を予めプロトコルにより定義し、又は、当該端末のためにデータをスケジューリングする各基地局に対応する、端末のＴＡ値に対し既定の最適化形態を採用して１つのＴＡ値を得る。
【０４１２】
好ましくは、プロセッサーは以下のように用いられるために設定される。
【０４１３】
すなわち、対応の目標基地局との間の相対位置、周波数ビン特性及び送信遅延の中の少なくとも１つの情報に基づいて、自身のＴＡ値に対し補償を行う。
【０４１４】
好ましくは、送受信機はさらに以下の通りに用いられるように設定される。
【０４１５】
送受信機は、プロセッサーにより確定された端末のアップリンク制御情報の送信に用いられるＴＡ値を、当該端末に通知する。
【０４１６】
及び／又は、送受信機は、プロセッサーにより確定された端末のアップリンク制御情報の送信に用いられるＴＡ値を、自身以外の当該端末のためにデータをスケジューリングするその他の基地局に通知する。
【０４１７】
本発明の実施例において、プロセッサーにより確定された端末のアップリンク制御情報の送信に用いられる参照キャリアは具体的に以下のキャリアである。
【０４１８】
当該基地局によりスケジューリングされるダウンリンクキャリアの中の１つのダウンリンクキャリアである。
【０４１９】
又は、第２基地局によりスケジューリングされるダウンリンクキャリアの中の１つのダウンリンクキャリアである。
【０４２０】
又は、端末のダウンリンクプライマリーキャリアである。
【０４２１】
又は、当該１つのアップリンクキャリアとペアリング関係のある１つのダウンリンクキャリアである。
【０４２２】
又は、当該１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアである。
【０４２３】
又は、当該１つのアップリンクキャリアの現行アップリンクサフレーム又は現行サブフレームの近隣の１つアップリンクサブフレームにおけるＰＵＳＣＨ及び／又はＳＲＳ送信をトリガーする基地局によりスケジューリングされるダウンリンクキャリアの中の１つのダウンリンクキャリアである。
【０４２４】
又は、端末のためにダウンリンクデータをスケジューリングする各基地局の中の本基地局及び第２基地局以外のその他の基地局によりスケジューリングされるダウンリンクキャリアの中の１つのダウンリンクキャリアである。
【０４２５】
好ましくは、送受信機はさらに以下の通りに用いられるように設定される。
【０４２６】
すなわち、送受信機は、プロセッサーにより確定された端末のアップリンク制御情報送信用の参照キャリアを、当該端末に通知する。
【０４２７】
及び／又は、送受信機は、プロセッサーにより確定された端末のアップリンク制御情報送信用の参照キャリアを、当該端末のためにデータをスケジューリングする自身以外のその他の基地局に通知する。
【０４２８】
本発明の実施例の提供した基地局は、１つのアップリンクキャリアにおいて当該端末が当該端末のためにデータをスケジューリングする異なる基地局によりスケジューリングされるダウンリンクキャリアに対し生成したアップリンク制御情報を受信することができ、端末コストを削減することを前提にアップリンク制御情報のフィードバックを実現した。
【０４２９】
本分野の技術者として分かるべきは、本発明の実施例は、方法、システム、又はコンピュータープログラムの製品を提供することができる。そのため、本発明は完全なハードウェア実施例、完全なソフトウェア実施例、又はソフトウェアとハードウェア方面に取り込む実施例の形態を採用することができる。しかも、本発明はコンピューターの使用可能のプログラムコードが含まれている１つ又は複数のコンピューターの使用可能の記憶媒体（ディスクメモリ、ＣＤ−ＲＯＭ、光学メモリなどを含み、ただしこれらに限らない）において実施するコンピュータープログラムの製品の形態を採用することができる。
【０４３０】
本発明は本発明の実施例に係る方法、設備（システム）、及びコンピュータープログラムの製品のフロー図及び／又はブロック図を参照し説明を行っている。理解すべきはコンピュータープログラムコマンドによりフロー図及び／又はブロック図の中の各フロー及び／又はブロック、及びフロー図及び／又はブロック図の中のフロー及び／又はブロックの結合を実現しても良い。これらのコンピュータープログラムのコマンドを汎用コンピューター、専用コンピューター、組み込み式のプロセッサ又はその他のプログラマブルのデータ処理装置のプロセッサに提供し１つの機器を生成することができ、すなわちコンピューター又はその他のプログラマブルのデータ処理装置のプロセッサが実行するコマンドによりフロー図の中の１つのフロー又は複数のフロー及び／又はブロック図の中の１つのブロック又は複数のブロックにおいて指定の機能を実現するための装置を生成させる。
【０４３１】
これらのコンピュータープログラムのコマンドはコンピューター又はその他のプログラマブルのデータ処理装置が特定形態で作動するように導けるコンピューター記憶装置に保存することもでき、当該コンピューター記憶装置に保存されたコマンドによりコマンド装置を含んだ製造品を生成させ、当該コマンド装置はフロー図の中の１つのフロー又は複数のフロー及び／又はブロック図の中の１つのブロック又は複数のブロックにおいて指定の機能を実現する。
【０４３２】
これらのコンピュータープログラムのコマンドはコンピューター又はその他のプログラマブルのデータ処理装置に搭載することもでき、コンピューター又はその他のプログラマブルの装置において一連の操作ステップを実行させコンピューターの実現の処理を生成し、それによってコンピューター又はその他のプログラマの装置において実行したコマンドによりフロー図の中の１つのフロー又は複数のフロー及び／又はブロック図の中の１つのブロック又は複数のブロックにおいて指定の機能を実現するステップを提供する。
【０４３３】
本発明の好ましい実施例を説明したが、本分野の技術者は一度基本の進歩性概念を知れば、これらの実施例に対し他の変更及び修正をすることができる。そのため、以下の特許請求の範囲の解釈においては好ましい実施例及び本発明の範囲に属するすべての変更及び修正を含む。
【０４３４】
本分野の技術者は本発明の精神及び範囲を逸脱せずに本発明に対しいろんな変更及び変形をしても良い。このように、もし本発明のこれなの修正及び変更が本発明の特許の請求及びその均等な技術の範囲内であれば、本発明はこれらの修正及び変更も含む。
【符号の説明】
【０４３５】
６１  受信モジュール
６２  処理モジュール
６３  送信モジュール
７１  データ送信モジュール
７２  処理モジュール
【図１】
2016529799.tif 000003
【図２】
2016529799.tif 000004
【図３】
2016529799.tif 000005
【図４】
2016529799.tif 000006
【図５】
2016529799.tif 000007
【図６】
2016529799.tif 000008
【図７】
2016529799.tif 000009
【手続補正書】
【提出日】平成28年1月20日(2016.1.20)
【手続補正１】
【補正対象書類名】特許請求の範囲
【補正対象項目名】全文
【補正方法】変更
【補正の内容】
【特許請求の範囲】
【請求項１】
アップリンク制御情報の送信方法であって、
端末が、第１キャリアにおいて、第１基地局によりスケジューリングされるデータを受信し、かつ、第２キャリアにおいて、第２基地局によりスケジューリングされるデータを受信しするステップと、
前記端末が、前記第１キャリアのために第１アップリンク制御情報を生成し、及び／又は、前記端末が、前記第２キャリアのために第２アップリンク制御情報を生成するステップと、
前記端末が、予め設定されたタイミングアドバンス（Ｔｉｍｉｎｇ  Ａｄｖａｎｃｅ、ＴＡ）値及び予めプロトコルにより定義された又は予め設定さ予め設定された当該端末のアップリンク送信時間を得るために用いられる参照キャリアに基づいて、１つのアップリンクキャリアにおいて前記端末が生成したアップリンク制御情報を送信するステップと、
を含み、
前記アップリンク制御情報は、前記第１アップリンク制御情報及び前記第２アップリンク制御情報の中の少なくとも１つの情報を含む、
ことを特徴とするアップリンク制御情報の送信方法。
【請求項２】
前記端末が、前記ＴＡ値及び前記参照キャリアに基づいて、前記１つのアップリンクキャリアにおいて前記アップリンク制御情報を送信するステップは、
前記端末が、予め設定されたタイミングアドバンス（ＴＡ）値、及び、当該端末のアップリンク送信時間を得るために用いられる予めプロトコルにより定義された又は予め設定された参照キャリアに基づいて、アップリンク送信時間を確定するステップと、
前記端末が、前記１つのアップリンクキャリアにおいて、前記アップリンク送信時間に基づいて、前記アップリンク制御情報を送信するステップとを含む、
ことを特徴とする請求項１記載のアップリンク制御情報の送信方法。
【請求項３】
前記端末は以下の方法により前記ＴＡ値及び／又は前記参照キャリアを取得し、すなわち、
前記端末は前記第１基地局が送信した設定情報を受信し、前記ＴＡ値及び／又は前記参照キャリアを取得し、又は、
前記端末は前記第２基地局が送信した設定情報を受信し、前記ＴＡ値及び／又は前記参照キャリアを取得し、又は
前記端末は前記第１基地局及び前記第２基地局以外の１つの予めプロトコルにより定義された基地局が送信した設定情報を受信し、前記ＴＡ値及び／前記参照キャリアを取得し、又は、
前記端末は前記端末のプライマリーキャリアをスケジューリングする基地局が送信した設定情報を受信し、前記ＴＡ値及び／又は前記参照キャリアを取得し、又は、
前記端末は前記１つのアップリンクキャリアをスケジューリングする基地局が送信した設定情報を受信し、前記ＴＡ値及び／又は前記参照キャリアを取得し、又は、
前記端末は前記１つのアップリンクキャリアにおける物理アップリンク共有チャネル（ＰＵＳＣＨ）伝送及び／又はサウンディング参照符号（ＳＲＳ）伝送伝送及び／又はサウンディング参照符号（ＳＲＳ）伝送をスケジューリングする基地局が送信した設定情報を受信し、前記ＴＡ値及び／又は前記参照キャリアを取得し、又は、
前記端末は前記１つのアップリンクキャリアにおける現行アップリンクサブフレーム、又は、現行サブフレームの近隣の１つのアップリンクサブフレームにおける物理アップリンク共有チャネル（ＰＵＳＣＨ）伝送及び／又はサウンディング参照符号（ＳＲＳ）伝送伝送及び／又はサウンディング参照符号（ＳＲＳ）伝送をスケジューリングする基地局が送信した設定情報を受信し、前記ＴＡ値及び／又は前記参照キャリアを取得する、
ことを特徴とする請求項２記載のアップリンク制御情報の送信方法。
【請求項４】
前記ＴＡ値は、
前記第１基地局に対応する、前記端末の第１ＴＡ値であり、又は、
前記第１基地局に対応する、前記端末の第１ＴＡ値に対し、目標基地局に対する補償を行って得られたＴＡ値であり、前記目標基地局は予めプロトコルにより定義又は設定された前記第１基地局以外の１つの基地局であり、又は、
前記第２基地局に対応する、前記端末の第２ＴＡ値であり、又は、
前記第２基地局に対応する、前記端末の第２ＴＡ値に対し、目標基地局に対する補償を行って得られたＴＡ値であり、前記目標基地局は予めプロトコルにより定義又は設定された前記第２基地局以外の１つの基地局であり、又は、
第１基地局及び第２基地局以外の１つの予め定義された基地局に対応する、端末のＴＡ値であり、又は
前記第１基地局及び前記第２基地局以外の１つの予め定義又は設定された基地局に対応する、前記端末のＴＡ値に対し、目標基地局に対する補償を行って得られたＴＡ値であり、そのうち、前記目標基地局は予めプロトコルにより定義又は設定された自身以外の１つの基地局であり、又は、
前記端末のダウンリンクプライマリーキャリアをスケジューリングする基地局に対応する、前記端末のＴＡ値であり、又は、
前記１つのアップリンクキャリアをスケジューリングする基地局に対応する、前記端末のＴＡ値であり、又は、
前記１つのアップリンクキャリアにおける物理アップリンク共有チャネル（ＰＵＳＣＨ）伝送及び／又はサウンディング参照符号（ＳＲＳ）伝送に用いられる前記端末のＴＡ値であり、又は、
前記１つのアップリンクキャリアの現行アップリンクサブフレーム、又は、現行サブフレームの近隣の１つのアップリンクサブフレームにおけるＰＵＳＣＨ伝送及び／又はＳＲＳ伝送に用いられる前記端末のＴＡ値であり、又は、
前記端末のためにデータをスケジューリングする各基地局に対応する、前記端末ＴＡ値の平均値であり、前記平均値は、前記各基地局により予め確定されて、前記各基地局の中の１つの基地局により前記端末に通知されるか、又は前記各基地局の中の１つの基地局により確定されて、前記基地局により前記端末及び前記各基地局の中のその他の基地局に通知され、又は、
前記端末のためにデータをスケジューリングする各基地局に対応する、前記端末のＴＡ値の中の１つのＴＡ値であり、当該ＴＡ値は前記各基地局により予めプロトコルにより定義されて、前記各基地局の中の１つの基地局により前記端末に通知されるか、又は前記各基地局の中の１つの基地局により予め確定されて、前記基地局により前記端末及び前記各基地局の中のその他の基地局に通知され、又は、
前記端末のためにデータをスケジューリングする各基地局対応する、前記端末ＴＡ値に対し既定の最適化形態を採用して得られた１つのＴＡ値であり、当該ＴＡ値は前記各基地局により既定の最適化形態を採用して予め確定されて、前記各基地局の中の１つの基地局により前記端末に通知されるか、又は前記各基地局の中の１つの基地局により既定の最適化形態を採用して予め確定されて、前記基地局により前記端末及び前記各基地局の中のその他の基地局に通知され、
前記参照キャリアは、
前記第１基地局によりスケジューリングされるダウンリンクキャリアの中の１つのダウンリンクキャリアであり、又は、
前記第２基地局によりスケジューリングされるダウンリンクキャリアの中の１つのダウンリンクキャリアであり、又は、
前記端末のダウンリンクプライマリーキャリアであり、又は、
前記１つのアップリンクキャリアとペアリング関係のある１つのダウンリンクキャリアであり、又は、
前記１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアであり、又は、
前記１つのアップリンクキャリアの現行アップリンクサブフレーム、又は、現行サブフレームの近隣の１つのアップリンクサブフレームにおけるＰＵＳＣＨ伝送及び／又はＳＲＳ伝送をトリガーする基地局によりスケジューリングされるダウンリンクキャリアの中の１つのダウンリンクキャリアであり、又は、
前記端末のためにダウンリンクデータをスケジューリングする各基地局の中の前記第１基地局及び前記第２基地局以外のその他の基地局によりスケジューリングされるダウンリンクキャリアの中の１つのダウンリンクキャリアである、
ことを特徴とする請求項３記載のアップリンク制御情報の送信方法。
【請求項５】
前記端末が前記ＴＡ値及び前記参照キャリアに基づいて、前記１つのアップリンクキャリアにおいて前記第１アップリンク制御情報を送信することは、以下の方法1と、方法2とを含み、
方法1：
前記端末は、前記端末のために予め設定された第１ＴＡ値を前記第１アップリンク制御情報を送信するＴＡ値にし、前記第１ＴＡ値は前記端末の、前記第１基地局に対するＴＡ値であり、また、前記端末は、前記第１基地局によりスケジューリングされるダウンリンクキャリアの中の１つのダウンリンクキャリア、又は前記端末のダウンリンクプライマリーキャリア、又は前記１つのアップリンクキャリアとペアリング関係のある１つのダウンリンクキャリアを、前記端末のアップリンク送信時間を得るために用いられる参照キャリアにし、前記第１ＴＡ値及び前記参照キャリアに基づいて、前記第１アップリンク制御情報のアップリンク送信時間を確定し、さらに前記１つのアップリンクキャリアにおいて確定されたアップリンク送信時間に基づいて、前記第１アップリンク制御情報を送信することであり、
前記端末が前記ＴＡ値及び前記参照キャリアに基づいて、前記１つのアップリンクキャリアにおいて前記第２アップリンク制御情報を送信することは、
前記端末は、当該端末のために予め設定された第２ＴＡ値を前記第２アップリンク制御情報を送信するＴＡ値にし、前記第２ＴＡ値は前記端末の第２基地局に対応するＴＡ値であり、また、前記端末は、前記第２基地局によりスケジューリングされるダウンリンクキャリアの中の１つのダウンリンクキャリア、又は前記端末のダウンリンクプライマリーキャリア、又は前記１つのアップリンクキャリアとペアリング関係のある１つのダウンリンクキャリアを、前記端末のアップリンク送信時間を得るために用いられる参照キャリアにし、前記第２ＴＡ値及び前記参照キャリアに基づいて、前記第２アップリンク制御情報のアップリンク送信時間を確定し、さらに前記１つのアップリンクキャリアにおいて確定されたアップリンク送信時間に基づいて、前記第２アップリンク制御情報を送信することであり、
方法2：
前記端末は、前記１つのアップリンクキャリアの同一のアップリンクサブフレームにおいて、同じＴＡ値を用い、前記アップリンク制御情報を載せるための複数のアップリンクチャネルを送信し、異なる基地局によりスケジューリングされるダウンリンクキャリアに対応するアップリンク制御情報は異なるアップリンクチャネルに乗せられて伝送され、又は、
前記端末は、前記１つのアップリンクキャリアの同一のアップリンクサブフレームにおいて、同じＴＡ値を用い、前記アップリンク制御情報を載せるための少なくとも１つのアップリンクチャネル及びその他の情報を載せるための少なくとも１つのアップリンクチャネル及び／又はＳＲＳを送信し、異なる基地局によりスケジューリングされるダウンリンクキャリアに対応するアップリンク制御情報は同一のアップリンクチャネルに乗せられて伝送され、又はそれぞれ異なるアップリンクチャネルに乗せられて伝送され、又は、
前記端末は、前記１つのアップリンクキャリアにおける異なるアップリンクサブフレームにおいて、それぞれ異なるＴＡ値を用い異なる基地局によりスケジューリングされるダウンリンクキャリアに対応するアップリンク制御情報を送信する、ことを含み、
前記アップリンクチャネルは、物理アップリンク制御チャネル（ＰＵＣＣＨ）と、ＰＵＳＣＨとを含む、
ことを特徴とする請求項１記載のアップリンク制御情報の送信方法。
【請求項６】
前記端末が前記第１ＴＡ値を取得することは、
前記端末は、前記第１基地局により前記端末のために設定した第１ＴＡ値を取得し、前記第１ＴＡ値は、前記第１基地局が受信した、前記端末が前記１つのアップリンクキャリアにおいて送信した物理ランダムアクセスチャネル（ＰＲＡＣＨ）及び／又は測定信号に基づいて確定されたものであり、
又は、前記端末は前記第２基地局により前記端末のために設定した第１ＴＡ値を取得し、前記第１ＴＡ値は、前記第１基地局が、受信した前記端末が前記１つのアップリンクキャリアにおいて送信したＰＲＡＣＨ及び／又は測定信号に基づいて、確定されてから前記第２基地局に予め通知したものであり、又は前記第２基地局が、受信した前記端末が前記１つのアップリンクキャリアにおいて送信したＰＲＡＣＨ及び／又は測定信号に基づいて確定されたＴＡ値に対して、前記第１基地局に対する補償を行ってから得られたものであり、
又は、前記端末は前記第１基地局及び前記第２基地局以外の１つの予め定義又は設定された基地局により前記端末のために設定した第１ＴＡ値を取得し、前記第１ＴＡ値は、前記第１基地局が、受信した前記端末が前記１つのアップリンクキャリアにおいて送信したＰＲＡＣＨ及び／又は測定信号に基づいて、確定された後に前記１つの予め定義又は設定された基地局に予め通知されたものであり、又は前記１つの予め定義又は設定された基地局が、受信した前記端末が前記１つのアップリンクキャリアにおいて送信したＰＲＡＣＨ及び／又は測定信号に基づいて確定されたＴＡ値に対して、前記第１基地局に対する補償を行って得られるものである、ことを含み、
前記端末が前記第２ＴＡ値を取得することは、
前記端末は前記第２基地局により前記端末のために設定した第２ＴＡ値を取得し、前記第２ＴＡ値は前記第２基地局が、受信した前記端末が前記１つのアップリンクキャリアにおいて送信したＰＲＡＣＨ及び／又は測定信号に基づいて、確定されたものであり、又は、
前記端末は前記第１基地局により前記端末のために設定した第２ＴＡ値を取得し、前記第２ＴＡ値は前記第２基地局が、受信した前記端末が前記１つのアップリンクキャリアにおいて送信したＰＲＡＣＨ及び／又は測定信号に基づいて、確定されてから前記第１基地局に予め通知されたものであり、又は、前記第１基地局が、受信した前記端末が前記１つのアップリンクキャリアにおいて送信したＰＲＡＣＨ及び／又は測定信号に基づいて、確定されたＴＡ値に対し前記第２基地局に対する補償を行ってから得られたものであり、又は、
前記端末は、前記第１基地局及び前記第２基地局以外の１つの予め定義又は設定された基地局により前記端末のために設定した第２ＴＡ値を取得し、前記第２ＴＡ値は、前記第２基地局が、受信した前記端末が前記１つのアップリンクキャリアにおいて送信したＰＲＡＣＨ及び／又は測定信号に基づいて、確定されてから前記１つの予め定義又は設定された基地局に予め通知されたものであり、又は前記１つの予め定義された又は設定された基地局が、受信した前記端末が前記１つのアップリンクキャリアにおいて送信したＰＲＡＣＨ及び／又は測定信号に基づいて確定されたＴＡ値に対して、前記第２基地局に対する補償を行ってから得られたものである、ことを含む、
ことを特徴とする請求項４または５記載のアップリンク制御情報の送信方法。
【請求項７】
アップリンク制御情報の受信方法であって、
第１基地局が、第１キャリアにおいて端末のためにデータを送信し、前記端末には少なくとも前記第１キャリア及び第２キャリアが設定され、前記第１キャリア上のデータは前記第１基地局によりスケジューリングされ、前記第２キャリア上のデータは第２基地局によりスケジューリングされるステップと、
前記第１基地局が、前記端末がアップリンク制御情報の送信に用いるＴＡ値及び前記端末のアップリンク送信時間を得るために用いられる参照キャリアに基づいて、１つのアップリンクキャリアにおいて前記端末が送信したアップリンク制御情報を受信し、前記アップリンク制御情報は少なくとも端末が前記第１キャリアのために生成した第１アップリンク制御情報を含み、前記１つのアップリンクキャリアは前記端末のためにデータをスケジューリングする各基地局に対応するアップリンク制御情報を送信するために用いられるステップと、を含む
ことを特徴とするアップリンク制御情報の受信方法。
【請求項８】
前記第１基地局が前記ＴＡ値及び前記参照キャリアに基づいて、前記１つのアップリンクキャリアにおいて前記端末が送信したアップリンク制御情報を受信することは、
前記第１基地局は前記端末が前記アップリンク制御情報の送信に用いるＴＡ値及び前記端末のアップリンク送信時間を得るために用いられる参照キャリアを確定し、
前記第１基地局は前記ＴＡ値及び前記参照キャリアに基づいて、受信時間ウィンドウを確定し、
前記第１基地局は前記１つのアップリンクキャリアにおいて前記受信時間ウィンドウに基づいて前記アップリンク制御情報を受信することを含む、
ことを特徴とする請求項７記載のアップリンク制御情報の受信方法。
【請求項９】
前記第１基地局により前記端末が前記アップリンク制御情報の送信に用いるＴＡ値を確定することは、
前記第１基地局は受信された前記端末が前記１つのアップリンクキャリアにおいて送信した物理ランダムアクセスチャネル（ＰＲＡＣＨ）及び／又は測定信号に基づいて、前記ＴＡ値を確定し、又は、
前記第１基地局は、受信された前記端末が前記１つのアップリンクキャリアにおいて送信したＰＲＡＣＨ及び／又は測定信号に基づいて確定したＴＡ値に対し、目標基地局に対する補償を行い、前記ＴＡ値を得、前記目標基地局は予めプロトコルにより定義又は設定された前記第１基地局以外の１つの基地局であり、又は、
前記第１基地局は、前記端末のためにデータをスケジューリングする自身以外のいずれかの基地局が送信した情報を受信し、これらに基づいて前記ＴＡ値を取得し、前記ＴＡ値は前記その他の基地局により受信された前記端末が前記１つのアップリンクキャリアにおいて送信したＰＲＡＣＨ及び／又は測定信号に基づいて確定されたＴＡ値であり、又は、前記ＴＡ値は前記その他の基地局が、受信した前記端末が前記１つのアップリンクキャリアにおいて送信したＰＲＡＣＨ及び／又は測定信号に基づいて確定されたＴＡ値に対して、目標基地局に対する補償を行ってから得られたＴＡ値であり、そのうち、前記目標基地局は予めプロトコルにより定義又は設定された自身及び前記第１基地局以外の１つの基地局であり、又は、前記ＴＡ値は前記その他の基地局により所定規則に基づいて確定されたＴＡ値であり、前記その他の基地局は少なくとも、前記第２基地局、前記端末のダウンリンクプライマリーキャリアをスケジューリングする基地局、前記１つのアップリンクキャリアをスケジューリングする基地局、前記１つのアップリンクキャリアにおける物理アップリンク共有チャネル（ＰＵＳＣＨ）伝送及び／又はサウンディング参照符号（ＳＲＳ）伝送をトリガーする基地局、及び前記１つのアップリンクキャリアの現行アップリンクサブフレーム及び現行サブフレームの近隣の１つのアップリンクサブフレームにおけるＰＵＳＣＨ伝送及び／又はＳＲＳ伝送をトリガーする基地局を含み、又は、
前記第１基地局は所定規則に基づいて、前記ＴＡ値を確定する、ことを含み、
前記所定規則は、前記端末のためにデータをスケジューリングする各基地局に対応する、前記端末のＴＡ値の平均値を取得し、又は、前記端末のためにデータをスケジューリングする各基地局に対応する、前記端末のＴＡ値の中から１つのＴＡ値を予めプロトコルにより定義し、又は、前記端末のためにデータをスケジューリングする各基地局に対応する前記端末のＴＡ値から、既定の最適化形態を採用して１つのＴＡ値を得ることである、
ことを特徴とする請求項８記載のアップリンク制御情報の受信方法。
【請求項１０】
前記第１基地局は、自身と対応の目標基地局との間の相対位置、周波数ビン特性及び送信遅延の中の少なくとも１つの情報に基づいて、前記第１基地局が受信した前記端末が前記１つのアップリンクキャリアにおいて送信したＰＲＡＣＨ及び／又は測定信号に基づいて確定されたＴＡ値に対し、当該目標基地局に対する補償を行い、
及び／又は、
前記その他の基地局は、自身と対応の目標基地局との間の相対位置、周波数ビン特性及び送信遅延の中の少なくとも１つの情報に基づいて、前記その他の基地局が受信した前記端末が前記１つのアップリンクキャリアにおいて送信したＰＲＡＣＨ及び／又は測定信号に基づいて確定されたＴＡ値に対し、当該目標基地局に対する補償を行う、ことをさらに含む、
ことを特徴とする請求項９記載のアップリンク制御情報の受信方法。
【請求項１１】
前記第１基地局が前記１つのアップリンクキャリアにおいて前記端末が送信したアップリンク制御情報を受信する前に、
前記第１基地局は、前記端末が前記アップリンク制御情報の送信に用いるＴＡ値及び/または参照キャリアを、前記端末に通知し、及び／又は、
前記第１基地局は、前記端末が前記アップリンク制御情報の送信に用いるＴＡ値及び/または参照キャリアを、前記端末のためにデータをスケジューリングする自身以外のその他の基地局に通知する、ことをさらに含む、
ことを特徴とする請求項７記載のアップリンク制御情報の受信方法。
【請求項１２】
前記参照キャリアは、
前記第１基地局によりスケジューリングされるダウンリンクキャリアの中の１つのダウンリンクキャリアであり、又は、
前記第２基地局によりスケジューリングされるダウンリンクキャリアの中の１つのダウンリンクキャリアであり、又は、
前記端末のダウンリンクプライマリーキャリアであり、又は、
前記１つのアップリンクキャリアとペアリング関係のある１つのダウンリンクキャリアであり、又は、
前記１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアであり、又は、
前記１つのアップリンクキャリアの現行アップリンクサブフレーム又は現行サブフレームの近隣の１つアップリンクサブフレームにおけるＰＵＳＣＨ及び／又はＳＲＳ送信をトリガーする基地局によりスケジューリングされるダウンリンクキャリアの中の１つのダウンリンクキャリアであり、又は、
前記端末のためにダウンリンクデータをスケジューリングする各基地局において前記第１基地局及び前記第２基地局以外のその他の基地局によりスケジューリングされるダウンリンクキャリアの中の１つのダウンリンクキャリアである、
ことを特徴とする請求項８記載のアップリンク制御情報の受信方法。
【請求項１３】
前記１つのアップリンクキャリアの同一のアップリンクサブフレームにおいて、前記第１基地局及び前記第２基地局はそれぞれ各自で確定した受信時間ウィンドウに基づいて、前記アップリンク制御情報を載せる同一のアップリンクチャネルを受信し、前記アップリンク制御情報は少なくとも前記第１アップリンク制御情報及び第２アップリンク制御情報を含み、又は、
前記１つのアップリンクキャリアの同一のアップリンクサブフレームにおいて、前記第１基地局は自身が確定した受信時間ウィンドウに基づいて、前記第１アップリンク制御情報を載せる１つのアップリンクチャネルを受信し、前記第２基地局は自身が確定した受信時間ウィンドウに基づいて、前記第２アップリンク制御情報を載せる１つのアップリンクチャネルを受信し、前記第１アップリンク制御情報を載せる前記１つのアップリンクチャネルと前記第２アップリンク制御情報を載せる前記１つのアップリンクチャネルとは異なり、又は、
前記１つのアップリンクキャリアの異なるアップリンクサブフレームにおいて、前記第１基地局は自身が確定した受信時間ウィンドウに基づいて、前記第１アップリンク制御情報を載せる１つのアップリンクチャネルを受信し、前記第２基地局は自身が確定した受信時間ウィンドウに基づいて、前記第２アップリンク制御情報を載せる１つのアップリンクチャネルを受信する、
ことを特徴とする請求項８記載のアップリンク制御情報の受信方法。
【請求項１４】
第１キャリアにおいてデータを受信しかつ第２キャリアにおいてデータを受信し、前記第１キャリアにおけるデータは第１基地局によりスケジューリングされ、前記第２キャリアにおけるデータは第２基地局によりスケジューリングされる、受信モジュールと、
前記第１キャリアのために第１アップリンク制御情報を生成し、及び／又は、前記第２キャリアのために第２アップリンク制御情報を生成する、処理モジュールと、
予め設定されたタイミングアドバンス（ＴＡ）値及び予めプロトコルにより定義又は予め設定された端末のアップリンク送信時間を得るために用いられる参照キャリアに基づいて、１つのアップリンクキャリアにおいて前記処理モジュールが生成したアップリンク制御情報を送信する、送信モジュールと、を含み、
前記アップリンク制御情報は、前記第１アップリンク制御情報と、前記第２アップリンク制御情報との中の少なくとも１つの情報を含む、
ことを特徴とする端末。
【請求項１５】
前記送信モジュールは、
予め設定されたタイミングアドバンス（ＴＡ）値及び予めプロトコルにより定義又は予め設定されたアップリンク送信時間を得るために用いられる参照キャリアに基づいて、アップリンク送信時間を確定し、なお前記送信モジュールをトリガーして前記１つのアップリンクキャリアにおいて前記アップリンク送信時間に基づいて、前記アップリンク制御情報を送信する、
ことを特徴とする請求項１４記載の端末。
【請求項１６】
前記送信モジュールは以下の方法により前記ＴＡ値及び／又は前記参照キャリアを取得し、すなわち、
前記第１基地局が送信した設定情報を受信し、前記ＴＡ値及び／又は前記参照キャリアを取得し、又は、
前記第２基地局が送信した設定情報を受信し、前記ＴＡ値及び／又は前記参照キャリアを取得し、又は、
前記第１基地局及び前記第２基地局以外の１つの予めプロトコルにより定義された基地局が送信した設定情報を受信し、前記ＴＡ値及び／又は前記参照キャリアを取得し、又は、
前記端末のプライマリーキャリアをスケジューリングする基地局が送信した設定情報を受信し、前記ＴＡ値及び／又は前記参照キャリアを取得し、又は、
前記１つのアップシンクキャリアをスケジューリングする基地局が送信した設定情報を受信し、前記ＴＡ値及び／又は前記参照キャリアを取得し、又は、
前記１つのアップシンクキャリアにおけるＰＵＳＣＨ伝送及び／又はＳＲＳ伝送をスケジューリングする基地局が送信した設定情報を受信し、前記ＴＡ値及び／又は前記参照キャリアを取得し、又は、
前記１つのアップリンクキャリアにおける現行アップリンクサブフレーム、又は、現行サブフレームの近隣の１つのアップリンクサブフレームにおけるＰＵＳＣＨ伝送及び／又はＳＲＳ伝送をスケジューリングする基地局が送信した設定情報を受信し、前記ＴＡ値及び／又は前記参照キャリアを取得する、
ことを特徴とする請求項１５記載の端末。
【請求項１７】
前記ＴＡ値は、
前記第１基地局に対応する、前記端末の第１ＴＡ値であり、又は、
前記第１基地局に対応する、前記端末の第１ＴＡ値に対し、目標基地局に対する補償を行って得られたＴＡ値であり、前記目標基地局は予めプロトコルにより定義又は設定された前記第１基地局以外の１つの基地局であり、又は、
前記第２基地局に対応する、前記端末の第２ＴＡ値であり、又は、
前記第２基地局に対応する、前記端末の第２ＴＡ値に対し、目標基地局に対する補償を行って得られたＴＡ値であり、前記目標基地局は予めプロトコルにより定義又は設定された前記第２基地局以外の１つの基地局であり、又は、
前記第１基地局及び前記第２基地局以外の１つの予め定義された基地局に対応する、前記端末のＴＡ値であり、又は、
前記第１基地局及び前記第２基地局以外の１つの予め定義又は設定された基地局に対応する、前記端末のＴＡ値に対し、目標基地局に対する補償を行って得られたＴＡ値であり、前記目標基地局は予めプロトコルにより定義又は設定された自身以外の１つの基地局であり、又は、
前記端末のダウンリンクプライマリーキャリアをスケジューリングする基地局に対応する、前記端末のＴＡ値であり、又は、
前記１つのアップリンクキャリアをスケジューリングする基地局に対応する、前記端末のＴＡ値であり、又は、
前記端末の前記１つのアップシンクキャリアにおけるＰＵＳＣＨ伝送及び／又はＳＲＳ伝送に用いられるＴＡ値であり、又は、
前記端末の前記１つのアップリンクキャリアにおける現行アップリンクサブフレーム、又は、現行サブフレームの近隣の１つのアップリンクサブフレームにおけるＰＵＳＣＨ伝送及び／又はＳＲＳ伝送に用いられるＴＡ値であり、又は、
前記端末のためにデータをスケジューリングする各基地局に対応する、前記端末ＴＡ値の平均値であり、前記平均値は前記各基地局により予め確定されて、前記各基地局の中の１つの基地局により前記端末に通知されるか、又は前記各基地局の中の１つの基地局により確定されて、前記基地局により前記端末及び前記各基地局の中のその他の基地局に通知し、又は、
前記端末のためにデータをスケジューリングする各基地局に対応する、前記端末のＴＡ値の中の１つのＴＡ値であり、当該ＴＡ値は前記各基地局により予めプロトコルにより定義されて、前記各基地局の中の１つの基地局により前記端末に通知されるか、又は前記各基地局の中の１つの基地局により予め確定されて、前記基地局により前記端末及び前記各基地局の中のその他の基地局に通知し、又は、
前記端末のためにデータをスケジューリングする各基地局対応する、前記端末ＴＡ値に対し既定の最適化形態を採用して得られた１つのＴＡ値であり、当該ＴＡ値は前記各基地局により既定の最適化形態を採用して予め確定されて、前記各基地局の中の１つの基地局により前記端末に通知されるか、又は前記各基地局の中の１つの基地局により既定の最適化形態を採用して予め確定されて、前記基地局により前記端末及び前記各基地局の中のその他の基地局に通知され、
前記参照キャリアは、
前記第１基地局によりスケジューリングされるダウンリンクキャリアの中の１つのダウンリンクキャリアであり、又は、
前記第２基地局によりスケジューリングされるダウンリンクキャリアの中の１つのダウンリンクキャリアであり、又は、
前記端末のダウンリンクプライマリーキャリアであり、又は、
前記１つのアップリンクキャリアとペアリング関係のある１つのダウンリンクキャリアであり、又は、
前記１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアであり、又は、
前記１つのアップリンクキャリアの現行アップリンクサブフレーム、又は、現行サブフレームの近隣の１つのアップリンクサブフレームにおけるＰＵＳＣＨ伝送及び／又はＳＲＳ伝送をトリガーする基地局によりスケジューリングされるダウンリンクキャリアの中の１つのダウンリンクキャリアであり、又は、
前記端末のためにダウンリンクデータをスケジューリングする各基地局の中の前記第１基地局及び前記第２基地局以外のその他の基地局によりスケジューリングされるダウンリンクキャリアの中の１つのダウンリンクキャリアである、
ことを特徴とする請求項１６記載の端末。
【請求項１８】
前記送信モジュールは、
予め設定された第１ＴＡ値を前記第１アップリンク制御情報を送信するＴＡ値にし、前記第１ＴＡ値は前記端末の、前記第１基地局に対するＴＡ値であり、前記第１基地局によりスケジューリングされるダウンリンクキャリアの中の１つのダウンリンクキャリア、又は前記端末のダウンリンクプライマリーキャリア、又は前記１つのアップリンクキャリアとペアリング関係のある１つのダウンリンクキャリアを前記端末のアップリンク送信時間を得るために用いられる参照キャリアにし、前記第１ＴＡ値及び前記参照キャリアに基づいて、前記第１アップリンク制御情報のアップリンク送信時間を確定し、さらに前記１つのアップリンクキャリアにおいて確定されたアップリンク送信時間に基づいて、前記第１アップリンク制御情報を送信し、
予め設定された第２ＴＡ値を前記第２アップリンク制御情報を送信するＴＡ値にし、前記第２ＴＡ値は前記端末の前記第２基地局に対するＴＡ値であり、さらに前記第２基地局によりスケジューリングされるダウンリンクキャリアの中の１つのダウンリンクキャリア、又は前記端末のダウンリンクプライマリーキャリア、又は前記１つのアップリンクキャリアとペアリング関係のある１つのダウンリンクキャリアを前記端末のアップリンク送信時間を得るために用いられる参照キャリアにし、前記第２ＴＡ値及び前記参照キャリアに基づいて、前記第２アップリンク制御情報のアップリンク送信時間を確定し、さらに前記１つのアップリンクキャリアにおいて確定されたアップリンク送信時間に基づいて、前記第２アップリンク制御情報を送信し、
また、
前記送信モジュールは、
前記１つのアップリンクキャリアの同一のアップリンクサブフレームにおいて、同じＴＡ値を用い、前記アップリンク制御情報を載せるための複数のアップリンクチャネルを送信し、そのうち、異なる基地局によりスケジューリングされるダウンリンクキャリアに対応するアップリンク制御情報は異なるアップリンクチャネルに乗せられて伝送され、又は、
前記１つのアップリンクキャリアの同一のアップリンクサブフレームにおいて、同じＴＡ値を用い、前記アップリンク制御情報を載せるための１つのアップリンクチャネル及びその他の情報を載せるための少なくとも１つのアップリンクチャネル及び／又はＳＲＳを送信し、異なる基地局によりスケジューリングされるダウンリンクキャリアに対応するアップリンク制御情報は同一のアップリンクチャネルに乗せられて伝送され、又はそれぞれ異なるアップリンクチャネルに乗せられて伝送され、又は、
前記１つのアップリンクキャリアにおける異なるアップリンクサブフレームにおいて、それぞれ異なるＴＡ値を用い異なる基地局によりスケジューリングされるダウンリンクキャリアに対応するアップリンク制御情報を送信し、
前記アップリンクチャネルは、物理アップリンク制御チャネル（ＰＵＣＣＨ）と、ＰＵＳＣＨとを含む、
ことを特徴とする請求項１４記載の端末。
【請求項１９】
前記送信モジュールは下記のステップに基づき前記第１ＴＡ値を取得し、すなわち、
前記受信モジュールを介して前記第１基地局が前記端末のために設定した第１ＴＡ値を取得し、前記第１ＴＡ値は、前記第１基地局が受信した、前記端末が前記１つのアップリンクキャリアにおいて送信した物理ランダムアクセスチャネル（ＰＲＡＣＨ）及び／又は測定信号に基づいて確定されたものであり、又は、前記受信モジュールにより前記第２基地局が前記端末のために設定した第１ＴＡ値を取得し、前記第１ＴＡ値は、前記第１基地局が、受信した前記端末が前記１つのアップリンクキャリアにおいて送信したＰＲＡＣＨ及び／又は測定信号に基づいて、確定されてから前記第２基地局に予め通知したものであり、又は前記第２基地局が、受信した前記端末が前記１つのアップリンクキャリアにおいて送信したＰＲＡＣＨ及び／又は測定信号に基づいて確定されたＴＡ値に対して、前記第１基地局に対する補償を行ってから得られたものであり、
又は、前記受信モジュールを介して前記第１基地局及び前記第２基地局以外の１つの予め定義又は設定された基地局が前記端末のために設定した第１ＴＡ値を取得し、前記第１ＴＡ値は、前記第１基地局が、受信した前記端末が前記１つのアップリンクキャリアにおいて送信したＰＲＡＣＨ及び／又は測定信号に基づいて、確定された後に前記１つの予め定義又は設定された基地局に予め通知されたものであり、又は前記１つの予め定義又は設定された基地局が、受信した前記端末が前記１つのアップリンクキャリアにおいて送信したＰＲＡＣＨ及び／又は測定信号に基づいて確定されたＴＡ値に対して、前記第１基地局に対する補償を行って得られるものであり、
及び／又は、
前記送信モジュールは下記のステップに基づき前記第２ＴＡ値を取得し、すなわち、
前記受信モジュールを介して前記第２基地局が前記端末のために設定した第２ＴＡ値を取得し、前記第２ＴＡ値は前記第２基地局により受信された当該端末が前記１つのアップリンクキャリアにおいて送信したＰＲＡＣＨ及び／又は測定信号に基づいて確定されたものであり、又は、
前記受信モジュールを介して前記第１基地局が前記端末のために設定した第２ＴＡ値を取得し、前記第２ＴＡ値は前記第２基地局が、受信した前記端末が前記１つのアップリンクキャリアにおいて送信したＰＲＡＣＨ及び／又は測定信号に基づいて、確定されてから前記第１基地局に予め通知されたものであり、又は、前記第１基地局が、受信した前記端末が前記１つのアップリンクキャリアにおいて送信したＰＲＡＣＨ及び／又は測定信号に基づいて、確定されたＴＡ値に対し前記第２基地局に対する補償を行ってから得られたものであり、又は、
前記受信モジュールを介して前記第１基地局及び前記第２基地局以外の１つの予め定義又は設定された基地局が前記端末のために設定した第２ＴＡ値を取得し、前記第２ＴＡ値は前記第２基地局が、受信した前記端末が前記１つのアップリンクキャリアにおいて送信したＰＲＡＣＨ及び／又は測定信号に基づいて、確定されてから前記１つの予め定義又は設定された基地局に予め通知されたものであり、又は前記１つの予め定義された又は設定された基地局が、受信した前記端末が前記１つのアップリンクキャリアにおいて送信したＰＲＡＣＨ及び／又は測定信号に基づいて確定されたＴＡ値に対して、前記第２基地局に対する補償を行ってから得られたものである、
ことを特徴とする請求項１７または１８記載の端末。
【請求項２０】
第１キャリアにおいて端末のためにデータを送信し、前記端末には少なくとも前記第１キャリア及び第２キャリアが設定され、前記第１キャリアのデータは基地局によりスケジューリングされ、前記第２キャリアのデータは前記基地局と異なる第２基地局によりスケジューリングされる、データ送信モジュールと、
前記端末がアップリンク制御情報を送信する際用いるＴＡ値及び前記端末のアップリンク送信時間を得るために用いられる参照キャリアに基づいて、１つのアップリンクキャリアにおいて前記端末が送信したアップリンク制御情報を受信し、前記アップリンク制御情報は少なくとも前記端末が前記第１キャリアのために生成した第１アップリンク制御情報を含み、前記１つのアップリンクキャリアは前記端末のためにデータをスケジューリングする各基地局に対応するアップリンク制御情報を送信するために用いられる、処理モジュールと、を含む、
ことを特徴とする基地局。
【請求項２１】
前記処理モジュールは、
前記端末の前記アップリンク制御情報送信に用いられるＴＡ値及び前記端末のアップリンク送信時間を得るために用いられる参照キャリアを確定し、前記ＴＡ値及び前記参照キャリアに基づいて、受信時間ウィンドウを確定し、かつ前記１つのアップリンクキャリアにおいて確定された前記受信時間ウィンドウに基づいて前記アップリンク制御情報を受信する、
ことを特徴とする請求項２０記載の基地局。
【請求項２２】
前記処理モジュールは下記のステップに基づき前記端末の前記アップリンク制御情報送信に用いられるＴＡ値を確定し、すわなち、
前記端末が前記１つのアップリンクキャリアにおいて送信した物理ランダムアクセスチャネル（ＰＲＡＣＨ）及び／又は測定信号を受信し、これらに基づいて前記ＴＡ値を確定し、又は、
前記端末が前記１つのアップリンクキャリアにおいて送信したＰＲＡＣＨ及び／又は測定信号を受信し、これらに基づいて確定されたＴＡ値に対し、目標基地局に対する補償を行ってから、前記ＴＡ値を得、前記目標基地局は予めプロトコルにより定義又は設定された前記基地局以外の１つの基地局であり、又は、
前記端末のためにデータをスケジューリングする自身以外のいずれかの基地局が送信した情報を受信し、これに基づいて前記ＴＡ値を取得し、前記ＴＡ値は前記その他の基地局により受信された前記端末が前記１つのアップリンクキャリアにおいて送信したＰＲＡＣＨ及び／又は測定信号に基づいて確定されたＴＡ値であり、又は、前記ＴＡ値は前記その他の基地局が、受信した前記端末が前記１つのアップリンクキャリアにおいて送信したＰＲＡＣＨ及び／又は測定信号に基づいて確定されたＴＡ値に対して、目標基地局に対する補償を行ってから得られたＴＡ値であり、前記目標基地局は自身及び前記基地局以外の予めプロトコルにより定義又は設定された１つの基地局であり、又は、前記ＴＡ値は前記その他の基地局により所定規則に基づいて確定されたＴＡ値であり、前記その他の基地局は少なくとも、第２キャリアにおけるデータをスケジューリングする基地局、前記端末のダウンリンクプライマリーキャリアをスケジューリングする基地局、前記１つのアップリンクキャリアをスケジューリングする基地局、前記１つのアップリンクキャリアにおけるＰＵＳＣＨ伝送及び／又はＳＲＳ伝送をトリガーする基地局、及び前記１つのアップリンクキャリアの現行アップリンクサブフレーム及び現行サブフレームの近隣の１つのアップリンクサブフレームにおけるＰＵＳＣＨ伝送及び／又はＳＲＳ伝送をトリガーする基地局を含み、
又は、所定規則に基づいて前記ＴＡ値を確定し、
所定規則は、前記端末のためにデータをスケジューリングする各基地局に対応する、前記端末のＴＡ値の平均値を取得し、又は前記端末のためにデータをスケジューリングする各基地局に対応する、前記端末のＴＡ値の中から１つのＴＡ値を予めプロトコルにより定義し、又は、前記端末のためにデータをスケジューリングする各基地局に対応する前記端末のＴＡ値から、既定の最適化形態を採用して１つのＴＡ値を得ることである、
ことを特徴とする請求項２１記載の基地局。
【請求項２３】
前記処理モジュールは、
対応の目標基地局との間の相対位置、周波数ビン特性及び送信遅延の中の少なくとも１つの情報に基づいて、自身のＴＡ値に対し補償を行うことを特徴とする請求項２２記載の基地局。
【請求項２４】
前記データ送信モジュールは、
前記処理モジュールにより確定された前記端末の前記アップリンク制御情報の送信に用いられるＴＡ値及び/または参照キャリアを、前記端末に通知し、及び／又は、
前記処理モジュールにより確定された前記端末の前記アップリンク制御情報の送信に用いられるＴＡ値及び/または参照キャリアを、前記端末のためにデータをスケジューリングする自身以外のその他の基地局に通知する、
ことを特徴とする請求項２０記載の基地局。
【請求項２５】
前記参照キャリアは、
前記基地局によりスケジューリングされるダウンリンクキャリアの中の１つのダウンリンクキャリアであり、又は、
前記第２基地局によりスケジューリングされるダウンリンクキャリアの中の１つのダウンリンクキャリアであり、又は、
前記端末のダウンリンクプライマリーキャリアであり、又は、
前記１つのアップリンクキャリアとペアリング関係のある１つのダウンリンクキャリアであり、又は、
前記１つのアップリンクキャリアにおけるＰＵＳＣＨ伝送及び／又はＳＲＳ伝送をトリガーする基地局によりスケジューリングされるダウンリンクキャリアの中の１つのダウンリンクキャリアであり、又は、
前記１つのアップリンクキャリアの現行アップリンクサブフレーム、又は、現行サブフレームの近隣の１つのアップリンクサブフレームにおけるＰＵＳＣＨ伝送及び／又はＳＲＳ伝送をトリガーする基地局によりスケジューリングされるダウンリンクキャリアの中の１つのダウンリンクキャリアであり、又は、
前記端末のためにダウンリンクデータをスケジューリングする各基地局の中の前記基地局及び前記第２基地局以外のその他の基地局によりスケジューリングされるダウンリンクキャリアの中の１つのダウンリンクキャリアである、
ことを特徴とする請求項２１記載の基地局。
【国際調査報告】
2016529799.tif 000010
2016529799.tif 000011
2016529799.tif 000012
2016529799.tif 000013